(57)【要約】      （修正有）【課題】診断的な利点または治療的な利点を有する、新規ポリペプチドおよびこれらをコードする核酸分子を同定すること。【解決手段】新規な分泌型結腸上皮間質性−１（Ｓｅｃｓ−１）ポリペプチドをコードし、単離された核酸分子であって、ＤＮＡインサートを含む特定のヌクレオチド配列及びその相補体、またそれに中程度または高度にストリンジェントな条件下でハイブリダイズするヌクレオチド配列からなる群より選択されるヌクレオチド配列を含む、単離された核酸分子。Ｓｅｃｓ−１ポリペプチドの発現は、間質細胞の造血幹細胞維持能力と相関し、関連疾患の診断と治療への利用可能性がある。【選択図】なし【特許請求の範囲】
【請求項１】
単離された核酸分子であって、以下：
（ａ）配列番号１または配列番号４のいずれかに示されるヌクレオチド配列；
（ｂ）ＡＴＣＣ受託番号ＰＴＡ−１７５３およびＰＴＡ−１７５５中のＤＮＡインサートのヌクレオチド配列；
（ｃ）配列番号２または配列番号５のいずれかに示されるポリペプチドをコードするヌクレオチド配列；
（ｄ）（ａ）〜（ｃ）のいずれかの相補体に、中程度または高度にストリンジェントな条件下でハイブリダイズするヌクレオチド配列；および
（ｅ）（ａ）〜（ｃ）のいずれかに相補的なヌクレオチド配列、
からなる群より選択されるヌクレオチド配列を含む、単離された核酸分子。
【発明の詳細な説明】
【技術分野】
【０００１】
（発明の分野）
本発明は、新規な分泌型結腸上皮間質性−１（Ｓｅｃｒｅｔｅｄ  Ｅｐｉｔｈ
ｅｌｉａｌ  Ｃｏｌｏｎ  Ｓｔｒｏｍａｌ−１（Ｓｅｃｓ−１））ポリペプチド
およびこれをコードする核酸分子に関する。本発明はまた、Ｓｅｃｓ−１ポリペ
プチドを産生するための、選択的結合因子、ベクター、宿主細胞および方法に関
する。本発明はさらに、Ｓｅｃｓ−１ポリペプチドと関連する疾患、障害、およ
び状態の、診断、処置、改善、および／または予防のための薬学的組成物および
方法に関する。
【背景技術】
【０００２】
（発明の背景）
核酸分子の同定、クローニング、発現、および操作における技術進歩ならびに
ヒトゲノムの解読は、新規治療薬の発見を大いに加速した。現在、高速核酸配列
決定技術は、前例のない速度で配列情報を作製し得、そしてコンピュータ分析と
結合されて、ゲノムの一部および全体への重複配列の組み立てならびにポリペプ
チドコード領域の同定を可能にする。既知アミノ酸配列のデータベース編集物に
対する推定アミノ酸配列の比較は、以前に同定された配列および／または構造の
目印に対する相同性の程度を決定することを可能にする。核酸分子のポリペプチ
ドコード領域のクローニングおよび発現は、構造分析および機能分析のためのポ
リペプチド産物を提供する。核酸分子およびコードされるポリペプチドの操作は
、治療剤として使用される生成物に対して有利な特性を与え得る。
【０００３】
過去１０年間にわたるゲノム研究における有意な技術進歩にも関わらず、ヒト
ゲノムに基づく新規治療剤の開発に対する可能性は、未だ大部分理解されていな
い。潜在的に有利なポリペプチド治療剤をコードする多くの遺伝子またはこれら
がコードするポリペプチド（これらは、治療分子に対して「標的」としてはたら
き得る）は、未だ同定されていない。
【発明の開示】
【発明が解決しようとする課題】
【０００４】
従って、診断的な利点または治療的な利点を有する、新規ポリペプチドおよび
これらをコードする核酸分子を同定することが、本発明の目的である。
【課題を解決するための手段】
【０００５】
（発明の要旨）
本発明は、新規Ｓｅｃｓ−１の核酸分子およびコードされるポリペプチドに関
する。
【０００６】
本発明は、以下：
（ａ）配列番号１または配列番号４のいずれかに示されるヌクレオチド配列；
（ｂ）ＡＴＣＣ受託番号ＰＴＡ−１７５３またはＰＴＡ−１７５５中のＤＮＡ
インサートのヌクレオチド配列；
（ｃ）配列番号２または配列番号５のいずれかに示されるポリペプチドをコー
ドするヌクレオチド配列；
（ｄ）（ａ）〜（ｃ）のいずれかの相補体に、中程度または高度にストリンジ
ェントな条件下でハイブリダイズするヌクレオチド配列；および
（ｅ）（ａ）〜（ｃ）のいずれかに相補的なヌクレオチド配列、
からなる群より選択されるヌクレオチド配列を含む、単離された核酸分子を提供
する。
【０００７】
本発明はまた、以下：
（ａ）配列番号２または配列番号５のいずれかに示されるポリペプチドに少な
くとも約７０％同一であるポリペプチドをコードするヌクレオチド配列であって
、ここで、このコードされたポリペプチドは、配列番号２または配列番号５のい
ずれかに示されるポリペプチドの活性を有する、ヌクレオチド配列；
（ｂ）配列番号１もしくは配列番号４のいずれかに示されるヌクレオチド配列
、ＡＴＣＣ受託番号ＰＴＡ−１７５３もしくはＰＴＡ−１７５５中のＤＮＡイン
サートのヌクレオチド配列、または（ａ）の、対立遺伝子改変体またはスプライ
ス改変体をコードするヌクレオチド配列；
（ｃ）少なくとも約２５アミノ酸残基のポリペプチドフラグメントをコードす
る、配列番号１もしくは配列番号４のいずれかのヌクレオチド配列、ＡＴＣＣ受
託番号ＰＴＡ−１７５３もしくはＰＴＡ−１７５５中のＤＮＡインサート、（ａ
）、または（ｂ）の領域であって、ここで、このポリペプチドフラグメントは、
配列番号２もしくは配列番号５のいずれかに示されるコードされたポリペプチド
の活性を有するか、または抗原性である、ヌクレオチド配列の領域；
（ｄ）少なくとも約１６ヌクレオチドのフラグメントを含む、配列番号１もし
くは配列番号４のいずれかのヌクレオチド配列、ＡＴＣＣ受託番号ＰＴＡ−１７
５３もしくはＰＴＡ−１７５５中のＤＮＡインサート、または（ａ）〜（ｃ）の
いずれかの領域；
（ｅ）中程度または高度にストリンジェントな条件下で、（ａ）〜（ｄ）のい
ずれかの相補体にハイブリダイズする、ヌクレオチド配列；ならびに
（ｆ）（ａ）〜（ｄ）のいずれかに相補的なヌクレオチド配列、
からなる群より選択されるヌクレオチド配列を含む、単離された核酸分子を提供
する。
【０００８】
本発明はさらに、以下；
（ａ）少なくとも１つの保存的アミノ酸置換を有する配列番号２または配列番
号５のいずれかに示されるポリペプチドをコードするヌクレオチド配列であって
、ここで、このコードされたポリペプチドは、配列番号２または配列番号５のい
ずれかに示されるポリペプチドの活性を有する、ヌクレオチド配列；
（ｂ）少なくとも１つのアミノ酸挿入を有する配列番号２または配列番号５の
いずれかに示されるポリペプチドをコードするヌクレオチド配列であって、ここ
で、このコードされたポリペプチドは、配列番号２または配列番号５のいずれか
に示されるポリペプチドの活性を有する、ヌクレオチド配列；
（ｃ）少なくとも１つのアミノ酸欠失を有する配列番号２または配列番号５の
いずれかに示されるポリペプチドをコードするヌクレオチド配列であって、ここ
で、このコードされたポリペプチドは、配列番号２または配列番号５のいずれか
に示されるポリペプチドの活性を有する、ヌクレオチド配列；
（ｄ）Ｃ末端短縮および／またはＮ末端短縮を有する配列番号２または配列番
号５のいずれかに示されるポリペプチドをコードするヌクレオチド配列であって
、ここで、このコードされたポリペプチドは、配列番号２または配列番号５のい
ずれかに示されるポリペプチドの活性を有する、ヌクレオチド配列；
（ｅ）アミノ酸置換、アミノ酸挿入、アミノ酸欠失、Ｃ末端短縮、およびＮ末
端短縮からなる群より選択される少なくとも１つの改変を有する配列番号２また
は配列番号５のいずれかに示されるポリペプチドをコードするヌクレオチド配列
であって、ここで、このコードされたポリペプチドは、配列番号２または配列番
号５のいずれかに示されるポリペプチドの活性を有する、ヌクレオチド配列；
（ｆ）少なくとも約１６ヌクレオチドのフラグメントを含む（ａ）〜（ｅ）の
いずれかのヌクレオチド配列；
（ｇ）中程度または高度にストリンジェントな条件下で、（ａ）〜（ｆ）のい
ずれかの相補体にハイブリダイズする、ヌクレオチド配列；ならびに
（ｈ）（ａ）〜（ｅ）のいずれかに相補的なヌクレオチド配列、
からなる群より選択されるヌクレオチド配列を含む、単離された核酸分子を提供
する。
【０００９】
本発明は、以下：
（ａ）配列番号２または配列番号５のいずれかに示されるアミノ酸配列；およ
び
（ｂ）ＡＴＣＣ受託番号ＰＴＡ−１７５３またはＰＴＡ−１７５５中のＤＮＡ
インサートによってコードされるアミノ酸配列、
からなる群より選択されるアミノ酸配列を含む、単離されたポリペプチドを提供
する。
【００１０】
本発明はまた、以下：
（ａ）配列番号３または配列番号６のいずれかに示されるアミノ酸配列であっ
て、必要に応じてアミノ末端メチオニンをさらに含む、アミノ酸配列；
（ｂ）配列番号２または配列番号５のいずれかのオルソログに対するアミノ酸
配列；
（ｃ）配列番号２または配列番号５のいずれかのアミノ酸配列に少なくとも約
７０％同一であるアミノ酸配列であって、ここで、このポリペプチドは、配列番
号２または配列番号５のいずれかに示されるポリペプチドの活性を有する、アミ
ノ酸配列；
（ｄ）少なくとも約２５アミノ酸残基を含む配列番号２または配列番号５のい
ずれかに示されるアミノ酸配列のフラグメントであって、ここで、このフラグメ
ントは、配列番号２または配列番号５のいずれかに示されるポリペプチドの活性
を有するか、または抗原性である、フラグメント；ならびに
（ｅ）配列番号２もしくは配列番号５のいずれかに示されるアミノ酸配列、Ａ
ＴＣＣ受託番号ＰＴＡ−１７５３およびＰＴＡ−１７５５中のＤＮＡインサート
によってコードされるアミノ酸配列、もしくは（ａ）〜（ｃ）のいずれかの、対
立遺伝子改変体またはスプライス改変体のアミノ酸配列、
からなる群より選択されるアミノ酸配列を含む、単離されたポリペプチドを提供
する。
【００１１】
本発明は、さらに、以下：
（ａ）少なくとも１つの保存的アミノ酸置換を有する配列番号２または配列番
号５のいずれかに示されるアミノ酸配列であって、ここで、このポリペプチドは
、配列番号２または配列番号５のいずれかに示されるポリペプチドの活性を有す
る、アミノ酸配列；
（ｂ）少なくとも１つのアミノ酸挿入を有する配列番号２または配列番号５の
いずれかに示されるアミノ酸配列であって、ここで、このポリペプチドは、配列
番号２または配列番号５のいずれかに示されるポリペプチドの活性を有する、ア
ミノ酸配列；
（ｃ）少なくとも１つのアミノ酸欠失を有する配列番号２または配列番号５の
いずれかに示されるアミノ酸配列であって、ここで、このポリペプチドは、配列
番号２または配列番号５のいずれかに示されるポリペプチドの活性を有する、ア
ミノ酸配列；
（ｄ）Ｃ末端短縮および／またはＮ末端短縮を有する配列番号２または配列番
号５のいずれかに示されるアミノ酸配列であって、ここで、このポリペプチドは
、配列番号２または配列番号５のいずれかに示されるポリペプチドの活性を有す
る、アミノ酸配列；ならびに
（ｅ）アミノ酸置換、アミノ酸挿入、アミノ酸欠失、Ｃ末端短縮、およびＮ末
端短縮からなる群より選択される少なくとも１つの改変を有する配列番号２また
は配列番号５のいずれかに示されるアミノ酸配列であって、ここで、このポリペ
プチドは、配列番号２または配列番号５のいずれかに示されるポリペプチドの活
性を有する、アミノ酸配列、
からなる群より選択されるアミノ酸配列を含む、単離されたポリペプチドを提供
する。
【００１２】
Ｓｅｃｓ−１アミノ酸配列を含む融合ポリペプチドもまた、提供される。
【００１３】
本発明はまた、本明細書中に示されるような単離された核酸分子を含む発現ベ
クター、本明細書中に示されるような組換え核酸分子を含む組換え宿主細胞、お
よびＳｅｃｓ−１ポリペプチドを産生する方法を提供し、この方法は、この宿主
細胞を培養する工程、必要に応じてそのように産生されたポリペプチドを単離す
る工程を包含する。
【００１４】
Ｓｅｃｓ−１ポリペプチドをコードする核酸分子を含むトランスジェニック非
ヒト動物もまた、本発明に含まれる。Ｓｅｃｓ−１核酸分子は、Ｓｅｃｓ−１ポ
リペプチドの発現およびＳｅｃｓ−１ポリペプチドの増加したレベル（これは、
増加した循環レベルを含み得る）を可能にする様式で、動物中に導入される。あ
るいは、Ｓｅｃｓ−１核酸分子は、内因性Ｓｅｃｓ−１ポリペプチドの発現を妨
害する様式で動物に導入される（すなわち、Ｓｅｃｓ−１ポリペプチド遺伝子ノ
ックアウトを保有するトランスジェニック動物を作製する）。トランスジェニッ
ク非ヒト動物は、好ましくは哺乳動物であり、より好ましくはげっ歯類（例えば
、ラットまたはマウス）である。
【００１５】
本発明のＳｅｃｓ−１ポリペプチドの誘導体もまた、提供される。
【００１６】
本発明のＳｅｃｓ−１ポリペプチドに特異的に結合し得る選択的結合因子（例
えば、抗体およびペプチド）が、さらに提供される。このような抗体およびペプ
チドは、アゴニスト性であってもアンタゴニスト性であってもよい。
【００１７】
本発明のヌクレオチド、ポリペプチド、もしくは選択的結合因子ならびに１つ
以上の薬学的に受容可能な処方剤を含む薬学的組成物もまた、本発明によって含
まれる。薬学的組成物は、治療有効量の本発明のヌクレオチドまたはポリペプチ
ドを提供するために使用される。本発明はまた、このポリペプチド、核酸分子、
および選択的結合因子を使用する方法に関する。
【００１８】
本発明のＳｅｃｓ−１ポリペプチドおよびＳｅｃｓ−１核酸分子は、疾患およ
び障害（本明細書中に列挙されるものを含む）を処置、予防、改善、および／ま
たは検出するために使用され得る。
【００１９】
本発明はまた、Ｓｅｃｓ−１ポリペプチドに結合する試験分子を同定するため
に、試験分子をアッセイする方法を提供する。この方法は、Ｓｅｃｓ−１ポリペ
プチドを試験分子と接触させて、この試験分子のこのポリペプチドに対する結合
の程度を決定する工程を包含する。この方法はさらに、このような試験分子が、
Ｓｅｃｓ−１ポリペプチドのアゴニストまたはアンタゴニストであるか否かを決
定する工程を包含する。本発明はさらに、Ｓｅｃｓ−１ポリペプチドの発現また
はＳｅｃｓ−１ポリペプチドの活性に対する分子の影響を試験する方法を提供す
る。
【００２０】
Ｓｅｃｓ−１ポリペプチドの発現を調節する方法およびＳｅｃｓ−１ポリペプ
チドのレベルを調節する（すなわち、増加または減少させる）方法もまた、本発
明によって含まれる。１つの方法は、Ｓｅｃｓ−１ポリペプチドをコードする核
酸分子を動物に投与する工程を包含する。別の方法において、Ｓｅｃｓ−１ポリ
ペプチドの発現を調節または調整するエレメントを含む核酸分子が、投与され得
る。これらの方法の例としては、本明細書中にさらに記載されるように、遺伝子
治療、細胞治療、およびアンチセンス治療が挙げられる。
【００２１】
本発明の別の局面において、Ｓｅｃｓ−１ポリペプチドは、そのレセプター（
「Ｓｅｃｓ−１ポリペプチドレセプター」）を同定するために使用され得る。種
々の形態の「発現クローニング」は、タンパク質リガンドに対するレセプターを
クローン化するために広範囲に使用されている。例えば、Ｓｉｍｏｎｓｅｎおよ
びＬｏｄｉｓｈ、１９９４、Ｔｒｅｎｄｓ  Ｐｈａｒｍａｃｏｌ．Ｓｃｉ．１５
：４３７−４１ならびにＴａｒｔａｇｌｉａら、１９９５、Ｃｅｌｌ  ８３：１
２６３−７１を参照のこと。Ｓｅｃｓ−１ポリペプチドレセプターの単離は、Ｓ
ｅｃｓ−１ポリペプチドシグナル伝達経路の新規アゴニストおよびアンタゴニス
トの同定または開発に有用である。このようなアゴニストおよびアンタゴニスト
としては、可溶性Ｓｅｃｓ−１ポリペプチドレセプター、抗Ｓｅｃｓ−１ポリペ
プチドレセプター−選択的結合因子（例えば、抗体またはその誘導体）、低分子
、およびアンチセンスオリゴヌクレオチドが挙げられ、これらのうちのいずれも
が、１つ以上の疾患または障害（本明細書中に開示されるものを含む）の処置に
使用され得る。
【００２２】
本発明は、さらに以下の綱目を提供する：
（項目１）  単離された核酸分子であって、以下：
（ａ）配列番号１または配列番号４のいずれかに示されるヌクレオチド配列；
（ｂ）ＡＴＣＣ受託番号ＰＴＡ−１７５３およびＰＴＡ−１７５５中のＤＮＡ
インサートのヌクレオチド配列；
（ｃ）配列番号２または配列番号５のいずれかに示されるポリペプチドをコー
ドするヌクレオチド配列；
（ｄ）（ａ）〜（ｃ）のいずれかの相補体に、中程度または高度にストリンジ
ェントな条件下でハイブリダイズするヌクレオチド配列；および
（ｅ）（ａ）〜（ｃ）のいずれかに相補的なヌクレオチド配列、
からなる群より選択されるヌクレオチド配列を含む、単離された核酸分子。
（項目２）  単離された核酸分子であって、以下：
（ａ）配列番号２または配列番号５のいずれかに示されるポリペプチドに少な
くとも約７０％同一であるポリペプチドをコードするヌクレオチド配列であって
、ここで、該コードされたポリペプチドは、配列番号２または配列番号５のいず
れかに示されるポリペプチドの活性を有する、ヌクレオチド配列；
（ｂ）配列番号１もしくは配列番号４のいずれかに示されるヌクレオチド配列
、ＡＴＣＣ受託番号ＰＴＡ−１７５３およびＰＴＡ−１７５５中のＤＮＡインサ
ートのヌクレオチド配列、または（ａ）の、対立遺伝子改変体またはスプライス
改変体をコードするヌクレオチド配列；
（ｃ）少なくとも約２５アミノ酸残基のポリペプチドフラグメントをコードす
る、配列番号１もしくは配列番号４のいずれかのヌクレオチド配列、ＡＴＣＣ受
託番号ＰＴＡ−１７５３およびＰＴＡ−１７５５中のＤＮＡインサート、（ａ）
、または（ｂ）の領域であって、ここで、該ポリペプチドフラグメントは、配列
番号２もしくは配列番号５のいずれかに示されるコードされたポリペプチドの活
性を有するか、または抗原性である、ヌクレオチド配列の領域；
（ｄ）少なくとも約１６ヌクレオチドのフラグメントを含む、配列番号１もし
くは配列番号４のいずれかのヌクレオチド配列、ＡＴＣＣ受託番号ＰＴＡ−１７
５３およびＰＴＡ−１７５５中のＤＮＡインサート、または（ａ）〜（ｃ）いず
れかの領域；
（ｅ）中程度または高度にストリンジェントな条件下で、（ａ）〜（ｄ）のい
ずれかの相補体にハイブリダイズする、ヌクレオチド配列；ならびに
（ｆ）（ａ）〜（ｄ）のいずれかに相補的なヌクレオチド配列、
からなる群より選択されるヌクレオチド配列を含む、単離された核酸分子。
（項目３）  単離された核酸分子であって、以下；
（ａ）少なくとも１つの保存的アミノ酸置換を有する配列番号２または配列番
号５のいずれかに示されるポリペプチドをコードするヌクレオチド配列であって
、ここで、該コードされたポリペプチドは、配列番号２または配列番号５のいず
れかに示されるポリペプチドの活性を有する、ヌクレオチド配列；
（ｂ）少なくとも１つのアミノ酸挿入を有する配列番号２または配列番号５の
いずれかに示されるポリペプチドをコードするヌクレオチド配列であって、ここ
で、該コードされたポリペプチドは、配列番号２または配列番号５のいずれかに
示されるポリペプチドの活性を有する、ヌクレオチド配列；
（ｃ）少なくとも１つのアミノ酸欠失を有する配列番号２または配列番号５の
いずれかに示されるポリペプチドをコードするヌクレオチド配列であって、ここ
で、該コードされたポリペプチドは、配列番号２または配列番号５のいずれかに
示されるポリペプチドの活性を有する、ヌクレオチド配列；
（ｄ）Ｃ末端短縮および／またはＮ末端短縮を有する配列番号２または配列番
号５のいずれかに示されるポリペプチドをコードするヌクレオチド配列であって
、ここで、該コードされたポリペプチドは、配列番号２または配列番号５のいず
れかに示されるポリペプチドの活性を有する、ヌクレオチド配列；
（ｅ）アミノ酸置換、アミノ酸挿入、アミノ酸欠失、Ｃ末端短縮、およびＮ末
端短縮からなる群より選択される少なくとも１つの改変を有する配列番号２また
は配列番号５のいずれかに示されるポリペプチドをコードするヌクレオチド配列
であって、ここで、該コードされたポリペプチドは、配列番号２または配列番号
５のいずれかに示されるポリペプチドの活性を有する、ヌクレオチド配列；
（ｆ）少なくとも約１６ヌクレオチドのフラグメントを含む（ａ）〜（ｅ）の
いずれかのヌクレオチド配列；
（ｇ）中程度または高度にストリンジェントな条件下で、（ａ）〜（ｆ）のい
ずれかの相補体にハイブリダイズする、ヌクレオチド配列；ならびに
（ｈ）（ａ）〜（ｅ）のいずれかに相補的なヌクレオチド配列、
からなる群より選択されるヌクレオチド配列を含む、単離された核酸分子。
（項目４）  項目１、項目２または項目３のいずれかに記載の核酸
分子を含む、ベクター。
（項目５）  項目４に記載のベクターを含む、宿主細胞。
（項目６）  真核生物細胞である、項目５に記載の宿主細胞。
（項目７）  原核生物細胞である、項目５に記載の宿主細胞。
（項目８）  Ｓｅｃｓ−１ポリペプチドを産生するプロセスであって、該ポリペ
プチドを発現するために適切な条件下で項目５に記載の宿主細胞を培養する工程、
および必要に応じて、該培養物から該ポリペプチドを単離する工程を
包含する、プロセス。
（項目９）  項目８に記載のプロセスによって産生される、ポリペプチド。
（項目１０）  項目８に記載のプロセスであって、ここで、前記核酸分子が、前
記Ｓｅｃｓ−１ポリペプチドをコードするＤＮＡに作動可能に連結された、ネイ
ティブなＳｅｃｓ−１ポリペプチドに対するプロモーターＤＮＡ以外のプロモー
ターＤＮＡを含む、プロセス。
（項目１１）  項目２に記載の単離された核酸分子であって、ここで、同一性パ
ーセントは、ＧＡＰ、ＢＬＡＳＴＮ、ＦＡＳＴＡ、ＢＬＡＳＴＡ、ＢＬＡＳＴＸ、
ＢｅｓｔＦｉｔ、およびＳｍｉｔｈ−Ｗａｔｅｒｍａｎアルゴリズムからなる群
より選択されるコンピュータープログラムを用いて決定される、単離された核酸
分子。
（項目１２）  化合物がＳｅｃｓ−１ポリペプチド活性またはＳｅｃｓ−１ポリ
ペプチド産生を阻害するか否かを決定するためのプロセスであって、項目５、項
目６、または項目７のいずれかに記載の細胞を該化合物に曝露する工程、および
該細胞におけるＳｅｃｓ−１ポリペプチド活性またはＳｅｃｓ−１ポリペプチド
産生を測定する工程を包含する、プロセス。
（項目１３）  単離されたポリペプチドであって、以下：
（ａ）配列番号２または配列番号５のいずれかに示されるアミノ酸配列；およ
び
（ｂ）ＡＴＣＣ受託番号ＰＴＡ−１７５３およびＰＴＡ−１７５５中のＤＮＡ
インサートによってコードされるアミノ酸配列、
からなる群より選択されるアミノ酸配列を含む、単離されたポリペプチド。
（項目１４）  単離されたポリペプチドであって、以下：
（ａ）配列番号３または配列番号６のいずれかに示されるアミノ酸配列であっ
て、必要に応じてアミノ末端メチオニンをさらに含む、アミノ酸配列；
（ｂ）配列番号２または配列番号５のいずれかのオルソログに対するアミノ酸
配列；
（ｃ）配列番号２または配列番号５のいずれかのアミノ酸配列に少なくとも約
７０％同一であるアミノ酸配列であって、ここで、該ポリペプチドは、配列番号
２または配列番号５のいずれかに示されるポリペプチドの活性を有する、アミノ
酸配列；
（ｄ）少なくとも約２５アミノ酸残基を含む配列番号２または配列番号５のい
ずれかに示されるアミノ酸配列のフラグメントであって、ここで、該フラグメン
トは、配列番号２または配列番号５のいずれかに示されるポリペプチドの活性を
有するか、または抗原性である、フラグメント；ならびに
（ｅ）配列番号２もしくは配列番号５のいずれかに示されるアミノ酸配列、Ａ
ＴＣＣ受託番号ＰＴＡ−１７５３およびＰＴＡ−１７５５中のＤＮＡインサート
によってコードされるアミノ酸配列、または（ａ）〜（ｃ）のいずれかの、対立
遺伝子改変体またはスプライス改変体のアミノ酸配列、
からなる群より選択されるアミノ酸配列を含む、単離されたポリペプチド。
（項目１５）  単離されたポリペプチドであって、以下：
（ａ）少なくとも１つの保存的アミノ酸置換を有する配列番号２または配列番
号５のいずれかに示されるアミノ酸配列であって、ここで、該ポリペプチドは、
配列番号２または配列番号５のいずれかに示されるポリペプチドの活性を有する
、アミノ酸配列；
（ｂ）少なくとも１つのアミノ酸挿入を有する配列番号２または配列番号５の
いずれかに示されるアミノ酸配列であって、ここで、該ポリペプチドは、配列番
号２または配列番号５のいずれかに示されるポリペプチドの活性を有する、アミ
ノ酸配列；
（ｃ）少なくとも１つのアミノ酸欠失を有する配列番号２または配列番号５の
いずれかに示されるアミノ酸配列であって、ここで、該ポリペプチドは、配列番
号２または配列番号５のいずれかに示されるポリペプチドの活性を有する、アミ
ノ酸配列；
（ｄ）Ｃ末端短縮および／またはＮ末端短縮を有する配列番号２または配列番
号５のいずれかに示されるアミノ酸配列であって、ここで、該ポリペプチドは、
配列番号２または配列番号５のいずれかに示されるポリペプチドの活性を有する
、アミノ酸配列；ならびに
（ｅ）アミノ酸置換、アミノ酸挿入、アミノ酸欠失、Ｃ末端短縮、およびＮ末
端短縮からなる群より選択される少なくとも１つの改変を有する配列番号２また
は配列番号５のいずれかに示されるアミノ酸配列であって、ここで、該ポリペプ
チドは、配列番号２または配列番号５のいずれかに示されるポリペプチドの活性
を有する、アミノ酸配列、
からなる群より選択されるアミノ酸配列を含む、単離されたポリペプチド。
（項目１６）  項目１、項目２、または項目３のいずれかに記載の核酸分子によ
ってコードされる単離されたポリペプチドであって、ここで、該ポリペプチドは、
配列番号２または配列番号５のいずれかに示されるポリペプチドの活性を有する、
単離されたポリペプチド。
（項目１７）  項目１４に記載の単離されたポリペプチドであって、ここで、同
一性パーセントは、ＧＡＰ、ＢＬＡＳＴＰ、ＦＡＳＴＡ、ＢＬＡＳＴＡ、ＢＬＡ
ＳＴＸ、ＢｅｓｔＦｉｔ、およびＳｍｉｔｈ−Ｗａｔｅｒｍａｎアルゴリズムか
らなる群より選択されるコンピュータープログラムを用いて決定される、単離さ
れたポリペプチド。
（項目１８）  項目１３、項目１４、または項目１５のいずれかに記載のポリペ
プチドに特異的に結合する、選択的結合因子またはそのフラグメント。
（項目１９）  配列番号２もしくは配列番号５のいずれかに示されるアミノ酸配
列を含むポリペプチド、またはそのフラグメントに特異的に結合する、項目１８
に記載の選択的結合因子またはそのフラグメント。
（項目２０）  抗体またはそのフラグメントである、項目１８に記載の選択的結
合因子。
（項目２１）  ヒト化抗体である、項目１８に記載の選択的結合因子。
（項目２２）  ヒト抗体またはそのフラグメントである、項目１８に記載の選択
的結合因子。
（項目２３）  ポリクローナル抗体またはそのフラグメントである、項目１８に
記載の選択的結合因子。
（項目２４）  モノクローナル抗体またはそのフラグメントである、項目１８に
記載の選択的結合因子。
（項目２５）  キメラ抗体またはそのフラグメントである、項目１８に記載の選
択的結合因子。
（項目２６）  ＣＤＲ接続抗体またはそのフラグメントである、項目１８に記載
の選択的結合因子。
（項目２７）  抗イディオタイプ抗体またはそのフラグメントである、項目１８
に記載の選択的結合因子。
（項目２８）  可変領域フラグメントである、項目１８記載の選択的結合因子。
（項目２９）  ＦａｂフラグメントまたはＦａｂ’フラグメントである、項目２
８に記載の可変領域フラグメント。
（項目３０）  配列番号２または配列番号５のいずれかのアミノ酸配列を有する
ポリペプチドに特異性を有する少なくとも１つの相補性決定領域を含む、選択的
結合因子またはそのフラグメント。
（項目３１）  検出可能標識に結合される、項目１８に記載の選択的結合因子。
（項目３２）  Ｓｅｃｓ−１ポリペプチドの生物学的活性を拮抗する、項目１８
に記載の選択的結合因子。
（項目３３）  Ｓｅｃｓ−１ポリペプチド関連の疾患、状態、または障害を、処
置、予防、または改善するための方法であって、項目１８に記載の選択的結合因
子の有効量を患者に投与する工程を包含する、方法。
（項目３４）  配列番号２または配列番号５のいずれかのアミノ酸配列を含むポ
リペプチドで動物を免疫することによって産生される、選択的結合因子。
（項目３５）  項目１、項目２、または項目３のいずれかに記載のポリペプチド
に結合し得る選択的結合因子を産生する、ハイブリドーマ。
（項目３６）  項目１８に記載の抗Ｓｅｃｓ−１抗体またはフラグメントを用い
て、Ｓｅｃｓ−１ポリペプチドの量を検出または定量する方法。
（項目３７）  項目１３、項目１４、または項目１５のいずれかに記載のポリペ
プチド、および薬学的に受容可能な処方剤を含む、組成物。
（項目３８）  前記薬学的に受容可能な処方剤が、キャリア、アジュバント、溶
解剤、安定剤、または抗酸化剤である、項目３７に記載の組成物。
（項目３９）  前記ポリペプチドが、配列番号３または配列番号６のいずれかに
示されるアミノ酸配列を含む、項目３７に記載の組成物。
（項目４０）  項目１３、項目１４、または項目１５のいずれかに記載のポリペ
プチドの誘導体を含む、ポリペプチド。
（項目４１）  水溶性ポリマーを用いて共有結合的に改変された、項目４０に記
載のポリペプチド。
（項目４２）  項目４１に記載のポリペプチドであって、ここで、前記水溶性ポ
リマーが、ポリエチレングリコール、モノメトキシポリエチレングリコール、デ
キストラン、セルロース、ポリ−（Ｎ−ビニルピロリドン）ポリエチレングリコ
ール、プロピレングリコールホモポリマー、ポリプロピレンオキシド／エチレン
オキシドコポリマー、ポリオキシエチル化ポリオール、およびポリビニルアルコ
ールからなる群より選択される、ポリペプチド。
（項目４３）  項目１、項目２、または項目３のいずれかに記載の核酸分子およ
び薬学的に受容可能な処方剤を含む、組成物。
（項目４４）  前記核酸分子が、ウイルスベクター中に含まれる、項目４３に記
載の組成物。
（項目４５）  項目１、項目２、または項目３のいずれかに記載の核酸分子を含
む、ウイルスベクター。
（項目４６）  異種アミノ酸配列に融合された、項目１３、項目１４、または項
目１５のいずれかに記載のポリペプチドを含む、融合ポリペプチド。
（項目４７）  前記異種アミノ酸配列が、ＩｇＧ定常ドメインまたはそのフラグ
メントである、項目４６に記載の融合ポリペプチド。
（項目４８）  医学的状態を処置、予防、または改善するための方法であって、
項目１３、項目１４、もしくは項目１５のいずれかに記載のポリペプチド、また
は項目１、項目２、もしくは項目３のいずれかに記載の核酸によってコードされ
るポリペプチドを患者に投与する工程を包含する、方法。
（項目４９）  処置、予防または改善される前記医学的状態が、造血障害、骨粗
しょう症、大理石骨病、骨形成不全症、ページエット病、歯周病、高カルシウム
血症、急性糸球体腎炎、慢性糸球体腎炎、癌、糖尿病、肥満、または悪液質であ
る、項目４８に記載の方法。
（項目５０）  被験体において病的状態または病的状態に対する感受性を診断す
る方法であって、以下：
（ａ）サンプル中の、項目１３、項目１４、もしくは項目１５のいずれかに記
載のポリペプチド、または項目１、項目２、もしくは項目３のいずれかに記載の
核酸分子によってコードされるポリペプチドの、発現の存在または発現量を決定
する工程；および
（ｂ）該ポリペプチドの発現の存在または発現量に基づいて、病的状態または
病的状態に対する感受性を診断する工程、
を包含する、方法。
（項目５１）  デバイスであって、以下：
（ａ）移植に適した膜；および
（ｂ）該膜内にカプセル化された細胞であって、該細胞は、項目１３、項目１
４、もしくは項目１５のいずれかに記載のタンパク質を分泌する、細胞；
を備え、
該膜は、該タンパク質に対して透過性であり、そして該細胞に有害な物質に対
して不透過性である、デバイス。
（項目５２）  Ｓｅｃｓ−１ポリペプチドに結合する化合物を同定する方法であ
って、以下：
（ａ）項目１３、項目１４、もしくは項目１５のいずれかに記載のポリペプチ
ドを、化合物と接触させる工程；および
（ｂ）該化合物に対する該Ｓｅｃｓ−１ポリペプチドの結合の程度を決定する
工程、
を包含する、方法。
（項目５３）  前記化合物に結合した場合に、前記ポリペプチドの活性を決定す
る工程をさらに包含する、項目５２に記載の方法。
（項目５４）  動物においてポリペプチドのレベルを調節する方法であって、項
目１、項目２、または項目３のいずれかに記載の核酸分子を該動物に投与する工
程を包含する、方法。
（項目５５）  項目１、項目２、または項目３のいずれかに記載の核酸分子を含
む、トランスジェニック非ヒト哺乳動物。
（項目５６）  化合物がＳｅｃｓ−１ポリペプチド活性またはＳｅｃｓ−１ポリ
ペプチド産生を阻害するか否かを決定するためのプロセスであって、項目５５に
記載のトランスジェニック哺乳動物を該化合物に曝露する工程、および該哺乳動
物におけるＳｅｃｓ−１ポリペプチド活性またはＳｅｃｓ−１ポリペプチド産生
を測定する工程を包含する、プロセス。
【発明の効果】
【００２３】
本発明により、診断的な利点または治療的な利点を有する、新規ポリペプチド
およびこれらをコードする核酸分子を同定することが、可能である。
【発明を実施するための最良の形態】
【００２４】
（発明の詳細な説明）
本明細書中で使用される節の表題は、体系的な目的のみのためであり、そして
、そこに記載される内容を限定するようには解釈されるべきではない。本願にお
いて列挙される全ての参考文献は、明確に本明細書中に参考として援用される。
【００２５】
（定義）
用語「Ｓｅｃｓ−１遺伝子」または「Ｓｅｃｓ−１核酸分子」あるいは「Ｓｅ
ｃｓ−１ポリヌクレオチド」とは、配列番号１または配列番号４のいずれかに示
されるようなヌクレオチド配列、配列番号２または配列番号５のいずれかに示さ
れるようなポリペプチドをコードするヌクレオチド配列、ＡＴＣＣ受託番号ＰＴ
Ａ−１７５３またはＰＴＡ−１７５５におけるＤＮＡ挿入物のヌクレオチド配列
、または本明細書中で定義されるような核酸分子を含むか、あるいはこれらから
なる核酸分子をいう。
【００２６】
用語「Ｓｅｃｓ−１ポリペプチド対立遺伝子改変体」とは、生物体または生物
体の集団の染色体の所定の遺伝子座を占める遺伝子の、天然に存在する可能ない
くつかの代替的形態のうちの１つをいう。
【００２７】
用語「Ｓｅｃｓ−１ポリペプチドスプライス改変体」とは、配列番号２または
配列番号５のいずれかに示されるようなＳｅｃｓ−１ポリペプチドのアミノ酸配
列のＲＮＡ転写物中のイントロン配列の選択的プロセシングによって生成される
、核酸分子（通常はＲＮＡ）をいう。
【００２８】
用語「単離された核酸分子」とは、（１）総核酸が供給源細胞から単離される
場合に、天然で一緒に見出されるタンパク質、脂質、炭水化物、または他の物質
のうち少なくとも約５０パーセントから分離された本発明の核酸分子、（２）「
単離された核酸分子」が天然で連結しているポリヌクレオチドの全てまたは一部
に連結していない本発明の核酸分子、（３）天然では連結しないポリヌクレオチ
ドに作動可能に連結した本発明の核酸分子、あるいは（４）より大きなポリヌク
レオチド配列の一部として、天然には存在しない本発明の核酸分子をいう。好ま
しくは、本発明の単離された核酸分子は、天然に結合される少なくとも１つの混
入核酸分子を実質的に含まない。好ましくは、本発明の単離された核酸分子は、
その天然の環境において見出される任意の他の夾雑核酸分子または他の夾雑物（
これらは、ポリペプチド産生における使用、または治療的使用、診断的使用、予
防的使用、または研究的使用を妨げる）を実質的に含まない。
【００２９】
用語「核酸配列」または「核酸分子」は、ＤＮＡ配列またはＲＮＡ配列をいう
。この用語は、ＤＮＡおよびＲＮＡの公知の塩基アナログのいずれかから形成さ
れる分子を含み、例えば、以下であるがこれらに限定されない：４−アセチルシ
トシン、８−ヒドロキシ−Ｎ６−メチルアデノシン、アジリジニル−シトシン、
プソイドイソシトシン（ｐｓｅｕｄｏｉｓｏｃｙｔｏｓｉｎｅ）、５−（カルボ
キシヒドロキシルメチル）ウラシル、５−フルオロウラシル、５−ブロモウラシ
ル、５−カルボキシメチルアミノメチル−２−チオウラシル、５−カルボキシメ
チルアミノメチルウラシル、ジヒドロウラシル、イノシン、Ｎ６−イソ−ペンテ
ニルアデニン、１−メチルアデニン、１−メチルプソイドウラシル、１−メチル
グアニン、１−メチルイノシン、２，２−ジメチル−グアニン、２−メチルアデ
ニン、２−メチルグアニン、３−メチルシトシン、５−メチルシトシン、Ｎ６−
メチルアデニン、７−メチルグアニン、５−メチルアミノメチルウラシル、５−
メトキシアミノ−メチル−２−チオウラシル、β−Ｄ−マンノシルキューオシン
（β−Ｄ−ｍａｎｎｏｓｙｌｑｕｅｏｓｉｎｅ）、５'−メトキシカルボニル−
メチルウラシル、５−メトキシウラシル、２−メチルチオ−Ｎ６−イソペンテニ
ルアデニン、ウラシル−５−オキシ酢酸メチルエステル、ウラシル−５−オキシ
酢酸、オキシブトキソシン（ｏｘｙｂｕｔｏｘｏｓｉｎｅ）、プソイドウラシル
、キューオシン、２−チオシトシン、５−メチル−２−チオウラシル、２−チオ
ウラシル、４−チオウラシル、５−メチルウラシル、Ｎ−ウラシル−５−オキシ
酢酸メチルエステル、ウラシル−５−オキシ酢酸、プソイドウラシル、キューオ
シン、２−チオシトシン、および２，６−ジアミノプリン。
【００３０】
用語「ベクター」は、宿主細胞にコード情報を伝達するために使用される任意
の分子（例えば、核酸、プラスミド、またはウイルス）をいうために使用される
。  用語「発現ベクター」は、宿主細胞の形質転換使用に適切であり、そして挿
入された異種核酸配列の発現を、指示および／または制御する核酸配列を含むベ
クターをいう。発現としては、転写、翻訳、およびＲＮＡスプライシング（イン
トロンが存在する場合）のようなプロセスが挙げられるがこれらに限定されない
。
【００３１】
用語「作動可能に連結された」は、隣接配列の配置をいうために本明細書中で
、使用され、ここで、このように記載される隣接配列は、その通常の機能を行う
ように構成または構築される。従って、コード配列に作動可能に連結した隣接配
列は、このコード配列の複製、転写および／または翻訳に影響を及ぼし得る。例
えば、コード配列は、プロモーターがコード配列の転写を指示し得る場合に、こ
のプロモーターに作動可能に連結される。隣接配列は、これが正確に機能する限
り、コード配列と隣接する必要はない。従って、例えば、介在する非翻訳性であ
るが転写される配列が、プロモーター配列とコード配列との間に存在し得、そし
てこのプロモーター配列は、なおこのコード配列に「作動可能に連結」されてい
るとみなされ得る。
【００３２】
用語「宿主細胞」は、核酸配列で形質転換されたか、または形質転換され得、
次いで目的の選択された遺伝子を発現し得る細胞をいうために使用される。この
用語は、選択された遺伝子が存在する限り、子孫が形態学または遺伝子構造にお
いて本来の親と同一であろうとなかろうと、親細胞の子孫を含む。
【００３３】
用語「Ｓｅｃｓ−１ポリペプチド」とは、配列番号２または配列番号５のいず
れかのアミノ酸配列を含むポリペプチド、および関連ポリペプチドをいう。関連
ポリペプチドとしては、Ｓｅｃｓ−１ポリペプチドフラグメント、Ｓｅｃｓ−１
ポリペプチドオルソログ、Ｓｅｃｓ−１ポリペプチド改変体、およびＳｅｃｓ−
１ポリペプチド誘導体が挙げられ、これは、配列番号２または配列番号５のいず
れかに記載されるポリペプチドの少なくとも１つの活性を有する。Ｓｅｃｓ−１
ポリペプチドは、本明細書中で定義されるような成熟ポリペプチドであり得、そ
してこれらが調製される方法に依存して、アミノ末端メチオニン残基を有しても
有さなくてもよい。
【００３４】
用語「Ｓｅｃｓ−１ポリペプチドフラグメント」とは、配列番号２または配列
番号５のいずれかに示されるようなポリペプチドの、アミノ末端（リーダー配列
を有するかもしくは有さない）での短縮および／またはカルボキシル末端での短
縮を含むポリペプチドをいう。用語「Ｓｅｃｓ−１ポリペプチドフラグメント」
はまた、Ｓｅｃｓ−１ポリペプチドオルソログ、Ｓｅｃｓ−１ポリペプチド誘導
体、もしくはＳｅｃｓ−１ポリペプチド改変体の、アミノ末端での短縮および／
もしくはカルボキシル末端での短縮をいうか、またはＳｅｃｓ−１ポリペプチド
対立遺伝子改変体もしくはＳｅｃｓ−１ポリペプチドスプライス改変体によって
コードされるポリペプチドのアミノ末端での短縮および／またはカルボキシル末
端での短縮をいう。Ｓｅｃｓ−１ポリペプチドフラグメントは、選択的ＲＮＡス
プライシング、またはインビボプロテアーゼ活性から生じ得る。Ｓｅｃｓ−１ポ
リペプチドの膜結合形態もまた、本発明によって意図される。好ましい実施形態
において、短縮および／または欠失は、約１０アミノ酸、または約２０アミノ酸
、または約３０アミノ酸、または約４０アミノ酸、または約５０アミノ酸、また
は約６０アミノ酸、または約７０アミノ酸を含む。このように生成されるポリペ
プチドフラグメントは、約２５個連続したアミノ酸、または約５０アミノ酸、ま
たは約７５アミノ酸、または約１００アミノ酸、または約１５０アミノ酸または
約２００アミノ酸を含む。このようなＳｅｃｓ−１ポリペプチドフラグメントは
、必要に応じて、アミノ末端メチオニン残基を含み得る。このようなフラグメン
トは、例えば、Ｓｅｃｓ−１ポリペプチドに対する抗体を作製するために使用さ
れ得ることが理解される。
【００３５】
用語「Ｓｅｃｓ−１ポリペプチドオルソログ」とは、配列番号２または配列番
号５のいずれかに示されるようなＳｅｃｓ−１ポリペプチドのアミノ酸配列に対
応する、別の種由来のポリペプチドをいう。例えば、マウスおよびヒトのＳｅｃ
ｓ−１ポリペプチドは、互いにオルソログであるとみなされる。
【００３６】
用語「Ｓｅｃｓ−１ポリペプチド改変体」とは、配列番号２または配列番号５
のいずれか（リーダー配列を有するかまたは有さない）に示されるＳｅｃｓ−１
ポリペプチドのアミノ酸配列と比較して、１つ以上のアミノ酸配列の置換、欠失
（例えば、内部欠失および／もしくはＳｅｃｓ−１ポリペプチドフラグメント）
、ならびに／または付加（例えば、内部付加および／もしくはＳｅｃｓ−１融合
ポリペプチド）を有するアミノ酸配列を含むＳｅｃｓ−１ポリペプチドをいう。
改変体は、天然に存在（例えば、Ｓｅｃｓ−１ポリペプチド対立遺伝子改変体、
Ｓｅｃｓ−１ポリペプチドオルソログ、およびＳｅｃｓ−１ポリペプチドスプラ
イス改変体）し得るか、あるいは、人工的に構築され得る。このようなＳｅｃｓ
−１ポリペプチド改変体は、配列番号１または配列番号４のいずれかに示される
ようなＤＮＡ配列からそれに応じて変化するＤＮＡ配列を有する、対応する核酸
分子から調製され得る。好ましい実施形態において、この改変体は、１〜３、ま
たは１〜５、または１〜１０、または１〜１５、または１〜２０、または１〜２
５、または１〜３０、または１〜４０、または１〜５０、または５０より多くの
アミノ酸の置換、挿入、付加、および／あるいは欠失を有し、ここで、この置換
は、保存的、または非保存的、あるいはそのいずれかの組み合わせであり得る。
【００３７】
用語「Ｓｅｃｓ−１ポリペプチド誘導体」は、配列番号２または配列番号５の
いずれかに示されるようなポリペプチド、本明細書中で定義されるような、Ｓｅ
ｃｓ−１ポリペプチドフラグメント、Ｓｅｃｓ−１ポリペプチドオルソログ、ま
たはＳｅｃｓ−１ポリペプチド改変体をいい、これらは、化学的に改変されてい
る。用語「Ｓｅｃｓ−１ポリペプチド誘導体」はまた、本明細書中で定義される
ような、Ｓｅｃｓ−１ポリペプチド対立遺伝子改変体またはＳｅｃｓ−１ポリペ
プチドスプライス改変体によってコードされるポリペプチドをいい、これらは、
化学的に改変されている。
【００３８】
用語「成熟Ｓｅｃｓ−１ポリペプチド」は、リーダー配列を欠失したＳｅｃｓ
−１ポリペプチドをいう。成熟Ｓｅｃｓ−１ポリペプチドはまた、他の改変（例
えば、アミノ末端（リーダー配列を有するかまたは有さない）および／またはカ
ルボキシ末端のタンパク質分解性プロセシング、より大きな前駆体からのより小
さなポリペプチドの切断、Ｎ結合型および／またはＯ結合型グリコシル化など）
を含み得る。例示的な成熟Ｓｅｃｓ−１ポリペプチドは、配列番号３および配列
番号６のアミノ酸配列によって示される。
【００３９】
用語「Ｓｅｃｓ−１融合ポリペプチド」は、配列番号２または配列番号５のい
ずれかに示されるようなポリペプチド、本明細書中で定義されるような、Ｓｅｃ
ｓ−１ポリペプチドフラグメント、Ｓｅｃｓ−１ポリペプチドオルソログ、Ｓｅ
ｃｓ−１ポリペプチド改変体、またはＳｅｃｓ−１誘導体のアミノ末端またはカ
ルボキシ末端での、１つ以上のアミノ酸の融合（例えば、異種ペプチドまたはポ
リペプチド）をいう。用語「Ｓｅｃｓ−１融合ポリペプチド」はまた、本明細書
中で定義されるような、Ｓｅｃｓ−１ポリペプチド対立遺伝子改変体またはＳｅ
ｃｓ−１ポリペプチドスプライス改変体によってコードされるポリペプチドのア
ミノ末端またはカルボキシ末端での、１つ以上のアミノ酸の融合をいう。
【００４０】
用語「生物学的に活性なＳｅｃｓ−１ポリペプチド」は、配列番号２または配
列番号５のいずれかのアミノ酸配列を含むＳｅｃｓ−１ポリペプチドの少なくと
も１つの活性特徴を有するＳｅｃｓ−１ポリペプチドをいう。さらに、Ｓｅｃｓ
−１ポリペプチドは、免疫原として活性であり得る；すなわち、Ｓｅｃｓ−１ポ
リペプチドは、抗体が惹起され得る少なくとも１つのエピトープを含む。
【００４１】
用語「単離されたポリペプチド」とは、（１）細胞供給源から単離される場合
に、天然で一緒に見出されるポリヌクレオチド、脂質、炭水化物、または他の物
質の少なくとも約５０％から分離されている本発明のポリペプチド、（２）「単
離されたポリペプチド」が天然で連結するポリペプチドの全てまたは一部に（共
有結合的または非共有結合的相互作用によって）連結しない、本発明のポリペプ
チド、（３）天然には連結しないポリペプチドに（共有結合的または非共有結合
的相互作用によって）作動可能に連結される、本発明のポリペプチド、あるいは
（４）天然には存在しない本発明のポリペプチドをいう。好ましくは、その天然
の環境において見出される少なくとも１つの混入ポリペプチドまたは他の混入物
を実質的に含まない。好ましくは、この単離されたポリペプチドは、その天然の
環境において見出される任意の他の夾雑ポリペプチドまたは他の夾雑物（これは
、その治療的使用、診断的使用、予防的使用、または研究的使用を妨げる）を実
質的に含まない。
【００４２】
用語「同一性」とは、当該分野で公知のように、配列の比較によって決定され
る、２つ以上のポリペプチド分子または２つ以上の核酸分子の配列間の関係をい
う。当該分野において、「同一性」はまた、場合に応じて、２つ以上のヌクレオ
チド配列または２つ以上のアミノ酸配列間の一致によって決定されるように、核
酸分子またはポリペプチド間の配列関連性の程度を意味する。「同一性」は、２
つ以上の配列のうちのより小さなものと、特定の数理的モデルまたはコンピュー
タプログラム（すなわち、「アルゴリズム」）によって位置づけられたギャップ
アラインメント（存在する場合）との間の、同一の一致のパーセントを評価する
。
【００４３】
用語「類似性」は、「同一性」とは同類の概念であるが、対照的に「類似性」
は、同一の一致および保存的置換の一致の両方を含む関係の測定をいう。２つの
ポリペプチド配列が、例えば１０／２０個同一のアミノ酸を有し、そして残りが
全て非保存的置換である場合、同一性パーセントおよび類似性パーセントは、ど
ちらも５０％である。同じ例において、保存的置換が存在する位置がさらに５つ
存在する場合、同一性パーセントは５０％のままであるが、類似性パーセントは
７５％（１５／２０）である。従って、保存的置換が存在する場合、２つのポリ
ペプチド間の類似性の程度は、これらの２つのポリペプチド間のパーセント同一
性よりも高い。
【００４４】
用語「天然に存在する」または「ネイティブの」は、核酸分子、ポリペプチド
、宿主細胞などのような生物学的物質と関連して使用される場合、天然において
見出され、そしてヒトによって操作されていない物質をいう。同様に、「天然に
存在しない」または「ネイティブではない」は、本明細書中で使用される場合、
天然で見出されないか、またはヒトによって構造的に改変もしくは合成されてい
る物質をいう。
【００４５】
用語「有効量」および「治療有効量」は、本明細書中に示されるようなＳｅｃ
ｓ−１ポリペプチドの１つ以上の生物学的活性の観察可能なレベルを支持するた
めに使用されるＳｅｃｓ−１ポリペプチドまたはＳｅｃｓ−１核酸分子の量をい
う。
【００４６】
用語「薬学的に受容可能なキャリア」または「生理学的に受容可能なキャリア
」は、本明細書中で使用される場合、薬学的組成物としてのＳｅｃｓ−１ポリペ
プチド、Ｓｅｃｓ−１核酸分子、またはＳｅｃｓ−１選択的結合因子の送達の達
成または増強に適切な１つ以上の処方材料をいう。
【００４７】
用語「抗原」とは、選択的結合因子（例えば、抗体）により結合され得、そし
てさらに動物において使用されて、その抗原のエピトープに結合し得る抗体を産
生し得る分子または分子の一部をいう。抗原は、１つ以上のエピトープを有し得
る。
【００４８】
用語「選択的結合因子」とは、Ｓｅｃｓ−１ポリペプチドに特異性を有する分
子をいう。本明細書中で使用される場合、用語「特異的」および「特異性」とは
、選択的結合因子が、ヒトＳｅｃｓ−１ポリペプチドに結合し、かつヒト非Ｓｅ
ｃｓ−１ポリペプチドに結合しない能力をいう。しかし、選択的結合因子がまた
、配列番号２または配列番号５のいずれかに示されるようなポリペプチドのオル
ソログ（すなわち、その種間のバージョン（例えば、マウスポリペプチドおよび
ラットポリペプチド））に結合し得ることが、理解される。
【００４９】
用語「形質導入」とは、通常はファージによる１つの細菌から別の細菌への遺
伝子の伝達をいうために使用される。「形質導入」はまた、レトロウイルスによ
る真核生物細胞配列の獲得および伝達をいう。
【００５０】
用語「トランスフェクション」は、細胞による外来ＤＮＡまたは外因性ＤＮＡ
の取り込みをいうために使用され、そして細胞は、外因性ＤＮＡが細胞膜内に導
入された場合には「トランスフェクト」されている。多数のトランスフェクショ
ン技術は、当該分野で周知であり、そして本明細書中に開示される。例えば、Ｇ
ｒａｈａｍら，１９７３  Ｖｉｒｏｌｏｇｙ  ５２：４５６；Ｓａｍｂｒｏｏｋ
ら，Ｍｏｌｅｃｕｌａｒ  Ｃｌｏｎｉｎｇ，Ａ  Ｌａｂｏｒａｔｏｒｙ  Ｍａｎ
ｕａｌ（Ｃｏｌｄ  Ｓｐｒｉｎｇ  Ｈａｒｂｏｒ  Ｌａｂｏｒａｔｏｒｉｅｓ，
１９８９）；Ｄａｖｉｓら，Ｂａｓｉｃ  Ｍｅｔｈｏｄｓ  ｉｎ  Ｍｏｌｅｃｕ
ｌａｒ  Ｂｉｏｌｏｇｙ（Ｅｌｓｅｖｉｅｒ，１９８６）；およびＣｈｕら，１
９８１、Ｇｅｎｅ  １３：１９７を参照のこと。このような技術を使用して、１
つ以上の外因性ＤＮＡ部分を適切な宿主細胞に導入し得る。
【００５１】
本明細書中で使用される場合、用語「形質転換」とは、細胞の遺伝的特徴にお
ける変化をいい、そして細胞は、新しいＤＮＡを含有するように改変された場合
に形質転換されている。例えば、細胞は、それがそのネイティブな状態から遺伝
的に改変される場合に形質転換される。トランスフェクションまたは形質導入に
続いて、形質転換ＤＮＡは、物理的に細胞の染色体に組み込むことにより細胞の
ＤＮＡと組換わり得るか、複製されることなしにエピソームエレメントとして一
過的に保持され得るか、またはプラスミドとして独立的に複製し得る。ＤＮＡが
細胞分裂と共に複製される場合に、細胞は、安定に形質転換されたとみなされる
。
【００５２】
（核酸分子および／またはポリペプチドの関連性）
関連した核酸分子が、配列番号１または配列番号４のいずれかの核酸分子の対
立遺伝子改変体またはスプライス改変体を含むこと、および上記のヌクレオチド
配列のいずれかに相補的である配列を含むことが理解される。関連した核酸分子
はまた、配列番号２または配列番号５のいずれかにおけるポリペプチドと比較し
て１以上のアミノ酸残基の置換、改変、付加および／または欠失を含むかまたは
本質的にこれからなるポリペプチドをコードするヌクレオチド配列を含む。この
ような関連したＳｅｃｓ−１ポリペプチドは、例えば、１以上のＮ−連結もしく
はＯ−連結グリコシル化部位の付加および／もしくは欠失、または１以上のシス
テイン残基の付加および／もしくは欠失を含み得る。
【００５３】
関連した核酸分子はまた、配列番号２または配列番号５のいずれかのＳｅｃｓ
−１ポリペプチドの少なくとも約２５個連続したアミノ酸、または少なくとも約
３０個のアミノ酸、または約４０個のアミノ酸、または約５０個のアミノ酸、ま
たは約６０個のアミノ酸、または約７０個のアミノ酸、または７０個より多くの
アミノ酸残基のポリペプチドをコードする、Ｓｅｃｓ−１核酸分子のフラグメン
トを包含する。
【００５４】
さらに、関連したＳｅｃｓ−１核酸分子はまた、本明細書中で定義したとおり
の中程度または高度にストリンジェントな条件下で、配列番号１もしくは配列番
号４のいずれかのＳｅｃｓ−１核酸分子またはポリペプチドをコードする分子の
十分に相補的な配列とハイブリダイズするヌクレオチド配列を含む分子を包含し
、このポリペプチドは、配列番号２もしくは配列番号５、または本明細書中に定
義したとおりの核酸フラグメント、または本明細書中に定義したとおりのポリペ
プチドをコードする核酸フラグメントのいずれかに示されるアミノ酸配列を含む
。ハイブリダイゼーションプローブは、本明細書中に提供されるＳｅｃｓ−１配
列を用いてｃＤＮＡライブラリー、ゲノムＤＮＡライブラリーまたは合成ＤＮＡ
ライブラリーを関連した配列についてスクリーニングするために調製され得る。
Ｓｅｃｓ−１ポリペプチドのＤＮＡ配列および／またはアミノ酸配列のうちの、
既知配列に対して顕著な同一性を示す領域は、本明細書中に記載されるとおりの
配列アラインメントアルゴリズムを用いて容易に決定され、そしてこれらの領域
を用いて、スクリーニングのためのプローブを設計し得る。
【００５５】
用語「高度にストリンジェントな条件」とは、配列が非常に相補的であるＤＮ
Ａ鎖のハイブリダイゼーションを許容し、かつ顕著に不一致のＤＮＡのハイブリ
ダイゼーションを排除するように設計された条件をいう。ハイブリダイゼーショ
ンのストリンジェンシーは、温度、イオン強度および変性剤（例えば、ホルムア
ミド）の濃度によって主に決定される。ハイブリダイゼーションおよび洗浄につ
いての「高度にストリンジェントな条件」の例は、６５〜６８℃での０．０１５
Ｍ塩化ナトリウム、０．００１５Ｍクエン酸ナトリウムまたは４２℃での０．０
１５Ｍ塩化ナトリウム、０．００１５Ｍクエン酸ナトリウムおよび５０％ホルム
アミドである。Ｓａｍｂｒｏｏｋ，ＦｒｉｔｓｃｈおよびＭａｎｉａｔｉｓ，Ｍ
ｏｌｅｃｕｌａｒ  Ｃｌｏｎｉｎｇ：Ａ  Ｌａｂｏｒａｔｏｒｙ  Ｍａｎｕａｌ
（第２版，Ｃｏｌｄ  Ｓｐｒｉｎｇ  Ｈａｒｂｏｒ  Ｌａｂｏｒａｔｏｒｙ，１
９８９）；Ａｎｄｅｒｓｏｎら，Ｎｕｃｌｅｉｃ  Ａｃｉｄ  Ｈｙｂｒｉｄｉｓ
ａｔｉｏｎ：Ａ  Ｐｒａｃｔｉｃａｌ  Ａｐｐｒｏａｃｈ  第４章（ＩＲＬ  Ｐ
ｒｅｓｓ  Ｌｉｍｉｔｅｄ）を参照のこと。
【００５６】
よりストリンジェントな条件（例えば、より高い温度、より低いイオン強度、
より高いホルムアミドまたは他の変性剤）もまた用いられ得るが、ハイブリダイ
ゼーションの速度が影響される。他の薬剤は、非特異的および／またはバックグ
ラウンドのハイブリダイゼーションを減少させる目的のために、ハイブリダイゼ
ーションおよび洗浄の緩衝液中に含まれ得る。例は、０．１％ウシ血清アルブミ
ン、０．１％ポリビニルピロリドン、０．１％ピロリン酸ナトリウム、０．１％
ドデシル硫酸ナトリウム、ＮａＤｏｄＳＯ４、（ＳＤＳ）、ｆｉｃｏｌｌ、デン
ハルト溶液、超音波処理サケ精子ＤＮＡ（または別の非相補的ＤＮＡ）および硫
酸デキストランであるが、他の適切な薬剤もまた用いられ得る。これらの添加剤
の濃度および種類は、ハイブリダイゼーション条件のストリンジェンシーに実質
的に影響を与えることなく変更され得る。ハイブリダイゼーション実験は通常、
ｐＨ６．８〜７．４で実施される；しかし、代表的なイオン強度の条件では、ハ
イブリダイゼーションの速度は、ｐＨからほぼ独立する。Ａｎｄｅｒｓｏｎら，
Ｎｕｃｌｅｉｃ  Ａｃｉｄ  Ｈｙｂｒｉｄｉｓａｔｉｏｎ：Ａ  Ｐｒａｃｔｉｃ
ａｌ  Ａｐｐｒｏａｃｈ第４章（ＩＲＬ  Ｐｒｅｓｓ  Ｌｉｍｉｔｅｄ）を参照
のこと。
【００５７】
ＤＮＡ二重鎖の安定性に影響を与える因子としては、塩基組成、長さおよび塩
基対の不一致程度が挙げられる。ハイブリダイゼーション条件は、これらの変動
要因を適応させ、そして異なる配列関連性のＤＮＡがハイブリッドを形成するの
を可能にするために当業者によって調整され得る。完全に一致したＤＮＡ二重鎖
の融解温度は、以下の方程式によって評価され得る：
Ｔｍ（℃）＝８１．５＋１６．６（ｌｏｇ［Ｎａ＋］）＋０．４１（Ｇ＋Ｃ％
）−６００／Ｎ−０．７２（％ホルムアミド）
ここで、Ｎは、形成される二重鎖の長さであり、［Ｎａ＋］は、ハイブリダイゼ
ーション溶液または洗浄溶液中のナトリウムイオンのモル濃度であり、Ｇ＋Ｃ％
は、ハイブリッド中での（グアニン＋シトシン）塩基の百分率である。不完全に
一致したハイブリッドについては、融解温度は、１％の不一致毎に約１℃下げら
れる。
【００５８】
用語「中程度にストリンジェントな条件」とは、「高度にストリンジェントな
条件」下で生じ得るよりも高い程度の塩基対不一致を有するＤＮＡ二重鎖が形成
され得る条件をいう。代表的な「中程度にストリンジェントな条件」の例は、５
０〜６５℃での０．０１５Ｍ塩化ナトリウム、０．００１５Ｍクエン酸ナトリウ
ムまたは３７〜５０℃での０．０１５Ｍ塩化ナトリウム、０．００１５Ｍクエン
酸ナトリウムおよび２０％ホルムアミドである。例示として、０．０１５Ｍナト
リウムイオン中での５０℃という「中程度にストリンジェントな条件」は、約２
１％の不一致を可能にする。
【００５９】
「高度にストリンジェントな条件」と「中程度にストリンジェントな条件」と
の間に絶対的な区別が存在しないことが当業者によって認識される。例えば、０
．０１５Ｍナトリウムイオン（ホルムアミドなし）では、完全に一致した長さの
ＤＮＡの融解温度は、約７１℃である。６５℃で（同じイオン強度で）の洗浄を
用いると、約６％の不一致が可能になる。より関連性の遠い配列を捕獲するため
に、当業者は、単純に、温度を低くし得るかまたはイオン強度を高くし得る。
【００６０】
約２０ｎｔまでのオリゴヌクレオチドプローブについての１Ｍ  ＮａＣｌ＊中
での融解温度の良好な評価は、以下によって与えられる：
Ｔｍ＝Ａ−Ｔ塩基対あたり２℃  ＋  Ｇ−Ｃ塩基対あたり４℃
＊６×塩クエン酸ナトリウム（ＳＳＣ）中でのナトリウムイオン濃度は、１Ｍで
ある。Ｓｕｇｇｓら，Ｄｅｖｅｌｏｐｍｅｎｔａｌ  Ｂｉｏｌｏｇｙ  Ｕｓｉｎ
ｇ  Ｐｕｒｉｆｉｅｄ  Ｇｅｎｅｓ  ６８３（ＢｒｏｗｎおよびＦｏｘ編，１９
８１）を参照のこと。
【００６１】
オリゴヌクレオチドについての高度ストリンジェンシー洗浄条件は通常、６×
ＳＳＣ、０．１％  ＳＤＳ中でのそのオリゴヌクレオチドのＴｍよりも０℃〜５
℃低い温度においてである。
【００６２】
別の実施形態では、関連した核酸分子は、配列番号１もしくは配列番号４のい
ずれかに示されるとおりのヌクレオチド配列に対して少なくとも約７０パーセン
ト同一であるヌクレオチド配列を含むかもしくはこれからなるか、または配列番
号２もしくは配列番号５のいずれかに示すとおりのポリペプチドに対して少なく
とも約７０パーセント同一であるポリペプチドをコードするヌクレオチド配列を
含むかもしくは本質的にこれからなる。好ましい実施形態では、ヌクレオチド配
列は、配列番号１もしくは配列番号４のいずれかに示されるとおりのヌクレオチ
ド配列に対して約７５パーセント、もしくは約８０パーセント、もしくは約８５
パーセント、もしくは約９０パーセント、もしくは約９５、９６、９７、９８、
もしくは９９パーセント同一であるか、またはヌクレオチド配列は、配列番号２
もしくは配列番号５のいずれかに示されるとおりのポリペプチド配列に対して約
７５パーセント、もしくは約８０パーセント、もしくは約８５パーセント、もし
くは約９０パーセント、もしくは約９５、９６、９７、９８、もしくは９９パー
セント同一であるポリペプチドをコードする。関連した核酸分子は、配列番号２
または配列番号５のいずれかに示されるポリペプチドの少なくとも１つの活性を
保有するポリペプチドをコードする。
【００６３】
核酸配列における相違は、配列番号２または配列番号５のいずれかのアミノ酸
配列と比較して、アミノ酸配列の保存的改変および／または非保存的改変をもた
らし得る。
【００６４】
配列番号２または配列番号５のいずれかのアミノ酸配列に対する保存的改変（
およびコードするヌクレオチドに対する、対応する改変）は、Ｓｅｃｓ−１ポリ
ペプチドの機能的特徴および化学的特徴と類似の機能的特徴および化学的特徴を
有するポリペプチドを生じる。対照的に、Ｓｅｃｓ−１ポリペプチドの機能的特
徴および／または化学的特徴における実質的な改変は、以下を維持することに対
するその影響が顕著に異なる、配列番号２または配列番号５のいずれかのアミノ
酸配列における置換を選択することによって達成され得る：（ａ）例えば、シー
トコンホメーションもしくはヘリックスコンホメーションのような、置換領域に
おける分子骨格の構造、（ｂ）標的部位での分子の電荷もしくは疎水性、または
（ｃ）側鎖のかさ。
【００６５】
例えば、「保存的アミノ酸置換」は、その位置でのアミノ酸残基の極性にも電
荷にもほとんど影響がないかまたは全く影響がないような、非ネイティブ残基に
よるネイティブなアミノ酸残基の置換を含み得る。さらに、ポリペプチド中の任
意のネイティブな残基はまた、「アラニンスキャニング変異誘発」について以前
に記載されたように、アラニンで置換され得る。
【００６６】
保存的アミノ酸置換はまた、生物学的系における合成によるよりむしろ、化学
的なペプチド合成によって代表的に組み込まれる、天然には存在しないアミノ酸
残基を含む。これらとしては、ペプチド模倣物、およびアミノ酸部分の他の逆転
形態または反転形態が挙げられる。
【００６７】
天然に存在する残基は、共通の側鎖特性に基づいて、複数のクラスに分割され
得る：
１）疎水性：ノルロイシン、Ｍｅｔ、Ａｌａ、Ｖａｌ、Ｌｅｕ、Ｉｌｅ；
２）中性親水性：Ｃｙｓ、Ｓｅｒ、Ｔｈｒ；
３）酸性：Ａｓｐ、Ｇｌｕ；
４）塩基性：Ａｓｎ、Ｇｌｎ、Ｈｉｓ、Ｌｙｓ、Ａｒｇ；
５）鎖の配向に影響を与える残基：Ｇｌｙ、Ｐｒｏ；および
６）芳香族：Ｔｒｐ、Ｔｙｒ、Ｐｈｅ。
【００６８】
例えば、非保存的置換は、これらのクラスのうちの１つのメンバーの、別のク
ラス由来のメンバーに対する交換を包含し得る。このような置換された残基は、
非ヒトＳｅｃｓ−１ポリペプチドと相同なヒトＳｅｃｓ−１ポリペプチドの領域
またはこの分子の非相同領域に導入され得る。
【００６９】
このような変化を行う際に、アミノ酸のヒドロパシー指数が考慮され得る。各
アミノ酸は、その疎水性特性および電荷特性に基づいて、ヒドロパシー指数を割
り当てられている。ヒドロパシー指数は、以下である：イソロイシン（＋４．５
）；バリン（＋４．２）；ロイシン（＋３．８）；フェニルアラニン（＋２．８
）；システイン／シスチン（＋２．５）；メチオニン（＋１．９）；アラニン（
＋１．８）；グリシン（−０．４）；スレオニン（−０．７）；セリン（−０．
８）；トリプトファン（−０．９）；チロシン（−１．３）；プロリン（−１．
６）；ヒスチジン（−３．２）；グルタミン酸（−３．５）；グルタミン（−３
．５）；アスパラギン酸（−３．５）；アスパラギン（−３．５）；リジン（−
３．９）；およびアルギニン（−４．５）。
【００７０】
タンパク質に対する相互作用的な生物学的機能を確認する際の、ヒドロパシー
アミノ酸指数の重要性は、当該分野において一般的に理解されている（Ｋｙｔｅ
ら、１９８２，Ｊ．Ｍｏｌ．Ｂｉｏｌ．１５７：１０５−３１）。特定のアミノ
酸が、類似のヒドロパシー指数またはスコアを有する他のアミノ酸に代えて置換
され得、そして依然として類似の生物学的活性を維持し得ることが、公知である
。ヒドロパシー指数に基づいて変化を起こす際に、ヒドロパシー指数が±２以内
であるアミノ酸の置換が好ましく、±１以内であるものが特に好ましく、そして
±０．５以内であるものが、なおより特に好ましい。
【００７１】
類似のアミノ酸の置換が親水性に基づいて効果的になされ得る（特に、これに
よって作製された生物学的機能的に等価なタンパク質またはペプチドが、この場
合においてと同様に、免疫学的実施形態における使用に関して考慮される場合）
こともまた、当該分野において理解されている。タンパク質の最も大きな局所的
平均親水性は、その隣接するアミノ酸の親水性によって支配される場合に、その
免疫原性および抗原性、すなわち、そのタンパク質の生物学的特性に相関する。
【００７２】
以下の親水性の値が、これらのアミノ酸残基に割り当てられた：アルギニン（
＋３．０）；リジン（＋３．０）；アスパラギン酸（＋３．０±１）；グルタミ
ン酸（＋３．０±１）；セリン（＋０．３）；アスパラギン（＋０．２）；グル
タミン（＋０．２）；グリシン（０）；スレオニン（−０．４）；プロリン（−
０．５±１）；アラニン（−０．５）；ヒスチジン（−０．５）；システイン（
−１．０）；メチオニン（−１．３）；バリン（−１．５）；ロイシン（−１．
８）；イソロイシン（−１．８）；チロシン（−２．３）；フェニルアラニン（
−２．５）；およびトリプトファン（−３．４）。類似の親水性の値に基づいて
変化を行う際に、親水性値が±２以内であるアミノ酸の置換が好ましく、±ｌ以
内であるものが特に好ましく、そして±０．５以内であるものが、なおより特に
好ましい。一次アミノ酸配列から、エピトープをまた、親水性に基づいて同定し
得る。これらの領域はまた、「エピトープコア領域」と呼ばれる。
【００７３】
所望のアミノ酸置換（保存的であれ非保存的であれ）は、当業者によって、こ
のような置換が所望される時点で決定され得る。例えば、アミノ酸置換を使用し
て、Ｓｅｃｓ−１ポリペプチドの重要な残基を同定し得るか、または本明細書中
に記載されるＳｅｃｓ−１ポリペプチドの親和性を増加もしくは減少させ得る。
例示的なアミノ酸置換は、表Ｉに記載される。
【００７４】
【表１】
2007054072.tif 000002
当業者は、配列番号２または配列番号５のいずれかに示される通りのポリペプ
チドの適切な改変体を、周知の技術を使用して、決定し得る。生物学的活性を破
壊することなく変化され得る分子の適切な領域を同定するために、当業者は、活
性のために重要であるとは考えられない領域を標的化し得る。例えば、同じ種由
来かまたは他の種由来の、類似の活性を有する類似のポリペプチドが既知である
場合には、当業者は、Ｓｅｃｓ−１ポリペプチドのアミノ酸配列を、このような
類似のポリペプチドと比較し得る。このような比較を用いて、類似のポリペプチ
ド間で保存される分子の残基および部分を同定し得る。このような類似のポリペ
プチドに対して保存されていない、Ｓｅｃｓ−１分子の領域における変化が、Ｓ
ｅｃｓ−１ポリペプチドの生物学的活性および／または構造にさほど不利に影響
を与えるようではないことが、理解される。当業者にはまた、比較的保存された
領域においてさえ、化学的に類似のアミノ酸を、活性を維持しながら天然に存在
する残基に代わって置換し得ることが公知である（保存的アミノ酸残基置換）。
従って、生物学的活性または構造のために重要であり得る領域でさえ、生物学的
活性を破壊することなく、またはポリペプチド構造に不利に影響を与えることな
く、保存的アミノ酸置換に供され得る。
【００７５】
さらに、当業者は、活性または構造のために重要である、類似のポリペプチド
における残基を同定する、構造−機能研究を再調査し得る。このような比較の観
点において、類似のポリペプチドにおける活性または構造のために重要なアミノ
酸残基に対応するＳｅｃｓ−１ポリペプチドにおける、アミノ酸残基の重要性を
予測し得る。当業者は、Ｓｅｃｓ−１ポリペプチドのこのような予測された重要
なアミノ酸残基に代わる化学的に類似のアミノ酸置換を、選択し得る。
【００７６】
当業者はまた、類似のポリペプチドにおける三次元構造およびその構造に関連
するアミノ酸配列を分析し得る。このような情報の観点において、当業者は、Ｓ
ｅｃｓ−１ポリペプチドのアミノ酸残基のアライメントを、その三次元構造に関
して予測し得る。当業者は、そのタンパク質の表面上に存在すると予測されるア
ミノ酸残基に対する急激な変化を起こさないように、選択し得る。なぜなら、こ
のような残基は、他の分子との重要な相互作用に関与し得るからである。さらに
、当業者は、単一のアミノ酸置換を各アミノ酸残基に含む、試験改変体を生成し
得る。これらの改変体は、当業者に公知の活性アッセイを使用して、スクリーニ
ングされ得る。このような改変体は、適切な改変体に関する情報を集めるために
使用され得る。例えば、特定のアミノ酸残基に対する変化が、破壊された活性、
望ましくなく減少した活性、または適切でない活性を生じたことを発見した場合
には、このような変化を有する改変体は、回避される。換言すれば、このような
慣用的な実験から集めた情報に基づいて、当業者は、さらなる置換が、単独でか
または他の変異と組み合わせてかのいずれかで回避されるべきであるアミノ酸を
、容易に決定し得る。
【００７７】
多数の科学刊行物が、二次構造の推定に充てられてきた。Ｍｏｕｌｔ，１９９
６，Ｃｕｒｒ．Ｏｐｉｎ．Ｂｉｏｔｅｃｈｎｏｌ．７：４２２−２７；Ｃｈｏｕ
ら、１９７４，Ｂｉｏｃｈｅｍｉｓｔｒｙ  １３：２２２−４５；Ｃｈｏｕら、
１９７４，Ｂｉｏｃｈｅｍｉｓｔｒｙ  １１３：２１１−２２；Ｃｈｏｕら、１
９７８，Ａｄｖ．Ｅｎｚｙｍｏｌ．Ｒｅｌａｔ．Ａｒｅａｓ  Ｍｏｌ．Ｂｉｏｌ
．４７：４５−４８；Ｃｈｏｕら、１９７８，Ａｎｎ．Ｒｅｖ．Ｂｉｏｃｈｅｍ
．４７：２５１−２７６；およびＣｈｏｕら、１９７９，Ｂｉｏｐｈｙｓ．Ｊ．
２６：３６７−８４を参照のこと。さらに、コンピュータプログラムが、二次構
造の推定を補助するために、現在利用可能である。二次構造を推定する１つの方
法は、相同性モデリングに基づく。例えば、３０％より大きな配列同一性または
４０％より大きな類似性を有する、２つのポリペプチドまたはタンパク質は、し
ばしば、類似の構造トポロジーを有する。タンパク質構造データベース（ＰＤＢ
）の近年の成長は、二次構造（ポリペプチドまたはタンパク質の構造における可
能な折り畳みの数を含む）の増強された予測性を提供してきた。Ｈｏｌｍら、１
９９９，Ｎｕｃｌｅｉｃ  Ａｃｉｄｓ  Ｒｅｓ．２７：２４４−４７を参照のこ
と。所定のポリペプチドまたはタンパク質において制限された数の折り畳みが存
在すること、および一旦、臨界数の構造が解明されると、構造推定は劇的により
正確となることが、示唆されてきた（Ｂｒｅｎｎｅｒら、１９９７，Ｃｕｒｒ．
Ｏｐｉｎ．Ｓｔｒｕｃｔ．Ｂｉｏｌ．７：３６９−７６）。
【００７８】
二次構造を推定するさらなる方法としては、「スレッディング（ｔｈｒｅａｄ
ｉｎｇ）」（Ｊｏｎｅｓ，１９９７，Ｃｕｒｒ．Ｏｐｉｎ．Ｓｔｒｕｃｔ．Ｂｉ
ｏｌ．７：３７７−８７；Ｓｉｐｐｌら、１９９６，Ｓｔｒｕｃｔｕｒｅ  ４：
１５−１９）、「プロフィール分析」（Ｂｏｗｉｅら、１９９１，Ｓｃｉｅｎｃ
ｅ，２５３：１６４−７０；Ｇｒｉｂｓｋｏｖら、１９９０，Ｍｅｔｈｏｄｓ  
Ｅｎｚｙｍｏｌ．１８３：１４６−５９；Ｇｒｉｂｓｋｏｖら、１９８７，Ｐｒ
ｏｃ．Ｎａｔ．Ａｃａｄ．Ｓｃｉ．Ｕ．Ｓ．Ａ．８４：４３５５−５８）、およ
び「進化学的連鎖」（Ｈｏｌｍら、前出、およびＢｒｅｎｎｅｒら、前出を参照
のこと）が挙げられる。
【００７９】
好ましいＳｅｃｓ−１ポリペプチド改変体としては、グリコシル化部位の数お
よび／または型が、配列番号２または配列番号５のいずれかに記載のアミノ酸配
列と比較して変化している、グリコシル化改変体が挙げられる。１つの実施形態
において、Ｓｅｃｓ−１ポリペプチド改変体は、配列番号２または配列番号５の
いずれかに記載のアミノ酸配列より多いかまたはより少ない数のＮ結合型グリコ
シル化部位を含む。Ｎ結合型グリコシル化部位は、配列Ａｓｎ−Ｘ−Ｓｅｒまた
はＡｓｎ−Ｘ−Ｔｈｒによって特徴付けられ、ここで、Ｘと印されるアミノ酸残
基は、プロリン以外の任意のアミノ酸残基であり得る。この配列を作製するため
のアミノ酸残基の置換は、Ｎ結合型糖鎖の付加のための潜在的な新たな部位を提
供する。あるいは、この配列を排除する置換は、存在するＮ結合型糖鎖を除去す
る。１つ以上のＮ連結グリコシル化部位（代表的に、天然に存在するグリコシル
化部位）が排除され、そして１つ以上の新たなＮ結合部位が作製される、Ｎ結合
型糖鎖の再配列もまた、提供される。さらなる好ましいＳｅｃｓ−１改変体とし
ては、１つ以上のシステイン残基が、配列番号２または配列番号５のいずれかに
記載のアミノ酸配列と比較して欠失しているか、または別のアミノ酸（例えば、
セリン）で置換されている、システイン改変体が挙げられる。システイン改変体
は、Ｓｅｃｓ−１ポリペプチドが、例えば不溶性の封入体の単離の後に、生物学
的に活性な立体構造へとリフォールディングされなければならない場合に、有用
である。システイン改変体は、一般に、ネイティブタンパク質より少ないシステ
イン残基を有し、そして代表的には偶数のシステイン残基を有し、対合していな
いシステインから生じる相互作用を最小にする。
【００８０】
他の実施形態において、関連する核酸分子は、少なくとも１つのアミノ酸挿入
を有しかつポリペプチドが配列番号２または配列番号５のいずれかに記載のポリ
ペプチドの活性を有する、配列番号２または配列番号５のいずれかに記載のポリ
ペプチドをコードするヌクレオチド配列を含むかもしくはこの配列からなるか、
あるいは少なくとも１つのアミノ酸欠失を有しかつポリペプチドが配列番号２ま
たは配列番号５のいずれかに記載のポリペプチドの活性を有する、配列番号２ま
たは配列番号５のいずれかに記載のポリペプチドをコードするヌクレオチド配列
を含むかもしくはこの配列からなる。関連する核酸分子はまた、ポリペプチドが
カルボキシル末端および／またはアミノ末端の短縮を有しかつさらにこのポリペ
プチドが、配列番号２または配列番号５のいずれかに記載のポリペプチドの活性
を有する、配列番号２または配列番号５のいずれかに記載のポリペプチドをコー
ドするヌクレオチド配列を、含むかまたはこの配列からなる。関連する核酸分子
はまた、アミノ酸置換、アミノ酸挿入、アミノ酸欠失、カルボキシル末端短縮、
およびアミノ末端短縮からなる群より選択される少なくとも１つの改変を含み、
そしてここで、ポリペプチドが配列番号２または配列番号５のいずれかに記載の
ポリペプチドの活性を有する、配列番号２または配列番号５のいずれかに記載の
ポリペプチドをコードするヌクレオチド配列を、含むかまたはこの配列からなる
。
【００８１】
さらに、配列番号２または配列番号５のいずれかのアミノ酸配列を含むポリペ
プチドあるいは他のＳｅｃｓ−１ポリペプチドは、同種ポリペプチドに融合して
ホモダイマーを形成し得るか、あるいは異種ポリペプチドに融合してヘテロダイ
マーを形成し得る。異種のペプチドおよびポリペプチドとしては、以下が挙げら
れるが、それらに限定されない：Ｓｅｃｓ−１融合ポリペプチドの検出および／
または単離を可能にするエピトープ；膜貫通レセプタータンパク質またはその部
分（例えば、細胞外ドメインまたは膜貫通ドメインおよび細胞内ドメイン）；膜
貫通レセプタータンパク質に結合する、リガンドまたはその部分；触媒的に活性
である、酵素またはその部分；オリゴマー化を促進するポリペプチドまたはペプ
チド（例えば、ロイシンジッパードメイン）；安定性を増加させるポリペプチド
またはペプチド（例えば、免疫グロブリン定常領域）；ならびに配列番号２また
は配列番号５のいずれかに記載のアミノ酸配列を含むポリペプチドあるいは別の
Ｓｅｃｓ−１ポリペプチドとは異なる治療活性を有する、ポリペプチド。
【００８２】
融合は、配列番号２または配列番号５のいずれかに記載のアミノ酸配列を含む
ポリペプチド、あるいは他のＳｅｃｓ−１ポリペプチドの、アミノ末端またはカ
ルボキシル末端のいずれかにおいて、なされ得る。融合は、リンカーもアダプタ
ー分子も用いずに直接であっても、リンカーもしくはアダプター分子を介してで
あってもよい。リンカーまたはアダプター分子は、１つ以上のアミノ酸残基であ
り得、代表的に、約２０〜約５０アミノ酸残基である。ＤＮＡ制限エンドヌクレ
アーゼまたはプロテアーゼに対する切断部位を有するリンカーまたはアダプター
分子がまた、設計されて、融合した部分の分離を可能にし得る。一旦構築される
と、融合ポリペプチドは、本明細書中に記載の方法に従って誘導体化され得るこ
とが、理解される。
【００８３】
本発明のさらなる実施形態において、配列番号２または配列番号５のいずれか
のアミノ酸配列を含むポリペプチド、あるいは他のＳｅｃｓ−１ポリペプチドは
、ヒトＩｇＧのＦｃ領域の１つ以上のドメインに融合する。抗体は、以下の機能
的に独立した２つの部分を含む；抗原を結合する「Ｆａｂ」として公知の可変ド
メイン、ならびに相補的活性化および食作用細胞による攻撃のようなエフェクタ
ー機能に関与する、「Ｆｃ」として公知の定常ドメイン。Ｆｃは、長い血清半減
期を有し、一方でＦａｂは、短寿命である。Ｃａｐｏｎら、１９８９，Ｎａｔｕ
ｒｅ  ３３７：５２５−３１。治療タンパク質と一緒に構築される場合には、Ｆ
ｃドメインは、より長い半減期を提供し得るか、またはＦｃレセプター結合、プ
ロテインＡ結合、補体結合、および恐らく、胎盤移入のような機能を組み込み得
る。同書。表ＩＩは、当該分野において公知の特定のＦｃ融合物の使用を要約す
る。
【００８４】
【表２】
2007054072.tif 000003
一例において、ヒトＩｇＧのヒンジ領域、ＣＨ２領域、およびＣＨ３領域は、
当業者に公知の方法を使用して、Ｓｅｃｓ−１ポリペプチドのアミノ末端または
カルボキシル末端のいずれかにおいて、融合し得る。別の例において、ヒトＩｇ
Ｇのヒンジ領域、ＣＨ２領域、およびＣＨ３領域は、Ｓｅｃｓ−１ポリペプチド
フラグメント（例えば、Ｓｅｃｓ−１ポリペプチドの推定細胞外部分）のアミノ
末端またはカルボキシル末端のいずれかにおいて、融合し得る。
【００８５】
得られるＳｅｃｓ−１融合ポリペプチドは、プロテインＡアフィニティーカラ
ムの使用によって、精製され得る。Ｆｃ領域に融合したペプチドおよびタンパク
質は、融合していない対応物より実質的に長いインビボでの半減期を示すことが
見出された。また、Ｆｃ領域への融合は、融合ポリペプチドの二量化／多量体化
を可能にする。Ｆｃ領域は、天然に存在するＦｃ領域であり得るか、または治療
品質、循環時間、もしくは減少した凝集のような特定の品質を改善するよう変更
され得る
関連する核酸分子およびポリペプチドの同一性および類似性は、公知の方法に
よって容易に計算される。このような方法としては、Ｃｏｍｐｕｔａｔｉｏｎａ
ｌ  Ｍｏｌｅｃｕｌａｒ  Ｂｉｏｌｏｇｙ（Ａ．Ｍ．Ｌｅｓｋ編、Ｏｘｆｏｒｄ
Ｕｎｉｖｅｒｓｉｔｙ  Ｐｒｅｓｓ  １９８８）；Ｂｉｏｃｏｍｐｕｔｉｎｇ
：Ｉｎｆｏｒｍａｔｉｃｓ  ａｎｄ  Ｇｅｎｏｍｅ  Ｐｒｏｊｅｃｔｓ（Ｄ．Ｗ
．Ｓｍｉｔｈ編、Ａｃａｄｅｍｉｃ  Ｐｒｅｓｓ  １９９３）；Ｃｏｍｐｕｔｅ
ｒ  Ａｎａｌｙｓｉｓ  ｏｆ  Ｓｅｑｕｅｎｃｅ  Ｄａｔａ（Ｐａｒｔ  １，Ａ
．Ｍ．ＧｒｉｆｆｉｎおよびＨ．Ｇ．Ｇｒｉｆｆｉｎ編、Ｈｕｍａｎａ  Ｐｒｅ
ｓｓ  １９９４）；Ｇ．ｖｏｎ  Ｈｅｉｎｌｅ，Ｓｅｑｕｅｎｃｅ  Ａｎａｌｙ
ｓｉｓ  ｉｎ  Ｍｏｌｅｃｕｌａｒ  Ｂｉｏｌｏｇｙ（Ａｃａｄｅｍｉｃ  Ｐｒ
ｅｓｓ  １９８７）；Ｓｅｑｕｅｎｃｅ  Ａｎａｌｙｓｉｓ  Ｐｒｉｍｅｒ（Ｍ
．ＧｒｉｂｓｋｏｖおよびＪ．Ｄｅｖｅｒｅｕｘ編、Ｍ．Ｓｔｏｃｋｔｏｎ  Ｐ
ｒｅｓｓ  １９９１）；ならびにＣａｒｉｌｌｏら、１９８８，ＳＩＡＭ  Ｊ．
Ａｐｐｌｉｅｄ  Ｍａｔｈ．，４８：１０７３に記載されるものが挙げられるが
、これらに限定されない。
【００８６】
同一性および／または類似性を決定するための好ましい方法は、試験される配
列間での最大の適合を与えるために、設計される。同一性および類似性を決定す
るための方法は、公共に利用可能なコンピュータプログラムにおいて記載されて
いる。２つの配列間の同一性および類似性を決定するための、好ましいコンピュ
ータプログラム方法としては、ＧＣＧプログラムパッケージ（ＧＡＰ（Ｄｅｖｅ
ｒｅｕｘら、１９８４，Ｎｕｃｌｅｉｃ  Ａｃｉｄｓ  Ｒｅｓ．１２：３８７；
Ｇｅｎｅｔｉｃｓ  Ｃｏｍｐｕｔｅｒ  Ｇｒｏｕｐ，Ｕｎｉｖｅｒｓｉｔｙ  ｏ
ｆ  Ｗｉｓｃｏｎｓｉｎ，Ｍａｄｉｓｏｎ，ＷＩ）、ＢＬＡＳＴＰ、ＢＬＡＳＴ
Ｎ、およびＦＡＳＴＡ（Ａｌｔｓｃｈｕｌら、１９９０，Ｊ．Ｍｏｌ．Ｂｉｏｌ
．２１５：４０３−１０）を含む）が挙げられるが、これらに限定されない。Ｂ
ＬＡＳＴＸプログラムは、Ｎａｔｉｏｎａｌ  Ｃｅｎｔｅｒ  ｆｏｒ  Ｂｉｏｔ
ｅｃｈｎｏｌｏｇｙ  Ｉｎｆｏｒｍａｔｉｏｎ（ＮＣＢＩ）および他の供給源（
Ａｌｔｓｃｈｕｌら、ＢＬＡＳＴ  Ｍａｎｕａｌ（ＮＣＢ  ＮＬＭ  ＮＩＨ，Ｂ
ｅｔｈｅｓｄａ，ＭＤ）；Ａｌｔｓｃｈｕｌら、１９９０、前出）から公共に利
用可能である。周知のＳｍｉｔｈ  Ｗａｔｅｒｍａｎアルゴリズムもまた、同一
性を決定するために使用され得る。
【００８７】
２つのアミノ酸配列を整列させるための特定のアライメントスキームは、これ
ら２つの配列の短い領域のみの適合を生じ得、そしてこの小さな整列領域は、２
つの全長配列間に有意な関連がない場合でさえも、非常に高い配列同一性を有し
得る。従って、好ましい実施形態において、選択された整列方法（ＧＡＰプログ
ラム）は、特許請求されるポリペプチドの少なくとも５０の連続するアミノ酸に
わたる整列を生じる。
【００８８】
例えば、コンピュータアルゴリズムＧＡＰ（Ｇｅｎｅｔｉｃｓ  Ｃｏｍｐｕｔ
ｅｒ  Ｇｒｏｕｐ，Ｕｎｉｖｅｒｓｉｔｙ  ｏｆ  Ｗｉｓｃｏｎｓｉｎ，Ｍａｄ
ｉｓｏｎ，ＷＩ）を使用して、配列同一性の百分率が決定されるべき２つのポリ
ペプチドが、それらのそれぞれのアミノ酸の最適な適合（アルゴリズムによって
決定される「適合したスパン」）のために、整列される。ギャップオープニング
ペナルティー（ｇａｐ  ｏｐｅｎｉｎｇ  ｐｅｎａｌｔｙ）（これは、平均対角
の３倍として計算される：「平均対角」とは、使用される比較行列（ｃｏｍｐａ
ｒｉｓｏｎ  ｍａｔｒｉｘ）の対角の平均である；「対角」とは、特定の比較行
列によって各完全なアミノ酸適合に対して割り当てられたスコアまたは数である
）およびギャップエクステンションペナルティー（ｇａｐ  ｅｘｔｅｎｓｉｏｎ
ｐｅｎａｌｔｙ）（これは通常、キャップオープニングペナルティーの０．１
倍である）、ならびにＰＡＭ  ２５０またはＢＬＯＳＵＭ  ６２のような比較行
列が、このアルゴリズムと組み合わせて使用される。標準的な比較行列もまた、
このアルゴリズムによって使用される（Ｄａｙｈｏｆｆら、５  Ａｔｌａｓ  ｏ
ｆ  Ｐｒｏｔｅｉｎ  Ｓｅｑｕｅｎｃｅ  ａｎｄ  Ｓｔｒｕｃｔｕｒｅ（補遺３
１９７８）（ＰＡＭ２５０比較行列）；Ｈｅｎｉｋｏｆｆら、１９９２，Ｐｒ
ｏｃ．Ｎａｔｌ．Ａｃａｄ．Ｓｃｉ  ＵＳＡ  ８９：１０９１５−１９（ＢＬＯ
ＳＵＭ  ６２比較行列）を参照のこと）。
【００８９】
ポリペプチド配列比較のための好ましいパラメータは、以下を含む：
Ａｌｇｏｒｉｔｈｍ：Ｎｅｅｄｌｅｍａｎ  ａｎｄ  Ｗｕｎｓｃｈ，１９７０
，Ｊ．Ｍｏｌ．Ｂｉｏｌ．４８：４４３−５３；
Ｃｏｍｐａｒｉｓｏｎ  ｍａｔｒｉｘ：ＢＬＯＳＵＭ  ６２（Ｈｅｎｉｋｏｆ
ｆら、前出）；
Ｇａｐ  Ｐｅｎａｌｔｙ：１２
Ｇａｐ  Ｌｅｎｇｔｈ  Ｐｅｎａｌｔｙ：４
Ｔｈｒｅｓｈｏｌｄ  ｏｆ  Ｓｉｍｉｌａｒｉｔｙ：０
このＧＡＰプログラムは、上記パラメータを用いて有用である。上記パラメータ
は、ＧＡＰアルゴリズムを用いるポリペプチド比較（末端ギャップに対してはペ
ナルティーがないこととともに）のためのデフォルトパラメータである。
【００９０】
核酸分子配列比較のための好ましいパラメータは、以下を含む：
Ａｌｇｏｒｉｔｈｍ：Ｎｅｅｄｌｅｍａｎ  ａｎｄ  Ｗｕｎｓｃｈ，前出；
Ｃｏｍｐａｒｉｓｏｎ  ｍａｔｒｉｘ：ｍａｔｃｈｅｓ＝＋１０，ｍｉｓｍａ
ｔｃｈ＝０
Ｇａｐ  Ｐｅｎａｌｔｙ：５０
Ｇａｐ  Ｌｅｎｇｔｈ  Ｐｅｎａｌｔｙ：３
このＧＡＰプログラムはまた、上記パラメータを用いて有用である。上記パラメ
ータは、核酸分子比較のためのデフォルトパラメータである。
【００９１】
Ｐｒｏｇｒａｍ  Ｍａｎｕａｌ，Ｗｉｓｃｏｎｓｉｎ  Ｐａｃｋａｇｅ，Ｖｅ
ｒｓｉｏｎ  ９，Ｓｅｐｔｅｍｂｅｒ，１９９７に記載されるものを含む、他の
例示的なａｌｇｏｒｉｔｈｍ、ｇａｐ  ｏｐｅｎｉｎｇ  ｐｅｎａｌｔｙ、ｇａ
ｐ  ｅｘｔｅｎｓｉｏｎ  ｐｅｎａｌｔｙ、ｃｏｍｐａｒｉｓｏｎ  ｍａｔｒｉ
ｘ、およびｔｈｒｅｓｈｏｌｄ  ｏｆ  ｓｉｍｉｌａｒｉｔｙが使用され得る。
なされるべき特定の選択は、当業者に明らかであり、そしてなされるべき特定の
比較（例えば、ＤＮＡ対ＤＮＡ、タンパク質対タンパク質、タンパク質対ＤＮＡ
）；ならびにさらに、その比較が所定の対の配列間（この場合には、ＧＡＰまた
はＢｅｓｔＦｉｔが一般的に好ましい）であるか、１つの配列と大きなデータベ
ースの配列との間（この場合には、ＦＡＳＴＡまたはＢＬＡＳＴＡが好ましい）
であるかに依存する。
【００９２】
（核酸分子）
Ｓｅｃｓ−１ポリペプチドのアミノ酸配列を含むポリペプチドをコードする核
酸分子は、種々の様式（化学合成、ｃＤＮＡもしくはゲノムのライブラリーのス
クリーニング、発現ライブラリースクリーニング、および／またはｃＤＮＡのＰ
ＣＲ増幅が挙げられるが、これらに限定されない）で容易に得られ得る。
【００９３】
本明細書中において使用される組換えＤＮＡ法は、一般に、Ｓａｍｂｒｏｏｋ
ら、Ｍｏｌｅｃｕｌａｒ  Ｃｌｏｎｉｎｇ：Ａ  Ｌａｂｏｒａｔｏｒｙ  Ｍａｎ
ｕａｌ（Ｃｏｌｄ  Ｓｐｒｉｎｇ  Ｈａｒｂｏｒ  Ｌａｂｏｒａｔｏｒｙ  Ｐｒ
ｅｓｓ，１９８９）および／またはＣｕｒｒｅｎｔ  Ｐｒｏｔｏｃｏｌｓ  ｉｎ
Ｍｏｌｅｃｕｌａｒ  Ｂｉｏｌｏｇｙ（Ａｕｓｕｂｅｌら編、Ｇｒｅｅｎ  Ｐ
ｕｂｌｉｓｈｅｒｓ  Ｉｎｃ．およびＷｉｌｅｙ  ａｎｄ  Ｓｏｎｓ  １９９４
）に記載されている方法である。本発明は、本明細書中に記載されるような核酸
分子、およびこのような分子を得るための方法を提供する。
【００９４】
Ｓｅｃｓ−１ポリペプチドのアミノ酸配列をコードする遺伝子が１つの種から
同定された場合には、この遺伝子の全てまたは一部を、同じ種由来のオーソログ
または関連する遺伝子を同定するためのプローブとして使用し得る。このプロー
ブまたはプライマーを使用して、Ｓｅｃｓ−１ポリペプチドを発現すると考えら
れる種々の組織供給源由来のｃＤＮＡをスクリーニングし得る。さらに、配列番
号１または配列番号４のいずれかに記載されるような配列を有する核酸分子の部
分または全てを使用して、ゲノムライブラリーをスクリーニングし、Ｓｅｃｓ−
１ポリペプチドのアミノ酸配列をコードする遺伝子を同定および単離し得る。代
表的に、中程度または高いストリンジェンシーの条件が、スクリーニングのため
に使用されて、このスクリーニングから得られる誤った陽性の数を最小にする。
【００９５】
Ｓｅｃｓ−１ポリペプチドのアミノ酸配列をコードする核酸分子もまた、発現
されたタンパク質の特性に基づいて陽性クローンの検出を使用する発現クローニ
ングによって、同定され得る。代表的に、核酸ライブラリーは、抗体または他の
結合パートナー（例えば、レセプターまたはリガンド）を、宿主細胞表面におい
て発現および提示されたクローンタンパク質に結合させることによって、スクリ
ーニングされる。抗体または結合パートナーは、所望のクローンを発現する細胞
を同定するために、検出可能な標識で改変される。
【００９６】
以下に記載される説明に従い実施される組換え発現技術に従って、これらのポ
リヌクレオチドを産生し得、そしてコードされたポリペプチドを発現させ得る。
例えば、Ｓｅｃｓ−１ポリペプチドのアミノ酸配列をコードする核酸配列を適切
なベクターに挿入することによって、当業者は、多量の所望されるヌクレオチド
配列を容易に生成し得る。次いで、これらの配列を使用して、検出プローブまた
は増幅プライマーを生成し得る。あるいは、Ｓｅｃｓ−１ポリペプチドのアミノ
酸配列をコードするポリヌクレオチドを、発現ベクターに挿入し得る。発現ベク
ターを適切な宿主に導入することによって、コードされたＳｅｃｓ−１ポリペプ
チドが、多量に生成され得る。
【００９７】
適切な核酸配列を得るための別の方法は、ポリメラーゼ連鎖反応（ＰＣＲ）で
ある。この方法において、ｃＤＮＡは、酵素逆転写酵素を使用して、ポリ（Ａ）
＋ＲＮＡまたは全ＲＮＡから調製される。次いで、２つのプライマー（代表的に
は、Ｓｅｃｓ−１ポリペプチドのアミノ酸配列をコードするｃＤＮＡの２つの別
個の領域に対して相補的である）が、Ｔａｑポリメラーゼのようなポリメラーゼ
とともにこのｃＤＮＡに添加され、そしてこのポリメラーゼが、これら２つのプ
ライマー間のｃＤＮＡ領域を増幅する。
【００９８】
Ｓｅｃｓ−１ポリペプチドのアミノ酸配列をコードする核酸分子を調製する別
の手段は、Ｅｎｇｅｌｓら、１９８９，Ａｎｇｅｗ．Ｃｈｅｍ．Ｉｎｔｌ．第２
８版：７１６−３４によって記載されるような、当業者に周知の方法を使用する
、化学合成である。これらの方法としては、とりわけ、核酸合成のためのホスホ
トリエステル、ホスホルアミダイト、およびＨ−ホスホネート方法が挙げられる
。このような化学合成のために好ましい方法は、標準的なホスホルアミダイト化
学を使用する、ポリマーにより支持される合成である。代表的に、Ｓｅｃｓ−１
ポリペプチドのアミノ酸配列をコードするＤＮＡは、数百ヌクレオチド長である
。約１００ヌクレオチドより長い核酸は、これらの方法を使用して、いくつかの
フラグメントとして合成され得る。次いで、これらのフラグメントが一緒に連結
されて、Ｓｅｃｓ−１遺伝子の全長ヌクレオチド配列を形成し得る。通常、この
ポリペプチドのアミノ末端をコードするＤＮＡフラグメントは、ＡＴＧ（これは
、メチオニン残基をコードする）を有する。このメチオニンは、宿主細胞におい
て産生されるポリペプチドがその細胞から分泌されるよう設計されているか否か
に依存して、Ｓｅｃｓ−１ポリペプチドの成熟形態で存在してもそうでなくても
よい。当業者に公知の他の方法が、同様に使用され得る。
【００９９】
特定の実施形態において、核酸改変体は、所定の宿主細胞におけるＳｅｃｓ−
１ポリペプチドの最適な発現のために変更されたコドンを含む。特定のコドン変
更は、発現のために選択される宿主細胞およびＳｅｃｓ−１ポリペプチドに依存
する。このような「コドン最適化」は、種々の方法によって（例えば、所定の宿
主細胞において高度に発現される遺伝子において使用されるのに好ましいコドン
を選択することによって）実施され得る。高度に発現された細菌遺伝子のコドン
優先度（ｃｏｄｏｎ  ｐｒｅｆｅｒｅｎｃｅ）についての「Ｅｃｏ＿ｈｉｇｈ．
Ｃｏｄ」のようなコドン頻度表を組み込むコンピュータアルゴリズムが使用され
得、そしてＵｎｉｖｅｒｓｉｔｙ  ｏｆ  Ｗｉｓｃｏｎｓｉｎ  Ｐａｃｋａｇｅ
Ｖｅｒｓｉｏｎ  ９．０（Ｇｅｎｅｔｉｃｓ  Ｃｏｍｐｕｔｅｒ  Ｇｒｏｕｐ
，Ｍａｄｉｓｏｎ，ＷＩ）によって提供される。他の有用なコドン頻度表として
は、「Ｃｅｌｅｇａｎｓ＿ｈｉｇｈ．ｃｏｄ」、「Ｃｅｌｅｇａｎｓ＿ｌｏｗ．
ｃｏｄ」、「Ｄｒｏｓｏｐｈｉｌａ＿ｈｉｇｈ．ｃｏｄ」、「Ｈｕｍａｎ＿ｈｉ
ｇｈ．ｃｏｄ」、「Ｍａｉｚｅ＿ｈｉｇｈ．ｃｏｄ」、および「Ｙｅａｓｔ＿ｈ
ｉｇｈ．ｃｏｄ．」が挙げられる。
【０１００】
いくつかの場合において、Ｓｅｃｓ−１ポリペプチド改変体をコードする核酸
分子を調製することが所望され得る。改変体をコードする核酸分子は、プライマ
ーが所望の点変異を有する部位特異的変異誘発、ＰＣＲ増幅、または他の適切な
方法を使用して生成され得る（変異誘発技術の説明に関しては、Ｓａｍｂｒｏｏ
ｋら、前出、およびＡｕｓｕｂｅｌら、前出を参照のこと）。Ｅｎｇｅｌｓら、
前出によって記載される方法を使用する化学合成もまた、このような改変体を調
製するために使用され得る。当業者に公知の他の方法が、同様に使用され得る。
【０１０１】
（ベクターおよび宿主細胞）
Ｓｅｃｓ−１ポリペプチドのアミノ酸配列をコードする核酸分子を、標準的な
連結技術を使用して適切な発現ベクターに挿入する。ベクターは、代表的に、使
用される特定の宿主細胞において機能的であるように選択される（すなわち、ベ
クターは、遺伝子の増幅および／または遺伝子の発現が生じ得るように、宿主細
胞機構と適合性である）。Ｓｅｃｓ−１ポリペプチドのアミノ酸配列をコードす
る核酸分子は、原核生物宿主細胞、酵母宿主細胞、昆虫（バキュロウイルス系）
宿主細胞および／または真核生物宿主細胞において増幅／発現され得る。宿主細
胞の選択は、Ｓｅｃｓ−１ポリペプチドが翻訳後修飾（例えば、グリコシル化お
よび／またはホスホリル化）されるか否かに一部依存する。その場合、酵母宿主
細胞、昆虫宿主細胞、または哺乳動物宿主細胞が好ましい。発現ベクターの総説
については、Ｍｅｔｈ．Ｅｎｚ．，第１８５巻（Ｄ．Ｖ．Ｇｏｅｄｄｅｌ編，Ａ
ｃａｄｅｍｉｃ  Ｐｒｅｓｓ  １９９０）を参照のこと。
【０１０２】
代表的に、任意の宿主細胞に使用される発現ベクターは、プラスミド維持のた
めの配列ならびに外来性ヌクレオチド配列のクローニングおよび発現のための配
列を含む。このような配列（集合的に、「隣接配列」という）は、特定の実施形
態において、代表的に、以下のヌクレオチド配列の１つ以上を含む：プロモータ
ー、１つ以上のエンハンサー配列、複製起点、転写終結配列、ドナーおよびアク
セプタースプライス部位を含む完全なイントロン配列、ポリペプチド分泌のため
のリーダー配列をコードする配列、リボソーム結合部位、ポリアデニル化配列、
発現されるポリペプチドをコードする核酸を挿入するためのポリリンカー領域、
ならびに選択可能マーカーエレメント。これらの配列のそれぞれが、以下に議論
される。
【０１０３】
必要に応じて、ベクターは、「タグ」コード配列（すなわち、Ｓｅｃｓ−１ポ
リペプチドコード配列の５’末端または３’末端に配置されるオリゴヌクレオチ
ド分子）を含み得；このオリゴヌクレオチド配列は、ポリＨｉｓ（例えば、ヘキ
サＨｉｓ）、または別の「タグ」（例えば、ＦＬＡＧ、ＨＡ（赤血球凝集素イン
フルエンザウイルス）またはｍｙｃ（これに対して、市販の抗体が存在する）を
コードする。このタグは、代表的には、ポリペプチドの発現の際にポリペプチド
に融合され、宿主細胞からの、Ｓｅｃｓ−１ポリペプチドのアフィニティー精製
のための手段として役立ち得る。アフィニティー精製は、例えば、アフィニティ
ーマトリクスとして、タグに対する抗体を使用するカラムクロマトグラフィーに
よって達成され得る。必要に応じて、タグは、引き続いて、切断のために特定の
ペプチダーゼを使用するような、種々の手段によって、精製されたＳｅｃｓ−１
ポリペプチドから除去され得る。
【０１０４】
隣接配列は、同種（すなわち、宿主細胞と同じ種および／または株由来）であ
り得るか、異種（すなわち、宿主細胞種または株以外の種由来）であり得るか、
ハイブリッド（すなわち、１つより多くの供給源由来の隣接配列の組み合わせ）
であり得るか、または合成であり得るか、あるいは隣接配列は、Ｓｅｃｓ−１ポ
リペプチド発現を調節するために通常機能するネイティブな配列であり得る。従
って、隣接配列の供給源は、任意の原核生物または真核生物、任意の脊椎生物ま
たは無脊椎生物、または任意の植物であり得るが、但し、隣接配列は、この宿主
細胞の機構において機能的であり、そしてこの宿主細胞の機構によって活性化さ
れ得る。
【０１０５】
本発明のベクターに有用な隣接配列は、当該分野において周知である任意のい
くつかの方法によって得られ得る。代表的には、Ｓｅｃｓ−１遺伝子の隣接配列
以外の、本発明で有用な隣接配列は、マッピングおよび／または制限エンドヌク
レアーゼ消化によって以前に同定されており、従って、適切な制限エンドヌクレ
アーゼを使用して、適切な組織供給源から単離され得る。いくつかの場合におい
て、隣接配列の全長ヌクレオチド配列は公知であり得る。ここで、隣接配列は、
核酸合成またはクローニングのために本明細書中で記載される方法を使用して合
成され得る。
【０１０６】
隣接配列の全てまたは一部のみが既知である場合、これは、ＰＣＲを使用して
、ならびに／あるいは適切なオリゴヌクレオチドおよび／または同種もしくは別
の種由来の隣接配列フラグメントを用いてゲノムライブラリーをスクリーニング
することによって得られ得る。隣接配列が公知ではない場合、隣接配列を含むＤ
ＮＡのフラグメントは、例えば、コード配列または別の遺伝子さえも含み得る大
きなＤＮＡ片から単離され得る。単離は、適切なＤＮＡフラグメントを生成する
ための制限エンドヌクレアーゼ消化、続くアガロースゲル精製を使用する単離、
Ｑｉａｇｅｎ（登録商標）カラムクロマトグラフィー（Ｃｈａｔｓｗｏｒｔｈ、
ＣＡ）、または当業者に公知の他の方法によって達成され得る。この目的を達成
するための適切な酵素の選択は、当業者に容易に明らかである。
【０１０７】
複製起点は、代表的に、市販の原核生物発現ベクターの一部であり、この起点
は、宿主細胞におけるベクターの増幅を補助する。特定のコピー数までのベクタ
ーの増幅は、いくつかの場合において、Ｓｅｃｓ−１ポリペプチドの最適な発現
のために重要であり得る。選択されたベクターが複製起点部位を含まない場合、
複製起点は、既知の配列に基づいて化学的に合成され得、そしてベクターに連結
され得る。例えば、プラスミドｐＢＲ３２２（Ｎｅｗ  Ｅｎｇｌａｎｄ  Ｂｉｏ
ｌａｂｓ，Ｂｅｖｅｒｌｙ，ＭＡ）からの複製起点は、大部分のグラム陰性細菌
に適切であり、そして種々の起源（例えば、ＳＶ４０、ポリオーマ、アデノウイ
ルス、水疱性口内炎ウイルス（ＶＳＶ）、またはＨＰＶもしくはＢＰＶのような
パピローマウイルス）は、哺乳動物細胞におけるベクターのクローニングのため
に有用である。一般的に、複製起点の成分は、哺乳動物発現ベクターには必要な
い（例えば、ＳＶ４０起源は、それが初期プロモーターを含むという理由のみに
よって、しばしば使用されている）。
【０１０８】
転写終結配列は、代表的にポリペプチドコード領域の３’末端に配置され、
そして転写を終結させるのに役立つ。通常、原核生物細胞における転写終結配列
は、Ｇ−Ｃリッチフラグメントと、それに続くポリＴ配列である。この配列はラ
イブラリーから容易にクローン化されるか、またはさらにベクターの一部として
の市販されているが、これはまた、本明細書中に記載された核酸合成のための方
法を使用して容易に合成され得る。
【０１０９】
選択マーカー遺伝子エレメントは、選択培養培地において増殖される宿主細胞
の生存および増殖に必要なタンパク質をコードする。代表的な選択マーカー遺伝
子は、（ａ）原核生物宿主細胞に対して、抗生物質または他の毒素（例えば、ア
ンピシリン、テトラサイクリン、またはカナマイシン）に対する耐性を与えるか
；（ｂ）細胞の栄養要求性の欠損を補うか；あるいは、（ｃ）複合培地から入手
可能でない重要な栄養素を供給する、タンパク質をコードする。好ましい選択マ
ーカーは、カナマイシン耐性遺伝子、アンピシリン耐性遺伝子、およびテトラサ
イクリン耐性遺伝子である。ネオマイシン耐性遺伝子もまた、原核生物宿主細胞
および真核生物宿主細胞における選択のために使用され得る。
【０１１０】
他の選択遺伝子は、発現される遺伝子を増幅するために使用され得る。増幅は
、増殖に重要なタンパク質の産生のために大いに要求されている遺伝子が、組換
え細胞の継続世代の染色体内でタンデムに反復されているプロセスである。哺乳
動物細胞に対する適切な選択マーカーの例としては、ジヒドロ葉酸レダクターゼ
（ＤＨＦＲ）およびチミジンキナーゼが挙げられる。哺乳動物細胞の形質転換体
は、選択圧下に置かれ、ここで、形質転換体のみが固有に、ベクターに存在する
選択遺伝子によって生存するように適応される。培地中の選択因子の濃度を連続
的に変化させ、それによって選択遺伝子とＳｅｃｓ−１ポリペプチドをコードす
るＤＮＡとの両方の増幅を導く条件下で、形質転換された細胞を培養することに
よって、選択圧を加える。結果として、増加した量のＳｅｃｓ−１ポリペプチド
が、増幅されたＤＮＡから合成される。
【０１１１】
リボソーム結合部位は、通常、ｍＲＮＡの翻訳開始に必要であり、そしてＳｈ
ｉｎｅ−Ｄａｌｇａｒｎｏ配列（原核性物）またはＫｏｚａｋ配列（真核生物）
によって特徴付けられる。このエレメントは、代表的に、発現されるＳｅｃｓ−
１ポリペプチドのプロモーターに対して３’側およびコード配列に対して５’側
に配置される。Ｓｈｉｎｅ−Ｄａｌｇａｒｎｏ配列は、可変であるが、代表的に
は、ポリプリン（すなわち、高いＡ−Ｇ含有量を有する）である。多くのＳｈｉ
ｎｅ−Ｄａｌｇａｒｎｏ配列は、同定されており、これらのそれぞれが、本明細
書中に記載の方法を使用して、容易に合成され得、原核生物ベクターにおいて使
用され得る。
【０１１２】
リーダー配列、またはシグナル配列は、宿主細胞の外にＳｅｃｓ−１ポリペプ
チドを指向させるために使用され得る。代表的には、シグナル配列をコードする
ヌクレオチド配列は、Ｓｅｃｓ−１核酸分子のコード領域に位置するか、または
直接Ｓｅｃｓ−１ポリペプチドコード領域の５’側に位置する。多くのシグナル
配列が同定されており、選択された宿主細胞において機能的である任意のシグナ
ル配列が、Ｓｅｃｓ−１核酸分子と組み合わせて使用され得る。従って、シグナ
ル配列は、Ｓｅｃｓ−１核酸分子に対して同種（天然に存在する）または異種で
あり得る。さらに、シグナル配列は、本明細書中に記載される方法を使用して化
学的に合成され得る。大半の場合、シグナルペプチドの存在による宿主細胞から
のＳｅｃｓ−１ポリペプチドの分泌は、分泌されたＳｅｃｓ−１ポリペプチドか
らのシグナルペプチドの除去を生じる。シグナル配列は、ベクターの成分であり
得るか、またはベクターに挿入されたＳｅｃｓ−１核酸分子の一部であり得る。
【０１１３】
Ｓｅｃｓ−１ポリペプチドコード領域に結合されたネイティブなＳｅｃｓ−１
ポリペプチドシグナル配列をコードするヌクレオチド配列、または、Ｓｅｃｓ−
１ポリペプチドコード領域に結合された異種シグナル配列をコードするヌクレオ
チド配列のいずれかの使用は本発明の範囲内である。選択された異種シグナル配
列は、宿主細胞によって認識され、プロセスされる（すなわち、シグナルペプチ
ダーゼによって切断される）ものであるべきである。ネイティブなＳｅｃｓ−１
ポリペプチドシグナル配列を認識せず、そしてプロセスもしない原核生物宿主細
胞について、シグナル配列は、例えば、アルカリホスファターゼ、ペニシリナー
ゼ、または熱安定エンテロトキシンＩＩリーダーの群から選択される原核生物シ
グナル配列によって置換される。酵母分泌のために、ネイティブなＳｅｃｓ−１
ポリペプチドシグナル配列は、酵母インベルターゼ、α因子、または酸ホスファ
ターゼリーダーによって置換され得る。哺乳動物細胞発現において、ネイティブ
なシグナル配列で十分であるが、他の哺乳動物シグナル配列が適切であり得る。
【０１１４】
真核生物宿主細胞発現系においてグリコシル化が所望されるような、いくつか
の場合において、グリコシル化または収量を改善するために種々のプレ配列（ｐ
ｒｅｓｅｑｕｅｎｃｅ）が操作され得る。例えば、特定のシグナルペプチドのペ
プチダーゼ切断部位を変更し得るかまたはプロ配列（ｐｒｏ−ｓｅｑｕｅｎｃｅ
）を加え得、これはまた、グリコシル化に影響し得る。最終タンパク質産物は、
１位に（成熟タンパク質の最初のアミノ酸と相対的に）、発現に付随する１つ以
上のさらなるアミノ酸を有し得、これは、完全には除去されない可能性がある。
例えば、最終のタンパク質産物は、アミノ末端に結合される、ペプチダーゼ切断
部位において見出される１つまたは２つのアミノ酸残基を有し得る。あるいは、
いくつかの酵素切断部位の使用は、酵素が成熟ポリペプチド内のこのような領域
で切断する場合に所望のＳｅｃｓ−１ポリペプチドのわずかに短縮された（ｔｒ
ｕｎｃａｔｅ）形態を生じ得る。
【０１１５】
多くの場合において、核酸分子の転写は、ベクター内の１つ以上のイントロン
の存在によって増加する；これは、ポリペプチドが真核生物宿主細胞（特に、哺
乳動物宿主細胞）において産生される場合に特に当てはまる。使用されるイント
ロンは、特に使用される遺伝子が全長ゲノム配列またはそのフラグメントである
場合にＳｅｃｓ−１遺伝子内に天然に存在するものであり得る。イントロンが遺
伝子内に天然に存在しない場合（大部分のｃＤＮＡについて）、イントロンは、
別の供給源から得られ得る。隣接配列およびＳｅｃｓ−１遺伝子に対してイント
ロンの位置は、イントロンが有効に転写されなければならないので、一般的に重
要である。従って、Ｓｅｃｓ−１  ｃＤＮＡ分子が転写される場合、イントロン
の好ましい位置は、転写開始部位に対して３’側であり、かつポリ−Ａ転写終止
配列に対して５’側である。好ましくは、イントロン（単数または複数）は、コ
ード配列を妨害しないように、ｃＤＮＡの１つの側または他の側（すなわち、５
’側または３’側）に配置される。任意の供給源（ウイルス、原核生物および真
核生物（植物または動物）を含む）由来のイントロンを使用して本発明を実行し
得るが、但し、このイントロンは、挿入される宿主細胞に適合性である。合成イ
ントロンもまたここに含まれる。必要に応じて、１つより多くのイントロンがベ
クター内で使用され得る。
【０１１６】
本発明の発現ベクターおよびクローニングベクターは、代表的には、宿主生物
によって認識され、Ｓｅｃｓ−１ポリペプチドをコードする分子に作動可能に連
結されたプロモーターを含む。プロモーターは、構造遺伝子の転写を制御する構
造遺伝子（一般的に、約１００〜１０００ｂｐ）の開始コドンに対して上流（す
なわち、５’側）に配置される非転写配列である。プロモーターは、従来、２つ
のクラス（誘導プロモーターおよび構成プロモーター）のうちの１つにグループ
化されている。誘導プロモーターは、培養条件におけるいくらかの変化（例えば
、栄養素の存在または非存在、あるいは温度の変化）に応答して、それらの制御
下でＤＮＡからの転写の増加したレベルを開始する。他方、構成プロモーターは
、連続的な遺伝子産物の産生を開始する；すなわち、遺伝子発現に対してほとん
ど制御しないかまたは全く制御しない。多数のプロモーター（種々の潜在的な宿
主細胞によって認識される）が周知である。適切なプロモーターは、供給源のＤ
ＮＡからプロモーターを制限酵素消化によって取り出し、そして所望のプロモー
ター配列をベクターに挿入することによって、Ｓｅｃｓ−１ポリペプチドをコー
ドするＤＮＡに作動可能に連結される。ネイティブなＳｅｃｓ−１プロモーター
配列は、Ｓｅｃｓ−１核酸分子の増幅および／または発現を指示するために使用
され得る。しかし、ネイティブなプロモーターと比較してより多い転写および発
現タンパク質のより高い産生を可能とし、そして使用のために選択された宿主細
胞系と適合性である場合には異種プロモーターが好ましい。
【０１１７】
原核生物宿主での使用に適切なプロモーターとしては、β−ラクタマーゼおよ
びラクトースプロモーター系；アルカリホスファターゼ；トリプトファン（ｔｒ
ｐ）プロモーター系；およびハイブリッドプロモーター（例えば、ｔａｃプロモ
ーター）が挙げられる。他の公知の細菌プロモーターもまた適切である。これら
の配列は公開されており、これらの配列により、当業者は、任意の有用な制限部
位を供給するのに必要とされるリンカーまたはアダプターを使用して、所望のＤ
ＮＡ配列にそれらの配列を連結し得る。
【０１１８】
酵母宿主での使用に適切なプロモーターはまた、当該分野において周知である
。酵母エンハンサーは、酵母プロモーターと共に有利に使用される。哺乳動物宿
主細胞での使用に適切なプロモーターは周知であり、限定しないが、ポリオーマ
ウイルス、鶏痘ウイルス、アデノウイルス（例えば、Ａｄｅｎｏｖｉｒｕｓ２）
、ウシパピローマウイルス、鳥類肉腫ウイルス、サイトメガロウイルス、レトロ
ウイルス、Ｂ型肝炎ウイルスおよび最も好ましいシミアンウイルス４０（ＳＶ４
０）のようなウイルスのゲノムから得られるプロモーターが挙げられる。他の適
切な哺乳動物プロモーターとしては、異種哺乳動物プロモーター（例えば、熱シ
ョックプロモーターおよびアクチンプロモーター）が挙げられる。
【０１１９】
Ｓｅｃｓ−１遺伝子発現を制御する際に目的となり得るさらなるプロモーター
としては、限定しないが、以下が挙げられる：ＳＶ４０初期プロモータ領域（Ｂ
ｅｒｎｏｉｓｔおよびＣｈａｍｂｏｎ，１９８１，Ｎａｔｕｒｅ  ２９０：３０
４−１０）；ＣＭＶプロモーター；ラウス肉腫ウイルスの３’側の長末端反復に
含まれるプロモーター（Ｙａｍａｍｏｔｏら，１９８０，Ｃｅｌｌ  ２２  ：７
８７−９７）；ヘルペスチミジンキナーゼプロモーター（Ｗａｇｎｅｒら，１９
８１，Ｐｒｏｃ．Ｎａｔｌ．Ａｃａｄ．Ｓｃｉ．Ｕ．Ｓ．Ａ．７８：１４４４−
４５）；メタロチオネイン遺伝子の調節配列（Ｂｒｉｎｓｔｅｒら，１９８２，
Ｎａｔｕｒｅ  ２９６：３９−４２）；β−ラクタマーゼプロモーターのような
原核生物発現ベクター（Ｖｉｌｌａ−Ｋａｍａｒｏｆｆら，１９７８，Ｐｒｏｃ
．Ｎａｔｌ．Ａｃａｄ．Ｓｃｉ．Ｕ．Ｓ．Ａ．，７５：３７２７−３１）；また
はｔａｃプロモーター（ＤｅＢｏｅｒら，１９８３，Ｐｒｏｃ．Ｎａｔｌ．Ａｃ
ａｄ．Ｓｃｉ．Ｕ．Ｓ．Ａ．，８０：２１−２５）。組織特異性を示し、そして
トランスジェニック動物において利用されている、以下の動物転写制御領域もま
た関心が高い：膵臓腺房細胞において活性なエラスターゼＩ遺伝子制御領域（Ｓ
ｗｉｆｔら，１９８４，Ｃｅｌｌ  ３８：６３９−４６；Ｏｒｎｉｔｚら，１９
８６，Ｃｏｌｄ  Ｓｐｒｉｎｇ  Ｈａｒｂｏｒ  Ｓｙｍｐ．Ｑｕａｎｔ．Ｂｉｏ
ｌ．５０：３９９−４０９（１９８６）；ＭａｃＤｏｎａｌｄ，１９８７，Ｈｅ
ｐａｔｏｌｏｇｙ  ７：４２５−５１５）；膵臓β細胞において活性なインシュ
リン遺伝子制御領域（Ｈａｎａｈａｎ，１９８５，Ｎａｔｕｒｅ  ３１５：１１
５−２２）；リンパ系細胞において活性な免疫グロブリン遺伝子制御領域（Ｇｒ
ｏｓｓｃｈｅｄｌら，１９８４，Ｃｅｌｌ  ３８：６４７−５８；Ａｄａｍｅｓ
ら，１９８５，Ｎａｔｕｒｅ  ３１８：５３３−３８；Ａｌｅｘａｎｄｅｒら，
１９８７，Ｍｏｌ．Ｃｅｌｌ．Ｂｉｏｌ．，７：１４３６−４４）；精巣細胞、
乳房細胞、リンパ系細胞、および肥満細胞において活性なマウス哺乳動物腫瘍ウ
イルス制御領域（Ｌｅｄｅｒら，１９８６，Ｃｅｌｌ  ４５：４８５−９５）；
肝臓において活性なアルブミン遺伝子制御領域（Ｐｉｎｋｅｒｔら，１９８７，
Ｇｅｎｅｓ  ａｎｄ  Ｄｅｖｅｌ．１：２６８−７６）；肝臓において活性なα
−フェトタンパク質遺伝子制御領域（Ｋｒｕｍｌａｕｆら，１９８５，Ｍｏｌ．
Ｃｅｌｌ．Ｂｉｏｌ．，５：１６３９−４８；Ｈａｍｍｅｒら，１９８７，Ｓｃ
ｉｅｎｃｅ  ２３５：５３−５８）；肝臓において活性なα１−抗トリプシン遺
伝子制御領域（Ｋｅｌｓｅｙら，１９８７，Ｇｅｎｅｓ  ａｎｄ  Ｄｅｖｅｌ．
１：１６１−７１）；骨髄性細胞において活性なβ−グロビン遺伝子制御領域（
Ｍｏｇｒａｍら，１９８５，Ｎａｔｕｒｅ  ３１５：３３８−４０；Ｋｏｌｌｉ
ａｓら，１９８６，Ｃｅｌｌ  ４６：８９−９４）；脳の稀突起神経膠細胞にお
いて活性なミエリン塩基性タンパク質遺伝子制御領域（Ｒｅａｄｈｅａｄら，１
９８７，Ｃｅｌｌ  ４８：７０３−１２）；骨格筋において活性なミオシン軽鎖
−２遺伝子制御領域（Ｓａｎｉ，１９８５，Ｎａｔｕｒｅ  ３１４：２８３−８
６）；ならびに視床下部において活性なゴナドトロピン放出ホルモン遺伝子制御
領域（Ｍａｓｏｎら，１９８６，Ｓｃｉｅｎｃｅ  ２３４：１３７２−７８）。
【０１２０】
エンハンサー配列は、より高等な真核生物によって本発明のＳｅｃｓ−１ポリ
ペプチドをコードするＤＮＡの転写を増加するように、ベクターに挿入され得る
。エンハンサーは、転写を増加させるためにプロモーターに作用する、通常約１
０〜３００ｂｐの長さのＤＮＡのシス作用性エレメントである。エンハンサーは
、比較的方向および位置に非依存性である。これらは、転写ユニットに対して５
’側および３’側に見出された。哺乳動物遺伝子から入手可能ないくつかのエン
ハンサー配列が公知である（例えば、グロビン、エラスターゼ、アルブミン、α
−フェトタンパク質およびインシュリン）。しかし、代表的には、ウイルス由来
のエンハンサーが、使用される。ＳＶ４０エンハンサー、サイトメガロウイルス
初期プロモーターエンハンサー、ポリオーマエンハンサー、およびアデノウイル
スエンハンサーは、真核生物プロモーターの活性化のための例示的な増強エレメ
ントである。エンハンサーは、Ｓｅｃｓ−１核酸分子に対して５’位または３’
位でベクターにスプライシングされ得るが、代表的には、プロモーターから５’
側に配置される。
【０１２１】
本発明の発現ベクターは、市販のベクターのような開始ベクターから構築され
得る。このようなベクターは、全ての所望な隣接配列を含んでも良いし、含まな
くても良い。本明細書中に記載される隣接配列の１つ以上が予めベクター内に存
在しない場合、これらは、個々に得られ得、ベクターに連結され得る。隣接配列
のそれぞれを得るために使用される方法は、当業者に周知である。
【０１２２】
本発明を実行するために好ましいベクターは、細菌宿主細胞、昆虫宿主細胞、
および哺乳動物宿主細胞と適合性のベクターである。このようなベクターとして
は、特に、ｐＣＲＩＩ、ｐＣＲ３、およびｐｃＤＮＡ３．１（Ｉｎｖｉｔｒｏｇ
ｅｎ、Ｓａｎ  Ｄｉｅｇｏ、ＣＡ）、ｐＢＳＩＩ（Ｓｔｒａｔａｇｅｎｅ、Ｌａ
Ｊｏｌｌａ、ＣＡ）、ｐＥＴ１５（Ｎｏｖａｇｅｎ、Ｍａｄｉｓｏｎ、ＷＩ）
、ｐＧＥＸ（Ｐｈａｒｍａｃｉａ  Ｂｉｏｔｅｃｈ、Ｐｉｓｃａｔａｗａｙ、Ｎ
Ｊ）、ｐＥＧＦＰ−Ｎ２（Ｃｌｏｎｔｅｃｈ、Ｐａｌｏ  Ａｌｔｏ、ＣＡ）、ｐ
ＥＴＬ（ＢｌｕｅＢａｃＩＩ、Ｉｎｖｉｔｒｏｇｅｎ）、ｐＤＳＲ−α（ＰＣＴ
公開番号ＷＯ  ９０／１４３６３）ならびにｐＦａｓｔＢａｃＤｕａｌ（Ｇｉｂ
ｃｏ−ＢＲＬ、Ｇｒａｎｄ  Ｉｓｌａｎｄ、ＮＹ）が挙げられる。
【０１２３】
さらなる適切なベクターとしては、限定しないが、コスミド、プラスミド、ま
たは改変ウイルスが挙げられるが、これらのベクター系は、選択された宿主細胞
と適合性でなければならないことが理解される。このようなベクターとしては、
限定しないが、Ｂｌｕｅｓｃｒｉｐｔ（登録商標）プラスミド誘導体（高コピー
数ＣｏｌＥｌ−ベースのファージミド、Ｓｔｒａｔａｇｅｎｅ  Ｃｌｏｎｉｎｇ
Ｓｙｓｔｅｍｓ，Ｌａ  Ｊｏｌｌａ  ＣＡ）のようなプラスミド、Ｔａｑ増幅
ＰＣＲ産物をクローニングするために設計されたＰＣＲクローニングプラスミド
（例えば、ＴＯＰＯＴＭ  ＴＡ  Ｃｌｏｎｉｎｇ（登録商標）Ｋｉｔ、ＰＣＲ２
．１（登録商標）プラスミド誘導体、Ｉｎｖｉｔｒｏｇｅｎ、Ｃａｒｌｓｂａｄ
、ＣＡ）、ならびにバキュロウイルス発現系のような哺乳動物ベクター、酵母ベ
クターまたはウイルスベクター（ｐＢａｃＰＡＫプラスミド誘導体、Ｃｌｏｎｔ
ｅｃｈ、Ｐａｌｏ  Ａｌｔｏ、ＣＡ）が挙げられる。
【０１２４】
ベクターが構築され、そしてＳｅｃｓ−１ポリペプチドをコードする核酸分子
がベクターの適切な部位に挿入された後に、完全なベクターが増幅および／また
はポリペプチド発現に適切な宿主細胞に挿入され得る。Ｓｅｃｓ−１ポリペプチ
ドについての発現ベクターの選択された宿主細胞への形質転換は、トランスフェ
クション、感染、塩化カルシウム、エレクトロポレーション、マイクロインジェ
クション、リポフェクション、ＤＥＡＥ−デキストラン法、または他の公知の技
術のような方法を含む周知の方法によって達成され得る。選択される方法は、使
用される宿主細胞の型にいくぶん関連する。これらの方法および他の適切な方法
は、当業者に周知であり、例えば、Ｓａｍｂｒｏｏｋら、上記に記載される。
【０１２５】
宿主細胞は、原核生物宿主細胞（例えば、Ｅ．ｃｏｌｉ）または真核生物宿主
細胞（例えば、酵母細胞、昆虫細胞、または脊椎動物細胞）であり得る。宿主細
胞は、適切な条件下で培養される場合にＳｅｃｓ−１ポリペプチドを合成し、こ
れは、続いて、培養培地から（宿主細胞がそのポリペプチドを培地に分泌する場
合）収集され得るか、または直接そのポリペプチドを産生する宿主細胞から収集
される（そのポリペプチドが分泌されない場合）。適切な宿主細胞の選択は、所
望の発現レベル、活性に望ましいかまたは必要なポリペプチド修飾（例えば、グ
リコシル化またはリン酸化）、および生物学的に活性な分子へと折り畳まれる容
易さなどの種々の因子に依存する。
【０１２６】
多くの適切な宿主細胞が当該分野において公知であり、多くが、Ａｍｅｒｉｃ
ａｎ  Ｔｙｐｅ  Ｃｕｌｔｕｒｅ  Ｃｏｌｌｅｃｔｉｏｎ（ＡＴＣＣ），Ｍａｎ
ａｓｓａｓ，ＶＡから入手可能である。例としては、限定しないが、チャイニー
ズハムスター卵巣細胞（ＣＨＯ）、ＣＨＯ  ＤＨＦＲ（−）細胞（Ｕｒｌａｕｂ
ら，１９８０，Ｐｒｏｃ．Ｎａｔｌ．Ａｃａｄ．Ｓｃｉ．Ｕ．Ｓ．Ａ．９７：４
２１６−２０）、ヒト胚性腎臓（ＨＥＫ）２９３または２９３Ｔ細胞、あるいは
３Ｔ３細胞のような哺乳動物細胞が挙げられる。適切な哺乳動物宿主細胞の選択
ならびに形質転換、培養、増幅、スクリーニング、産物生成、および精製のため
の方法が当該分野において公知である。他の適切な哺乳動物細胞株は、サルＣＯ
Ｓ−１およびＣＯＳ−７細胞株、およびＣＶ−１細胞株である。さらなる例示的
な哺乳動物宿主細胞としては、霊長動物細胞株およびげっ歯類細胞株（形質転換
細胞株を含む）が挙げられる。正常な二倍体細胞、初代組織のインビトロ培養物
から誘導される細胞株、ならびに初代外植片もまた適切である。候補細胞は、選
択遺伝子を遺伝子型的に欠失し得るか、または優性に作用する選択遺伝子を含み
得る。他の適切な哺乳動物細胞株としては、限定しないが、マウス神経芽細胞腫
Ｎ２Ａ細胞、ＨｅＬａ、マウスＬ−９２９細胞、Ｓｗｉｓｓから誘導された３Ｔ
３株、Ｂａｌｂ−ｃまたはＮＩＨマウス、ＢＨＫまたはＨａＫハムスター細胞株
が挙げられる。これらの細胞株のそれぞれは、タンパク質発現に関する分野の当
業者にとって公知であり入手可能である。
【０１２７】
同様に、本発明に適切な宿主細胞として有用なのは細菌細胞である。例えば、
Ｅ．ｃｏｌｉ（例えば、ＨＢ１０１、ＤＨ５α、ＤＨ１０、およびＭＣ１０６１
）の種々の菌株は、生物工学の分野において宿主細胞として周知である。Ｂ．ｓ
ｕｂｔｉｌｉｓ、Ｐｓｅｕｄｏｍｏｎａｓ  ｓｐｐ．、他のＢａｃｉｌｌｕｓ  
ｓｐｐ．、Ｓｔｒｅｐｔｏｍｙｃｅｓ  ｓｐｐ．などの種々の菌株もまた、本方
法において使用され得る。
【０１２８】
当業者に公知の酵母細胞の多くの菌株はまた、本発明のポリペプチドの発現の
ための宿主細胞として利用可能である。好ましい酵母細胞としては、例えば、Ｓ
ａｃｃｈａｒｏｍｙｃｅｓ  ｃｅｒｉｖｉｓａｅおよびＰｉｃｈｉａ  ｐａｓｔ
ｏｒｉｓが挙げられる。
【０１２９】
さらに、望ましい場合には、昆虫細胞系が、本発明の方法において利用され得
る。このような系は、例えば、Ｋｉｔｔｓら，１９９３，Ｂｉｏｔｅｃｈｎｉｑ
ｕｅｓ，１４：８１０−１７；Ｌｕｃｋｌｏｗ，１９９３，Ｃｕｒｒ．Ｏｐｉｎ
．Ｂｉｏｔｅｃｈｎｏｌ．４：５６４−７２；およびＬｕｃｋｌｏｗら，１９９
３，Ｊ．Ｖｉｒｏｌ．，６７：４５６６−７９に記載される。好ましい昆虫細胞
は、Ｓｆ−９およびＨｉ５（Ｉｎｖｉｔｒｏｇｅｎ）である。
【０１３０】
グリコシル化Ｓｅｃｓ−１ポリペプチドを発現するために、トランスジェニッ
ク動物がまた使用され得る。例えば、トランスジェニック乳汁産生動物（例えば
、雌ウシまたはヤギ）を使用し、本発明のグルコシル化ポリペプチドを動物の乳
汁中に得ることができる。Ｓｅｃｓ−１ポリペプチドを産生するために、植物も
また使用し得るが、一般的に、植物において生じるグリコシル化は、哺乳動物細
胞において産生されるものとは異なり、ヒト治療の用途に適切ではないグリコシ
ル化産物を生じ得る。
【０１３１】
（ポリペプチド産生）
Ｓｅｃｓ−１ポリペプチド発現ベクターを含む宿主細胞は、当業者に周知の標
準的な培地を使用して培養され得る。この培地は通常、細胞の増殖および生存に
必要な全ての栄養素を含む。Ｅ．ｃｏｌｉ細胞を培養するための適切な培地とし
ては、例えば、Ｌｕｒｉａ  Ｂｒｏｔｈ（ＬＢ）および／またはＴｅｒｒｉｆｉ
ｃ  Ｂｒｏｔｈ（ＴＢ）が挙げられる。真核生物細胞を培養するための適切な培
地としては、Ｒｏｓｗｅｌｌ  Ｐａｒｋ  Ｍｅｍｏｒｉａｌ  Ｉｎｓｔｉｔｕｔ
ｅ  ｍｅｄｉｕｍ  １６４０（ＲＰＭＩ  １６４０）、Ｍｉｎｉｍａｌ  Ｅｓｓ
ｅｎｔｉａｌ  Ｍｅｄｉｕｍ（ＭＥＭ）および／またはＤｕｌｂｅｃｃｏ’ｓ  
Ｍｏｄｉｆｉｅｄ  Ｅａｇｌｅ  Ｍｅｄｉｕｍ（ＤＭＥＭ）が挙げられ、これら
の全ては、培養される特定の細胞株に必要とされるように血清および／または増
殖因子を補充され得る。昆虫培養物についての適切な培地は、必要に応じて、イ
ーストレート（ｙｅａｔｏｌａｔｅ）、ラクトアルブミン加水分解産物、および
／または胎仔ウシ血清を補充したグレース培地である。
【０１３２】
代表的に、トランスフェクトされた細胞または形質転換された細胞の選択的な
増殖に有用な抗生物質または他の化合物が、培地に補充物質として添加される。
使用される化合物は、宿主細胞が形質転換されるプラスミドに存在する選択マー
カーエレメントによって指示される。例えば、選択マーカーエレメントがカナマ
イシン耐性である場合、培養倍地に加えられる化合物は、カナマイシンである。
選択的増殖のための他の化合物としては、アンピシリン、テトラサイクリン、お
よびネオマイシンが挙げられる。
【０１３３】
宿主細胞によって産生されるＳｅｃｓ−１ポリペプチドの量は、当該分野にお
いて公知の標準的な方法を使用して評価され得る。このような方法としては、限
定しないが、ウェスタンブロット分析、ＳＤＳ−ポリアクリルアミドゲル電気泳
動、非変性ゲル電気泳動、高速液体クロマトグラフィー（ＨＰＬＣ）分離、免疫
沈降、および／またはＤＮＡ結合ゲルシフトアッセイのような活性アッセイが挙
げられる。
【０１３４】
Ｓｅｃｓ−１ポリペプチドが宿主細胞から分泌されるように設計される場合、
ポリペプチドの大部分は、細胞培養培地中で見出され得る。しかし、Ｓｅｃｓ−
１ポリペプチドが宿主細胞から分泌されない場合、細胞質および／または核（真
核宿主細胞について）に、あるいは、細胞質ゾル（グラム陰性細菌宿主細胞につ
いて）に存在する。
【０１３５】
宿主細胞細胞質および／または核（真核生物宿主細胞について）に位置するか
または細胞質ゾル（細菌宿主細胞について）に位置するＳｅｃｓ−１ポリペプチ
ドについて、細胞内物質（グラム陰性細菌についての封入体を含む）は、当業者
に公知の任意の標準的な技術を使用して宿主細胞から抽出され得る。例えば、宿
主細胞は、フレンチプレス、ホモジネート化、および／または超音波処理、続く
遠心分離によって、ペリプラズム／細胞質の内容物を放出するように溶解され得
る。
【０１３６】
Ｓｅｃｓ−１ポリペプチドが細胞質ゾル内に封入体を形成した場合、この封入
体は、しばしば、細胞内膜および／または細胞外膜に結合され得、従って、主に
、遠心分離後のペレット材料において見出される。次いで、ペレット材料は、極
端なｐＨで、あるいはジチオトレイトールのような還元剤の存在下アルカリ性の
ｐＨで、またはトリスカルボキシエチルホスフィンの存在下酸性のｐＨで、界面
活性剤、グアニジン、グアニジン誘導体、尿素、または尿素誘導体のようなカオ
トロピック剤で処理されて、封入体を放出させ、分断させ、そして溶解させ得る
。次いで、溶解されたＳｅｃｓ−１ポリペプチドは、ゲル電気泳動、免疫沈降な
どを使用して分析され得る。Ｓｅｃｓ−１ポリペプチドを単離することが望まし
い場合、単離は、本明細書中およびＭａｒｓｔｏｎら，１９９０，Ｍｅｔｈ．Ｅ
ｎｚ．，１８２：２６４−７５に記載される方法のような標準的な方法を使用し
て達成され得る。
【０１３７】
いくつかの場合、Ｓｅｃｓ−１ポリペプチドは、単離の際に生物学的に活性で
なくても良い。ポリペプチドをその三次構造に「再折り畳み」または変換し、そ
してジスルフィド結合を生成するための種々の方法を使用して、生物学的活性を
回複し得る。このような方法は、溶解されたポリペプチドを、一定のｐＨ（通常
は、７より上）および特定の濃度のカオトロピック剤（ｃｈａｏｔｒｏｐｅ）の
存在に曝露する工程を包含する。カオトロピック剤の選択は、封入体溶解に使用
される選択肢に非常に類似するが、通常、カオトロピック剤は低い濃度で使用さ
れ、溶解に使用されるカオトロピック剤と必ずしも同一ではない。多くの場合、
再折り畳み／酸化溶液はまた、還元剤、または特定の比の還元剤およびその酸化
形態を含んで、特定の酸化還元電位を生成し、タンパク質のシステイン架橋の形
成を生じるジスルフィドシャフリングを可能にする。通常使用される酸化還元対
のいくつかとしては、システイン／シスタミン、グルタチオン（ＧＳＨ）／ジチ
オビスＧＳＨ、塩化銅、ジチオトレイトール（ＤＴＴ）／ジチアンＤＴＴ、およ
び２−２−メルカプトエタノール（ｂＭＥ）／ジチオ−ｂ（ＭＥ）が挙げられる
。多くの場合において、共溶媒が、再折り畳みの効率を増加するのに使用され得
るかまたは必要とされ得、この目的のために使用されるより一般的な試薬として
は、グリセロール、種々の分子量のポリエチレングリコール、アルギニンなどが
挙げられる。
【０１３８】
封入体がＳｅｃｓ−１ポリペプチドの発現において有意な程度まで形成されな
い場合、ポリペプチドは、主に、細胞ホモジネートの遠心分離後の上清中に見出
される。ポリペプチドは、さらに、本明細書中に記載されるような方法を使用し
て上清から単離され得る。
【０１３９】
溶液からのＳｅｃｓ−１ポリペプチドの精製は、種々の技術を使用して達成さ
れ得る。ポリペプチドが、ヘキサヒスチジン（Ｓｅｃｓ−１ポリペプチド／ヘキ
サＨｉｓ）のようなタグまたは他の小さなペプチド（例えば、ＦＬＡＧ（Ｅａｓ
ｔｍａｎ  Ｋｏｄａｋ  Ｃｏ．，Ｎｅｗ  Ｈａｖｅｎ，ＣＴ）またはｍｙｃ（Ｉ
ｎｖｉｔｒｏｇｅｎ，Ｃａｒｌｓｂａｄ，ＣＡ））をそのカルボキシル末端また
はアミノ末端のいずれかにおいて含むように合成された場合、カラムマトリクス
がタグに対して高い親和性を有するアフィニティーカラムに溶液を通すことによ
って一工程で精製され得る。
【０１４０】
例えば、ポリヒスチジンは、ニッケルに対して大きな親和性および特異性で結
合する。従って、ニッケルのアフィニティーカラム（例えば、Ｑｉａｇｅｎ（登
録商標）ニッケルカラム）は、Ｓｅｃｓ−１ポリペプチド／ポリＨｉｓの精製の
ために使用され得る。例えば、Ｃｕｒｒｅｎｔ  Ｐｒｏｔｏｃｏｌｓ  ｉｎ  Ｍ
ｏｌｅｃｕｌａｒ  Ｂｉｏｌｏｇｙ  §  １０．１１．８（Ａｕｓｕｂｅｌら編
，Ｇｒｅｅｎ  Ｐｕｂｌｉｓｈｅｒｓ  Ｉｎｃ．およびＷｉｌｅｙ  ａｎｄ  Ｓ
ｏｎｓ  １９９３）を参照のこと。
【０１４１】
さらに、Ｓｅｃｓ−１ポリペプチドは、Ｓｅｃｓ−１ポリペプチドを特異的に
認識し得、そして結合し得るモノクローナル抗体の使用によって精製され得る。
【０１４２】
精製のための他の適切な手段としては、アフィニティークロマトグラフィー、
免疫アフィニティークロマトグラフィー、イオン交換クロマトグラフィー、モレ
キュラーシーブクロマトグラフィー、ＨＰＬＣ、電気泳動（ネイティブゲル電気
泳動を含む）、続くゲル溶出、および調製等電点電気泳動（「Ｉｓｏｐｒｉｍｅ
」ｍａｃｈｉｎｅ／ｔｅｃｈｎｉｑｕｅ，Ｈｏｅｆｅｒ  Ｓｃｉｅｎｔｉｆｉｃ
，Ｓａｎ  Ｆｒａｎｃｉｓｃｏ，ＣＡ）が挙げられるが、これらに限定されない
。いくつかの場合において、２つ以上の精製技術を、増加した純度を達成するた
めに組み合わせ得る。
【０１４３】
Ｓｅｃｓ−１ポリペプチドはまた、Ｍｅｒｒｉｆｉｅｌｄら，１９６３，Ｊ．
Ａｍ．Ｃｈｅｍ．Ｓｏｃ．８５：２１４９；Ｈｏｕｇｈｔｅｎら，１９８５，Ｐ
ｒｏｃ  Ｎａｔｌ  Ａｃａｄ．Ｓｃｉ．ＵＳＡ  ８２：５１３２；ならびに、Ｓ
ｔｅｗａｒｔおよびＹｏｕｎｇ，Ｓｏｌｉｄ  Ｐｈａｓｅ  Ｐｅｐｔｉｄｅ  Ｓ
ｙｎｔｈｅｓｉｓ（Ｐｉｅｒｃｅ  Ｃｈｅｍｉｃａｌ  Ｃｏ．１９８４）に記載
されるような当該分野で公知の技術を使用する、化学合成法（例えば、固相ペプ
チド合成）によって調製され得る。このようなポリペプチドは、アミノ末端にメ
チオニンを有するかまたは有さずに合成され得る。化学的に合成されたＳｅｃｓ
−１ポリペプチドは、これらの参考文献に記載される方法を使用して酸化されて
、ジスルフィド架橋を形成し得る。化学的に合成されたＳｅｃｓ−１ポリペプチ
ドは、組換え的に産生されるかまたは天然の供給源から精製された対応のＳｅｃ
ｓ−１ポリペプチドに匹敵する生物学的活性を有すると予想され、従って、組換
えまたは天然のＳｅｃｓ−１ポリペプチドと相互交換可能に使用され得る。
【０１４４】
Ｓｅｃｓ−１ポリペプチドを得る別の手段は、Ｓｅｃｓ−１ポリペプチドが天
然に見出される供給源の組織および／または流体のような生物学的サンプルから
の精製による。このような精製は、本明細書中に記載されるようなタンパク質精
製のための方法を使用して行われ得る。精製の間、Ｓｅｃｓ−１ポリペプチドの
存在が、例えば、組換え的に産生されたＳｅｃｓ−１ポリペプチドまたはそのペ
プチドフラグメントに対して調製された抗体を使用してモニターされ得る。
【０１４５】
核酸およびポリペプチドを産生するための多くのさらなる方法は、当該分野に
おいて公知であり、この方法は、Ｓｅｃｓ−１ポリペプチドに対して特異性を有
するポリペプチドを産生するために使用され得る。例えば、Ｒｏｂｅｒｔｓら，
１９９７，Ｐｒｏｃ．Ｎａｔｌ．Ａｃａｄ．Ｓｃｉ．Ｕ．Ｓ．Ａ．９４：１２２
９７−３０３を参照のこと。これは、ｍＲＮＡとそのコードされるペプチドとの
間の融合タンパク質の産生を記載する。Ｒｏｂｅｒｔｓ，１９９９，Ｃｕｒｒ．
Ｏｐｉｎ．Ｃｈｅｍ．Ｂｉｏｌ．３：２６８−７３もまた参照のこと。さらに、
米国特許第５，８２４，４６９号は、特定の生物学的機能を実行し得るオリゴヌ
クレオチドを得るための方法を記載する。この手順は、異種プールのオリゴヌク
レオチドを生成する工程を包含し、この異種プールのオリゴヌクレオチドはそれ
ぞれが、５’ランダム化配列、中央部の予備選択配列、および３’ランダム化配
列を有する。得られる異種プールは、所望の生物学的機能を示さない細胞の集団
に導入される。次いで、細胞の亜集団を、予め決定された生物学的機能を示すも
のについてスクリーニングする。その亜集団から、所望の生物学的機能を実行し
得るオリゴヌクレオチドが単離される。
【０１４６】
米国特許第５，７６３，１９２号；同第５，８１４，４７６号；同第５，７２
３，３２３号；および同第５，８１７，４８３号は、ペプチドまたはポリペプチ
ドを産生するためのプロセスを記載する。これは、確率論的な遺伝子またはその
フラグメントを産生し、次いで、その確率論的な遺伝子によってコードされた１
以上のタンパク質を産生する宿主細胞にこれらの遺伝子を導入することによって
達成される。次いで、この宿主細胞は、所望の活性を有するペプチドまたはポリ
ペプチドを産生するクローンを同定するためにスクリーニングされる。
【０１４７】
ペプチドまたはポリペプチドの産生するための別の方法は、Ａｔｈｅｒｓｙｓ
，Ｉｎｃ．によって出願されたＰＣＴ／ＵＳ９８／２００９４（ＷＯ９９／１５
６５０に記載される。これは、「Ｒａｎｄｏｍ  Ａｃｔｉｖａｔｉｏｎ  ｏｆ  
Ｇｅｎｅ  Ｅｘｐｒｅｓｓｉｏｎ  ｆｏｒ  Ｇｅｎｅ  Ｄｉｓｃｏｖｅｒｙ」（
ＲＡＧＥ−ＧＤ）として知られており、このプロセスは、インサイチュ組換え方
法によって、内因性遺伝子の発現または遺伝子の過剰発現の活性化を含む。例え
ば、内因性遺伝子の発現は、非相同性組換えまたは異常な組換えによって、遺伝
子の発現を活性化し得る標的細胞中に、調節配列を組み込むことによって、活性
化または増加される。この標的ＤＮＡは、まず、照射に供せられ、そして遺伝子
プロモーターが挿入される。このプロモーターは、遺伝子の前方に最終的に中断
点を配置し、遺伝子の転写を開始する。これは、所望のペプチドまたはポリペプ
チドの発現を引き起こす。
【０１４８】
これらの方法はまた、包括的なＳｅｃｓ−１ポリペプチド発現ライブラリーを
作製するために使用され得、これは、続いて、種々のアッセイ（例えば、生化学
的アッセイ、細胞アッセイおよび生物全体のアッセイ（例えば、植物、マウスな
ど））において、ハイスループット表現型スクリーニングのために使用され得る
ことが理解される。
【０１４９】
（合成）
本明細書中に記載される核酸分子およびポリペプチド分子は、組換えおよび他
の手段によって産生され得ることが、当業者によって理解される。
【０１５０】
（選択的結合因子）
用語「選択的結合因子」は、１以上のＳｅｃｓ−１ポリペプチドに対して特異
性を有する分子をいう。適切な選択的結合因子としては、抗体およびその誘導体
、ポリペプチド、ならびに低分子が挙げられるが、これらに限定されない。適切
な選択的結合因子は、当該分野で公知の方法を使用して調製され得る。本発明の
例示的なＳｅｃｓ−１ポリペプチド選択的結合因子は、Ｓｅｃｓ−１ポリペプチ
ドの特定の部分を結合し得、これにより、ポリペプチドのＳｅｃｓ−１ポリペプ
チドレセプターへの結合を阻害する。
【０１５１】
Ｓｅｃｓ−１ポリペプチドと結合する抗体および抗体フラグメントのような選
択的結合因子は、本発明の範囲内である。この抗体は、一重特異的なポリクロー
ナル抗体を含むポリクローナル抗体；モノクローナル抗体（ＭＡｂ）；組換え抗
体；キメラ抗体；ヒト化抗体（例えば、ＣＤＲ移植化抗体）；ヒト抗体；単鎖抗
体；および／または二重特異的抗体；ならびにそれらのフラグメント；改変体；
または誘導体であり得る。抗体フラグメントとしては、Ｓｅｃｓ−１ポリペプチ
ド上のエピトープに結合する抗体の部分を含む。このようなフラグメントの例と
しては、全長抗体の酵素的切断によって産生されたＦａｂおよびＦ（ａｂ’）フ
ラグメントが挙げられる。他の結合フラグメントとしては、組換えＤＮＡ技術（
例えば、抗体可変領域をコードする核酸配列を含む、組換えプラスミドの発現）
によって産生されたフラグメントが挙げられる。
【０１５２】
Ｓｅｃｓ−１ポリペプチドに指向されたポリクローナル抗体は、一般に、Ｓｅ
ｃｓ−１ポリペプチドおよびアジュバンドの複数回の皮下注射または腹腔内注射
によって動物（例えば、ウサギまたはマウス）において産生される。Ｓｅｃｓ−
１ポリペプチドをキャリアタンパク質に結合させることは有用であり得る。この
キャリアタンパク質は、キーホールリンペットヘモシアニン、血清、アルブミン
、ウシサイログロブリン、またはダイズトリプシンインヒビターのように、免疫
される種において免疫原性である。また、ミョウバンのような凝集剤は、免疫応
答を増強させるために使用される。免疫後、この動物は採血され、そして血清を
、抗Ｓｅｃｓ−１抗体力価についてアッセイする。
【０１５３】
Ｓｅｃｓ−１ポリペプチドに指向されたモノクローナル抗体は、培養中の継代
細胞株による抗体分子の産生を提供する任意の方法を使用して産生される。モノ
クローナル抗体を調製するために適切な方法の例として、Ｋｏｈｌｅｒら、１９
７５、Ｎａｔｕｒｅ  ２５６：４９５−９７のハイブリドーマ法、およびヒトＢ
細胞ハイブリドーマ法（Ｋｏｚｂｏｒ、１９８４、Ｊ．Ｉｍｍｕｎｏｌ．１３３
：３００１；Ｂｒｏｄｅｕｒら、Ｍｏｎｏｃｌｏｎａｌ  Ａｎｔｉｂｏｄｙ  Ｐ
ｒｏｄｕｃｔｉｏｎ  Ｔｅｃｈｎｉｑｕｅｓ  ａｎｄ  Ａｐｐｌｉｃａｔｉｏｎ
ｓ  ５１−６３（Ｍａｒｃｅｌ  Ｄｅｋｋｅｒ，Ｉｎｃ．，１９８７））が挙げ
られる。Ｓｅｃｓ−１ポリペプチドと反応性のモノクローナル抗体を産生するハ
イブリドーマ細胞株もまた、本発明によって提供される。
【０１５４】
本発明のモノクローナル抗体は、治療剤として使用するために、改変され得る
。１つの実施形態は、「キメラ」抗体であり、この抗体において重鎖（Ｈ）およ
び／または軽鎖（Ｌ）の一部が、特定の種に由来するかまたは特定の抗体のクラ
スもしくはサブクラスに属する抗体中の対応する配列と同一であるか、または相
同性であり、一方で、この鎖の残りの部分は、別の種に由来するか、または別の
抗体のクラスもしくはサブクラスに属する抗体における対応の配列と同一である
か、または相同性である。抗体のフラグメントが所望の生物学的活性を示す限り
、このような抗体のフラグメントも含まれる。米国特許第４，８１６，５６７号
；Ｍｏｒｒｉｓｏｎら、１９８５、Ｐｒｏｃ．Ｎａｔｌ．Ａｃａｄ．Ｓｃｉ．８
１：６８５１−５５を参照のこと。
【０１５５】
別の実施形態において、本発明のモノクローナル抗体は、「ヒト化」抗体であ
る。非ヒト抗体をヒト化するための方法は、当該分野で周知である。米国特許第
５，５８５，０８９号および同第５，６９３，７６２号を参照のこと。一般に、
ヒト化した抗体は、非ヒトである供給源からその抗体に導入される１以上のアミ
ノ酸残基を有する。ヒト化は、例えば、当該分野（Ｊｏｎｅｓら、１９８６、Ｎ
ａｔｕｒｅ  ３２１：５２２−２５；Ｒｉｅｃｈｍａｎｎら、１９９８、Ｎａｔ
ｕｒｅ  ３３２：３２３−２７；Ｖｅｒｈｏｅｙｅｎら、１９８８、Ｓｃｉｅｎ
ｃｅ  ２３９：１５３４−３６）で記載される方法を使用して、げっ歯類の相補
性決定領域（ＣＤＲ）の少なくとも一部をヒトの抗体の対応する領域の代わりに
置換することによって、実施され得る。
【０１５６】
Ｓｅｃｓ−１ポリペプチドと結合するヒト抗体もまた、本発明によって包含さ
れる。内因性の免疫グロブリン産生の非存在下で、ヒト抗体のレパートリーを産
生し得る、トランスジェニック動物（例えば、マウス）を使用して、このような
抗体は、Ｓｅｃｓ−１ポリペプチド抗原（すなわち、少なくとも６個の連続する
アミノ酸を有する）を用いて免疫することによって産生され、必要に応じて、キ
ャリアに結合される。例えば、Ｊａｋｏｂｏｖｉｔｓら，１９９３，Ｐｒｏｃ．
Ｎａｔｌ．Ａｃａｄ  Ｓｃｉ．９０：２５５１−５５；Ｊａｋｏｂｏｖｉｔｓら
，１９９３，Ｎａｔｕｒｅ  ３６２：２５５−５８；Ｂｒｕｇｇｅｒｍａｎｎら
，１９９３，Ｙｅａｒ  ｉｎ  Ｉｍｍｕｎｏ．７：３３を参照のこと。１つの方
法において、このようなトランスジェニック動物は、重鎖および軽鎖の免疫グロ
ブリン鎖をコードする内因性遺伝子座をその中で無能にし、そしてヒトの重鎖お
よび軽鎖のタンパク質をコードする遺伝子座をそのゲノムに挿入することによっ
て産生される。次いで、部分的に改変された動物（この動物は、完全には補完さ
れていない改変を有する）は、所望の免疫系の改変の全てを有する動物を得るた
めに交雑される。免疫原が投与される場合、これらのトランスジェニック動物が
、ヒト（例えば、マウスではない）アミノ酸配列（このアミノ酸配列は、これら
の抗原に対して免疫特異性である可変領域を含む）を有する抗体を産生する。Ｐ
ＣＴ出願番号ＰＣＴ／ＵＳ９６／０５９２８および同ＰＣＴ／ＵＳ９３／０６９
２６を参照のこと。さらなる方法は、米国特許第５，５４５，８０７号、ＰＣＴ
出願番号ＰＣＴ／ＵＳ９１／２４５および同ＰＣＴ／ＧＢ８９／０１２０７、な
らびに欧州特許第５４６０７３Ｂ１号および同第５４６０７３Ａ１号に記載され
る。ヒト抗体はまた、宿主細胞中での組換えＤＮＡの発現または本明細書中に記
載されるようなハイブリドーマ細胞中での発現によって産生され得る。
【０１５７】
代替の実施形態において、ヒト抗体はまた、ファージディスプレイライブラリ
から産生され得る（Ｈｏｏｇｅｎｂｏｏｍら，１９９１，Ｊ．Ｍｏｌ．Ｂｉｏｌ
．２２７：３８１；Ｍａｒｋｓら，１９９１，Ｊ．Ｍｏｌ．Ｂｉｏｌ．２２２：
５８１）。これらのプロセスは、糸状バクテリオファージ表面上の抗体レパート
リーの提示を介した免疫選択、そして選択した抗原へのこれらの結合によるファ
ージの引き続く選択を模倣する。このような技術の１つは、ＰＣＴ出願番号ＰＣ
Ｔ／ＵＳ９８／１７３６４に記載されており、これには、このようなアプローチ
を使用する、ＭＰＬレセプターおよびｍｓｋレセプターに対して高い親和性の抗
体および機能的なアゴニスト抗体の単離が記載される。
【０１５８】
キメラ抗体、ＣＤＲ移植抗体、およびヒト化抗体は、代表的には組換え方法に
よって産生される。抗体をコードする核酸は、宿主細胞中に導入され、そして本
明細書中に記載される材料および手順を使用して発現される。好ましい実施形態
において、この抗体は、哺乳動物宿主細胞（例えば、ＣＨＯ細胞）中で産生され
る。モノクローナル（例えば、ヒト）抗体は、本明細書中に記載されるように、
宿主細胞中での組換えＤＮＡの発現またはハイブリドーマ細胞中での発現によっ
て産生され得る。
【０１５９】
本発明の抗Ｓｅｃｓ−１抗体は、Ｓｅｃｓ−１ポリペプチドの検出および定量
のための任意の公知のアッセイ方法（例えば、競合結合アッセイ、直接的および
間接的なサンドイッチアッセイ、および免疫沈降アッセイ）において使用され得
る（Ｓｏｌａ，Ｍｏｎｏｃｌｏｎａｌ  Ａｎｔｉｂｏｄｉｅｓ：Ａ  Ｍａｎｕａ
ｌ  ｏｆ  Ｔｅｃｈｎｉｑｕｅｓ  １４７−１５８（ＣＲＣ  Ｐｒｅｓｓ，Ｉｎ
ｃ．，１９８７））。これらの抗体は、使用されるアッセイ方法に適切な親和性
でＳｅｃｓ−１ポリペプチドと結合する。
【０１６０】
診断的適用のために、特定の実施形態において、抗Ｓｅｃｓ−１抗体は、検出
可能な部分で標識され得る。この検出可能な部分は、直接的または間接的のいず
れかで、検出可能なシグナルを産生し得る任意の部分であり得る。例えば、検出
可能な部分は、放射性同位体（例えば、３Ｈ、１４Ｃ、３２Ｐ、３５Ｓ、１２５
Ｉ、９９Ｔｃ、１１１Ｉｎ、または６７Ｇａ）；蛍光化合物または化学発光化合
物（例えば、フルオレセインイソチオシアネート、ローダミン、もしくはルシフ
ェリン）；または酵素（例えば、アルカリホスファターゼ、β−ガラクトシダー
ゼ、もしくは西洋ワサビペルオキシダーゼ）であり得る（Ｂａｙｅｒら，１９９
０，Ｍｅｔｈ．Ｅｎｚ．１８４：１３８−６３）。
【０１６１】
競合結合アッセイは、標識した標準物質（例えば、Ｓｅｃｓ−１ポリペプチド
、またはその免疫学的に反応性の部分）の能力に依存し、限定された量の抗Ｓｅ
ｃｓ−１抗体との結合に関して、試験サンプル分析物（Ｓｅｃｓ−１ポリペプチ
ド）と競合する。試験サンプル中のＳｅｃｓ−１ポリペプチドの量は、抗体と結
合する標準物質の量と反比例する。結合する標準物質の量を決定するのを容易に
するために、これらの抗体は、代表的には競合前または競合後に不溶化され、そ
の結果これらの抗体と結合する標準物質および分析物は、結合しないままの標準
物質および分析物から都合よく分離され得る。
【０１６２】
サンドイッチアッセイは、代表的には２つの抗体の使用を含み、各々の抗体は
、検出および／または定量されるタンパク質の異なる免疫原性部分（すなわち、
エピトープ）に結合し得る。サンドイッチアッセイにおいて、この試験サンプル
分析物は、代表的には固体支持体上に固定される第１抗体によって結合され、そ
の後、第２抗体が、この分析物に結合し、このようにして不溶性の３部分複合体
を形成する。例えば、米国特許第４，３７６，１１０号を参照のこと。第２抗体
自体は、検出可能な部分で標識され得るか（直接的なサンドイッチアッセイ）、
または検出可能な部分で標識された抗免疫グロブリン抗体を使用して測定され得
る（間接的なサンドイッチアッセイ）。例えば、サンドイッチアッセイの１つの
型は、酵素結合イムノソルベントアッセイ（ＥＬＩＳＡ）（この場合、検出可能
な部分は、酵素である）である。
【０１６３】
抗Ｓｅｃｓ−１抗体を含む、選択的結合因子はまた、インビボ画像化のために
有用である。検出可能な部分で標識した抗体は、動物に、好ましくは、血流に投
与され得、宿主中における標識した抗体の存在および位置がアッセイされる。こ
の抗体は、核磁気共鳴、放射線学、または当該分野で公知の他の検出手段のいず
れかによって、動物中で検出可能である任意の部分で標識され得る。
【０１６４】
抗体を含む、本発明の選択的結合因子は、治療剤として使用され得る。これら
の治療剤は、一般に、アゴニストまたはアンタゴニストであり、これらはそれぞ
れ、Ｓｅｃｓ−１ポリペプチドの少なくとも１つの生物学的活性を、増強または
減少させるかのいずれかである。１つの実施形態において、本発明のアンタゴニ
スト抗体は、Ｓｅｃｓ−１ポリペプチドに特異的に結合し得、そしてインビボま
たはインビトロでＳｅｃｓ−１ポリペプチドの機能活性を阻害または排除し得る
、抗体またはその結合フラグメントである。好ましい実施形態において、選択的
結合因子（例えば、アンタゴニスト抗体）は、Ｓｅｃｓ−１ポリペプチドの機能
活性を、少なくとも約５０％、および好ましくは、少なくとも約８０％阻害する
。別の実施形態において、選択的結合因子は、Ｓｅｃｓ−１ポリペプチド結合パ
ートナー（リガンドまたはレセプター）と相互作用し得、これにより、インビト
ロまたはインビボにおいてＳｅｃｓ−１ポリペプチド活性を阻害または排除する
、抗Ｓｅｃｓ−１ポリペプチドであり得る。アゴニストおよびアンタゴニスト抗
Ｓｅｃｓ−１ポリペプチド抗体を含む、選択的結合因子は、当該分野で周知であ
るスクリーニングアッセイによって同定される。
【０１６５】
本発明はまた、Ｓｅｃｓ−１選択的結合因子（例えば、抗体）および生物学的
サンプル中でＳｅｃｓ−１ポリペプチドレベルを検出するために有用である他の
試薬を含むキットに関する。このような試薬として、検出可能な標識、ブロッキ
ング血清、ポジティブおよびネガティブコントロールサンプル、ならびに検出試
薬が挙げられ得る。
【０１６６】
（マイクロアレイ）
ＤＮＡマイクロアレイ技術は、本発明に従って利用され得ることが理解される
。ＤＮＡマイクロアレイは、固体支持体（例えば、ガラス）上に配置された核酸
の小型高密度アレイである。このアレイ内の各細胞またはエレメントは、相補的
核酸配列（例えば、ｍＲＮＡ）とハイブリダイゼーションするための標識として
作用する、単一の核酸種の多数のコピーを含む。ＤＮＡマイクロアレイ技術を使
用する発現プロファイリングにおいて、ｍＲＮＡは、細胞サンプルまたは組織サ
ンプルからまず抽出され、次いで、蛍光標識されたｃＤＮＡに酵素学的に変換さ
れる。この材料は、マイクロアレイにハイブリダイズされ、そして未結合のｃＤ
ＮＡは、洗浄により除去される。次いで、このアレイ上に提示される個々の遺伝
子の発現は、各標的核酸分子に特異的に結合する、標識されたｃＤＮＡの量を定
量することによって可視化される。このようにして、数千の遺伝子の発現が、生
物学的材料の単一サンプルから、高スループットの並行様式で定量され得る。
【０１６７】
この高スループット発現プロファイリングは、本発明のＳｅｃｓ−１分子に関
連して広範な用途を有し、これらとしては、以下が挙げられるが、これに限定さ
れない：治療のための標的としての、Ｓｅｃｓ−１疾患関連遺伝子の同定および
確認；関連するＳｅｃｓ−１分子およびそのインヒビターの分子毒性学；臨床試
験のための集団の階層化および代理マーカーの産生；および高スループットスク
リーニングにおいて、選択化合物の同定を援助することによって、関連するＳｅ
ｃｓ−１ポリペプチド低分子薬物の発見を増強すること。
【０１６８】
（化学的誘導体）
Ｓｅｃｓ−１ポリペプチドの化学的に改変された誘導体は、本明細書中の開示
を考慮して、当業者によって調製され得る。Ｓｅｃｓ−１ポリペプチド誘導体は
、このポリペプチドに自然に結合した分子の型または位置のいずれかで、異なる
様式で改変される。誘導体は、１以上の自然に結合した化学的な基の欠失によっ
て形成される分子を含み得る。配列番号２もしくは配列番号５のいずれかのアミ
ノ酸配列を含むポリペプチド、または他のＳｅｃｓ−１ポリペプチドは、１以上
のポリマーの共有結合によって改変され得る。例えば、選択されるポリマーは、
代表的に水溶性であり、その結果、このポリマーが結合するタンパク質は、水環
境（例えば、生理学的な環境）下で沈殿しない。ポリマーの混合物が、適切なポ
リマーの範囲内に含まれる。好ましくは、最終生成物の調製物の治療的使用のた
めに、このポリマーは、薬学的に受容可能である。
【０１６９】
このポリマーの各々は、任意の分子量を有し得、そして分枝または非分枝であ
り得る。このポリマーの各々は、代表的に、約２ｋＤａと約１００ｋＤａとの間
の平均分子量を有する（この用語「約（およそ）」は、水溶性ポリマーの調製の
際に、幾つかの分子は上記の分子量より多く、幾つかの分子は上記の分子量より
少ない重量を有することを示す）。各ポリマーの平均分子量は、好ましくは、約
５ｋＤａと約５０ｋＤａの間、より好ましくは、約１２ｋＤａと約４０ｋＤａと
の間、そして最も好ましくは、約２０ｋＤａと約３５Ｄａとの間である。
【０１７０】
適切な水溶性ポリマーまたはその混合物としては、以下が挙げられるが、これ
らに限定されない：Ｎ結合型またはＯ結合型の炭水化物、糖、ホスフェート、ポ
リエチレングリコール（ＰＥＧ）（これは、モノ−（Ｃ１−Ｃ１０）、アルコキ
シ−、またはアリールオキシ−ポリエチレングリコールを含む、タンパク質を誘
導体化するために使用されるＰＥＧの形態を含む）、モノメトキシ−ポリエチレ
ングリコール、デキストラン（例えば、低分子量（例えば、約６ｋＤ）のデキス
トラン）、セルロース、または他の炭水化物ベースのポリマー、ポリ−（Ｎ−ビ
ニルピロリジン）ポリエチレングリコール、プロピレングリコールホモポリマー
、ポリプロピレンオキシド／エチレンオキシドコポリマー、ポリオキシエチル化
ポリオール（例えば、グリセロール）、およびポリビニルアルコール。共有結合
したＳｅｃｓ−１ポリペプチドマルチマーを調製するために使用され得る、二官
能性架橋分子もまた、本発明に含まれる。
【０１７１】
一般に、化学的誘導体化は、活性化したポリマー分子とタンパク質とを反応さ
せるために使用される任意の適切な条件下で、実施され得る。ポリペプチドの化
学的誘導体を調製するための方法は、一般に、以下の工程を包含する：（ａ）配
列番号２もしくは配列番号５のいずれかのアミノ酸配列を含むポリペプチド、ま
たは他のＳｅｃｓ−１ポリペプチドが、１以上のポリマー分子に結合する条件下
で、活性化したポリマー分子（例えば、ポリマー分子の反応性エステル誘導体ま
たはアルデヒド誘導体）とポリペプチドとを反応させる工程、および（ｂ）反応
生成物を得る工程。最適な反応条件は、既知のパラメータおよび所望の結果に基
づいて決定される。例えば、ポリマー分子のタンパク質に対する比が大きくなる
ほど、結合したポリマー分子の割合も大きくなる。１実施形態において、Ｓｅｃ
ｓ−１ポリペプチド誘導体は、アミノ末端に単一ポリマー分子部分を有し得る。
例えば、米国特許第５，２３４，７８４号を参照のこと。
【０１７２】
ポリペプチドのペグ化（ｐｅｇｙｌａｔｉｏｎ）は、当該分野で公知のペグ化
反応のいずれかを使用して特異的に実施され得る。このような反応は、例えば、
以下の参考文献に記載されている：Ｆｒａｎｃｉｓら，１９９２，Ｆｏｃｕｓ  
ｏｎ  Ｇｒｏｗｔｈ  Ｆａｃｔｏｒｓ  ３：４−１０；欧州特許第０１５４３１
６号および同第０４０１３８４号；ならびに米国特許第４，１７９，３３７号。
例えば、ペグ化は、本明細書中に記載されるように、反応性ポリエチレングリコ
ール分子（または、類似の反応性水溶性ポリマー）とのアシル化反応またはアル
キル化反応を介して実施され得る。アシル化反応のために、選択されたポリマー
は、単一の反応性エステル基を有すべきである。還元アルキル化のために、選択
されたポリマーは、単一の反応性アルデヒド基を有すべきである。例えば、反応
性アルデヒドは、ポリエチレングリコールプロピオンアルデヒド（これは水安定
性である）またはそのモノＣ１−Ｃ１０アルコキシ誘導体もしくはアリールオキ
シ誘導体である（米国特許第５，２５２，７１４号を参照のこと）。
【０１７３】
別の実施形態において、Ｓｅｃｓ−１ポリペプチドは、ビオチンに化学的に連
結され得る。次いで、このビオチン／Ｓｅｃｓ−１ポリペプチド分子は、アビジ
ンに結合されて、４価のアビジン／ビオチン／Ｓｅｃｓ−１ポリペプチド分子が
得られる。Ｓｅｃｓ−１ポリペプチドはまた、ジニトロフェノール（ＤＮＰ）ま
たはトリニトロフェノール（ＴＮＰ）に共有結合され得、そして得られる結合体
は、抗ＤＮＰまたは抗ＴＮＰ−ＩｇＭと共に沈殿して、１０価の十量体の結合体
を形成する。
【０１７４】
一般に、本発明のＳｅｃｓ−１ポリペプチド誘導体の投与によって緩和または
調節され得る条件は、Ｓｅｃｓ−１ポリペプチドについて本明細書中に記載され
た条件を含む。しかし、本明細書中に開示されるＳｅｃｓ−１ポリペプチド誘導
体は、非誘導体化分子と比較した場合、さらなる活性、増大または減少した生物
学的活性、あるいは他の特性（例えば、増加または減少した半減期）を有し得る
。
【０１７５】
（遺伝子操作された非ヒト動物）
マウス、ラット、または他のげっ歯類；ウサギ、ヤギ、ヒツジ、または他の家
畜のような非ヒト動物であって、ここで、ネイティブなＳｅｃｓ−１ポリペプチ
ドをコードする遺伝子が破壊（すなわち「ノックアウト」）され、その結果、Ｓ
ｅｃｓ−１ポリペプチドの発現レベルが有意に減少しているかまたは完全に消失
している非ヒト動物が、さらに本発明の範囲内に含まれる。このような動物は、
米国特許第５，５５７，０３２号に記載されるような技術および方法を使用して
調製され得る。
【０１７６】
本発明は、マウス、ラット、または他のげっ歯類；ウサギ、ヤギ、ヒツジ、ま
たは他の家畜のような非ヒト動物であって、この動物のＳｅｃｓ−１遺伝子の天
然の形態または異種Ｓｅｃｓ−１遺伝子のいずれかが、この動物によって過剰発
現され、これによって、「トランスジェニック」動物を作製する、非ヒト動物を
さらに含む。このようなトランスジェニック動物は、米国特許第５，４８９，７
４３号およびＰＣＴ公開番号ＷＯ９４／２８１２２号に記載されるような周知の
方法を使用して調製され得る。
【０１７７】
本発明は、本発明のＳｅｃｓ−１ポリペプチドについてのプロモーターの１以
上が（例えば、相同組換え方法を使用することによって）活性化されるか、また
は不活化されるかのいずれかによって、ネイティブＳｅｃｓ−１ポリペプチドの
１以上の発現のレベルが改変された、非ヒト動物をさらに含む。
【０１７８】
これらの非ヒト動物は、薬物候補物スクリーニングのために使用され得る。こ
のようなスクリーニングにおいて、動物での薬物候補物の影響が測定され得る。
例えば、薬物候補物は、Ｓｅｃｓ−１遺伝子の発現を減少または増加させ得る。
特定の実施形態において、産生されるＳｅｃｓ−１ポリペプチドの量は、動物を
薬物候補物に曝露した後に測定され得る。さらに、特定の実施形態において、動
物での薬物候補物の実際の影響を検出し得る。例えば、特定の遺伝子の過剰発現
は、疾患状態または病理学的状態を生じ得るか、またはこれらに関連し得る。こ
のような場合において、薬物候補物が遺伝子の発現を減少させる能力あるいは薬
物候補物が病理学的状態を防止または阻害する能力を試験し得る。他の例におい
て、ポリペプチドのフラグメントのような、特定の代謝産物の産生により、疾患
状態または病理学的状態を生じ得るか、またはこれらに関連し得る。このような
場合において、薬物候補物がこのような代謝産物の産生を減少させる能力あるい
は薬物候補物が病理学的状態を防止または阻害する能力を試験し得る。
【０１７９】
（Ｓｅｃｓ−１ポリペプチド活性の他のモジュレーターについてのアッセイ）
いくつかの状態において、Ｓｅｃｓ−１ポリペプチドの活性のモジュレーター
である分子（すなわち、アゴニストまたはアンタゴニスト）を同定することが所
望され得る。Ｓｅｃｓ−１ポリペプチドを調節する天然または合成の分子は、本
明細書中に記載されるスクリーニングアッセイのような、１以上のスクリーニン
グアッセイを使用して同定され得る。このような分子は、エキソビボ様式または
インビボ様式のいずれかで、注射、または経口送達、移植デバイスなどによって
投与され得る。
【０１８０】
「試験分子」とは、Ｓｅｃｓ−１ポリペプチドの活性を調節する（すなわち、
増加または減少させる）ための能力について評価する分子をいう。最も一般的に
、試験分子は、Ｓｅｃｓ−１ポリペプチドと直接的に相互作用する。しかし、試
験分子はまた、例えば、Ｓｅｃｓ−１遺伝子発現に影響を与えることによって、
またはＳｅｃｓ−１ポリペプチド結合パートナー（例えば、レセプターまたはリ
ガンド）に結合することによって、Ｓｅｃｓ−１ポリペプチド活性を直接的に調
節し得ることも意図される。１実施形態において、試験分子は、少なくとも約１
０−６Ｍ、好ましくは、約１０−８Ｍ、より好ましくは、約１０−９Ｍ、そして
さらにより好ましくは約１０−１０Ｍの親和性定数（ａｆｆｉｎｉｔｙ  ｃｏｎ
ｓｔａｎｔ）でＳｅｃｓ−１ポリペプチドと結合する。
【０１８１】
Ｓｅｃｓ−１ポリペプチドと相互作用する化合物を同定するための方法は、本
発明によって包含される。特定の実施形態において、Ｓｅｃｓ−１ポリペプチド
は、試験分子とＳｅｃｓ−１ポリペプチドとの相互作用が可能な条件下で、試験
分子と共にインキュベートされ、そして相互作用の程度が測定される。試験分子
は、実質的に精製された形態または粗製の混合物中でスクリーニングされ得る。
【０１８２】
特定の実施形態において、Ｓｅｃｓ−１ポリペプチドアゴニストまたはアンタ
ゴニストは、Ｓｅｃｓ−１ポリペプチドと相互作用して、その活性を調節する、
タンパク質、ペプチド、炭水化物、脂質、または低分子量の分子であり得る。Ｓ
ｅｃｓ−１ポリペプチドの発現を調節する分子は、Ｓｅｃｓ−１ポリペプチドを
コードする核酸と相補的であるか、またはＳｅｃｓ−１ポリペプチドの発現を指
向もしくは制御する核酸配列に対して相補的であって、かつ発現のアンチセンス
調節因子として作用する核酸を含む。
【０１８３】
一旦、試験化合物がＳｅｃｓ−１ポリペプチドと相互作用すると同定されると
、この分子は、Ｓｅｃｓ−１ポリペプチド活性を増加または減少させる能力につ
いてさらに評価され得る。試験分子とＳｅｃｓ−１ポリペプチドとの相互作用の
測定は、いくつかの形態で実施され得、これには、細胞ベースの結合アッセイ、
膜結合アッセイ、溶液相アッセイ、および免疫アッセイが挙げられる。一般に、
試験分子は、特定の期間、Ｓｅｃｓ−１ポリペプチドと共にインキュベートされ
、そしてＳｅｃｓ−１ポリペプチド活性が、生物学的活性を測定するために１以
上のアッセイによって決定される。
【０１８４】
試験分子とＳｅｃｓ−１ポリペプチドとの相互作用はまた、免疫アッセイにお
いて、ポリクローナル抗体またはモノクローナル抗体を使用して直接的にアッセ
イされ得る。あるいは、本明細書中に記載されるようなエピトープタグを含むＳ
ｅｃｓ−１ポリペプチドの改変形態は、溶液および免疫アッセイ中で使用され得
る。
【０１８５】
Ｓｅｃｓ−１ポリペプチドが、結合パートナー（例えば、レセプターまたはリ
ガンド）との相互作用を介して、生物学的活性を示す場合において、種々のイン
ビトロアッセイが、対応する結合パートナー（例えば、選択的結合因子、レセプ
ター、またはリガンド）へのＳｅｃｓ−１ポリペプチドの結合を測定するために
使用され得る。これらのアッセイは、結合パートナーに対するＳｅｃｓ−１ポリ
ペプチドの結合の速度および／または結合程度を増加または減少させる能力につ
いて、試験分子をスクリーニングするために使用され得る。１つのアッセイにお
いて、Ｓｅｃｓ−１ポリペプチドは、マイクロタイタープレートのウェル中に固
定化される。次いで、放射標識したＳｅｃｓ−１ポリペプチド結合パートナー（
例えば、ヨウ素化したＳｅｃｓ−１ポリペプチド結合パートナー）および試験化
合物は、このウェルに、一時に一方を（いずれかの順序で）または同時に添加さ
れ得る。インキュベーション後に、このウェルを洗浄し、そしてシンチレーショ
ン計数器を使用して、放射能を計数して、結合パートナーがＳｅｃｓ−１ポリペ
プチドに結合した程度を決定し得る。代表的に、分子は、ある濃度範囲にわたっ
て試験され、そして試験アッセイの１以上の要素を欠く一連のコントロールウェ
ルは、結果の評価において正確性に関して使用され得る。この方法の代わりは、
タンパク質の「位置」を逆にする工程（すなわち、マイクロタイタープレートウ
ェルにＳｅｃｓ−１ポリペプチド結合パートナーを固定化し、試験分子および放
射標識したＳｅｃｓ−１ポリペプチドをインキュベートし、そしてＳｅｃｓ−１
ポリペプチド結合の程度を決定する工程）を包含する。例えば、Ｃｕｒｒｅｎｔ
Ｐｒｏｔｏｃｏｌｓ  ｉｎ  Ｍｏｌｅｃｕｌａｒ  Ｂｉｏｌｏｇｙ、第１８章
（Ａｕｓｕｂｅｌら編、Ｇｒｅｅｎ  Ｐｕｂｌｉｓｈｅｒｓ  Ｉｎｃ．およびＷ
ｉｌｅｙ  ａｎｄ  Ｓｏｎｓ  １９９５）を参照のこと。
【０１８６】
放射標識に対する代替として、Ｓｅｃｓ−１ポリペプチドまたはその結合パー
トナーは、ビオチンへと結合体化され得、次いで、ビオチン化されたタンパク質
の存在が、酵素（例えば、西洋ワサビペルオキシダーゼ（ＨＲＰ）またはアルカ
リホスファターゼ（ＡＰ））に結合したストレプトアビジンを使用して検出され
得、これらは、比色定量的に検出され得るか、またはストレプトアビジンの蛍光
タグ化によって検出され得る。Ｓｅｃｓ−１ポリペプチドに対する抗体またはＳ
ｅｃｓ−１ポリペプチド結合パートナーに対する抗体（これらは、ビオチンに結
合されている）もまた、ＡＰまたはＨＲＰに連結した酵素連結ストレプトアビジ
ンとの複合体のインキュベーションに続いて、検出の目的のために使用され得る
。
【０１８７】
Ｓｅｃｓ−１ポリペプチドまたはＳｅｃｓ−１ポリペプチド結合パートナーは
また、アガロースビーズ、アクリルビーズ、または他の型のこのような不活性な
固相基材への付着によって固定化され得る。基材−タンパク質複合体は、相補タ
ンパク質および試験化合物を含む溶液内に配置され得る。インキュベーション後
、これらのビーズは、遠心分離によって沈澱され得、そしてＳｅｃｓ−１ポリペ
プチドとその結合パートナーとの間の結合の量が、本明細書中に記載の方法を使
用して評価され得る。あるいは、基材−タンパク質複合体はカラム内に固定化さ
れ得、試験分子および相補タンパク質はカラムを通過し得る。Ｓｅｃｓ−１ポリ
ペプチドトとその結合パートナーとの間の複合体の形成が、次いで、本明細書中
に記載の技術（例えば、放射標識または抗体結合）のいずれかを使用して評価さ
れ得る。
【０１８８】
Ｓｅｃｓ−１ポリペプチド結合タンパク質とＳｅｃｓ−１ポリペプチド結合パ
ートナーとの間の複合体の形成を増加または減少させる試験分子を同定するため
に有用な別のインビトロアッセイは、表面プラズモン共鳴検出器システム（例え
ば、ＢＩＡｃｏｒｅアッセイシステム（Ｐｈａｒｍａｃｉａ，Ｐｉｓｃａｔａｗ
ａｙ，ＮＪ））である。ＢＩＡｃｏｒｅシステムは、製造業者によって特定され
るように利用される。このアッセイは、本質的に、Ｓｅｃｓ−１ポリペプチドま
たはＳｅｃｓ−１ポリペプチド結合パートナーのいずれかの、デキストランでコ
ートされたセンサーチップ（これは、検出器に存在する）への共有結合を含む。
次いで、この試験化合物および他の相補タンパク質が、同時にかまたは連続的に
かのいずれかで、センサーチップを含むチャンバーに注入され得る。結合する相
補タンパク質の量は、センサーチップのデキストランコート側面に物理的に関係
する分子の質量の変化に基づいて評価され得、この分子の質量の変化は、検出器
システムによって測定される。
【０１８９】
いくつかの場合において、２つ以上の試験化合物を一緒に、Ｓｅｃｓ−１ポリ
ペプチドとＳｅｃｓ−１ポリペプチド結合パートナーとの間の複合体の形成を増
加または減少させるそれらの能力について評価することが所望され得る。これら
の場合において、本明細書中に記載のアッセイは、第一の試験化合物と同時にか
、またはそれに続いてのいずれかで、このようなさらなる試験化合物を添加する
ことによって容易に改変され得る。このアッセイにおける残りの工程は、本明細
書中に記載される通りである。
【０１９０】
インビトロアッセイ（例えば、本明細書中に記載されるもの）は、Ｓｅｃｓ−
１ポリペプチドとＳｅｃｓ−１ポリペプチド結合パートナーとの間の複合体の形
成に対する効果について、多数の化合物をスクリーニングするために、有利に使
用され得る。これらのアッセイは、ファージディスプレイ、合成ペプチド、およ
び化学合成ライブラリーにおいて生成された化合物をスクリーニングするために
、自動化され得る。
【０１９１】
Ｓｅｃｓ−１ポリペプチドとＳｅｃｓ−１ポリペプチド結合パートナーとの間
の複合体の形成を増加または減少される化合物はまた、Ｓｅｃｓ−１ポリペプチ
ドまたはＳｅｃｓ−１ポリペプチド結合パートナーのいずれかを発現する細胞お
よび細胞株を使用して、細胞培養物においてスクリーニングされ得る。細胞およ
び細胞株は、任意の哺乳動物から得られ得るが、好ましくは、ヒト、または他の
霊長類、イヌまたはげっ歯類の供給源由来である。Ｓｅｃｓ−１ポリペプチドの
、Ｓｅｃｓ−１ポリペプチド結合パートナーを発現する細胞への、その表面での
結合は、試験分子の存在または非存在下で評価され、そして結合の程度が、例え
ば、Ｓｅｃｓ−１ポリペプチド結合パートナーに対するビオチン化抗体を使用す
るフローサイトメトリーによって決定され得る。細胞培養アッセイは、本明細書
中に記載されるタンパク質結合アッセイにおいて、陽性であるとスコア付けされ
る化合物をさらに評価するために有利に使用され得る。
【０１９２】
細胞培養物はまた、薬物候補の影響をスクリーニングするために使用され得る
。例えば、薬物候補は、Ｓｅｃｓ−１遺伝子の発現を減少または増加させ得る。
特定の実施形態において、生成されるＳｅｃｓ−１ポリペプチドまたはＳｅｃｓ
−１ポリペプチドフラグメントの量は、細胞培養物の薬物候補への曝露の後に測
定され得る。特定の実施形態において、細胞培養物に対する薬物候補の実質的な
影響を検出し得る。例えば、特定の遺伝子の過剰発現は、細胞培養物に対する特
定の影響を有し得る。このような場合に、遺伝子の発現を増加または減少させる
薬物候補の能力、または細胞培養物に対する特定の影響を予防または阻害するそ
の能力を試験し得る。他の例において、特定の代謝産物（例えば、ポリペプチド
のフラグメントなど）の生成が、疾患または病的状態を生じ得るか、またはそれ
らと関連し得る。このような場合、細胞培養物におけるこのような代謝産物の生
成を減少させる薬物候補の能力を試験し得る。
【０１９３】
（内部移行タンパク質）
ｔａｔタンパク質配列（ＨＩＶ由来）が、タンパク質を細胞内に内部移行させ
るために、使用され得る。例えば、Ｆａｌｗｅｌｌら、１９９４、Ｐｒｏｃ．Ｎ
ａｔｌ．Ａｃａｄ．Ｓｃｉ．Ｕ．Ｓ．Ａ．９１：６６４−６８を参照のこと。例
えば、ＨＩＶ  ｔａｔタンパク質の１１アミノ酸の配列（Ｙ−Ｇ−Ｒ−Ｋ−Ｋ−
Ｒ−Ｒ−Ｑ−Ｒ−Ｒ−Ｒ；配列番号１２）（「タンパク質形質導入ドメイン」、
またはＴＡＴ  ＰＤＴを称される）は、細胞の細胞質膜および核膜を横切る送達
を媒介するとして記載されている。Ｓｃｈｗａｒｚｅら，１９９９，Ｓｃｉｅｎ
ｃｅ  ２８５：１５６９−７２；およびＮａｇａｈａｒａら，１９９８，Ｎａｔ
．Ｍｅｄ．４：１４４９−５２を参照のこと。これらの手順において、ＦＩＴＣ
構築物（ＦＩＴＣ標識Ｇ−Ｇ−Ｇ−Ｇ−Ｙ−Ｇ−Ｒ−Ｋ−Ｋ−Ｒ−Ｒ−Ｑ−Ｒ−
Ｒ−Ｒ；配列番号１３）（これは、腹腔内投与に続いて組織を貫通する）が調製
され、そしてこのような構築物の細胞への結合が、蛍光活性化細胞分離（ＦＡＣ
Ｓ）分析によって検出される。ｔａｔ−β−ｇａｌ融合タンパク質で処置された
細胞は、β−ｇａｌ活性を示す。注射に続いて、このような構築物の発現が、多
くの組織（肝臓、腎臓、肺、心臓および脳組織を含む）において検出され得る。
このような構築物は、細胞に入るためにある程度の変性を受け、そしてそれ自体
、細胞内への移入に続いて、再折り畳みを必要とし得ると考えられる。
【０１９４】
従って、ｔａｔタンパク質配列は、所望のポリペプチドを細胞に内部移入させ
るために使用され得ることが理解される。例えば、ｔａｔタンパク質配列を使用
して、Ｓｅｃｓ−１アンタゴニスト（例えば、抗Ｓｅｃｓ−１選択的結合因子、
低分子、可溶性レセプター、またはアンチセンスオリゴヌクレオチド）は、Ｓｅ
ｃｓ−１分子の活性を阻害するために、細胞内投与され得る。本明細書中で使用
される場合、用語「Ｓｅｃｓ−１分子」は、本明細書中に記載されるような、Ｓ
ｅｃｓ−１核酸分子およびＳｅｃｓ−１ポリペプチドの両方をいう。所望ならば
、Ｓｅｃｓ−１タンパク質自体もまた、これらの手順を使用して、細胞に内部投
与され得る。Ｓｔｒａｕｓ，１９９９，Ｓｃｉｅｎｃｅ  ２８５：１４６６−６
７もまた参照のこと。
【０１９５】
（Ｓｅｃｓ−１ポリペプチドを使用する細胞供給源の同定）
本発明の特定の実施形態に従って、Ｓｅｃｓ−１ポリペプチドと関連する特定
の細胞型の供給源を決定し得ることが有用であり得る。例えば、適切な治療を選
択する際の補助として疾患または病的状態の起源を決定することが有用であり得
る。特定の実施形態において、Ｓｅｃｓ−１ポリペプチドをコードする核酸は、
プローブとして使用されて、このようなプローブを用いて細胞の核酸をスクリー
ニングすることによって、本明細書中に記載の細胞を同定し得る。他の実施形態
において、抗Ｓｅｃｓ−１ポリペプチド抗体を使用して、細胞におけるＳｅｃｓ
−１ポリペプチドの存在について試験し得、従って、このような細胞が本明細書
中に記載される型の細胞か否かを決定し得る。
【０１９６】
（Ｓｅｃｓ−１ポリペプチド組成物および投与）
治療組成物は、本発明の範囲内である。このようなＳｅｃｓ−１ポリペプチド
薬学的組成物は、治療有効量のＳｅｃｓ−１ポリペプチドまたはＳｅｃｓ−１核
酸分子を、投与の様式と適合するように選択される薬学的にまたは生理学的に受
容可能な処方薬剤と混合して含み得る。薬学的組成物は、治療有効量の１以上の
Ｓｅｃｓ−１ポリペプチド選択的結合因子を、投与の様式と適合するように選択
される薬学的にまたは生理学的に受容可能な処方薬剤と混合して含み得る。
【０１９７】
受容可能な処方物材料は、好ましくは、使用される投薬量および濃度で、レシ
ピエントに対して非毒性である。
【０１９８】
薬学的組成物は、例えば、ｐＨ、浸透圧、粘度、透明度、色、等張性、におい
、無菌性、安定性、解離または放出の速度、吸着、または組成物の浸透を改変、
維持または保存するための処方物材料を含み得る。適切な処方物材料としては、
以下が挙げられるが、これらに限定されない：アミノ酸（例えば、グリシン、グ
ルタミン、アスパラギン、アルギニン、またはリジン）、抗菌剤、抗酸化剤（例
えば、アスコルビン酸、亜硫酸ナトリウム、または亜硫酸水素ナトリウム（ｓｏ
ｄｉｕｍ  ｈｙｄｒｏｇｅｎ−ｓｕｌｆｉｔｅ））、緩衝液（例えば、ホウ酸塩
、重炭酸塩、Ｔｒｉｓ−ＨＣｌ、クエン酸塩、リン酸塩、または他の有機酸）、
バルキング剤（例えば、マンニトールまたはグリシン）、キレート剤（エチレン
ジアミン四酢酸（ＥＤＴＡ））、錯化剤（例えば、カフェイン、ポリビニルピロ
リドン、β−シクロデキストリン、またはヒドロキシプロピル−β−シクロデキ
ストリン）、フィラー、単糖類、二糖類、および他の炭水化物（例えば、グルコ
ース、マンノースまたはデキストリン）、タンパク質（例えば、血清アルブミン
、ゼラチン、または免疫グロブリン）、着色剤、香味剤および希釈剤、乳化剤、
親水性ポリマー（例えば、ポリビニルピロリドン）、低分子量ポリペプチド、塩
形成対イオン（例えば、ナトリウム）、保存剤（例えば、塩化ベンザルコニウム
、安息香酸、サリチル酸、チメロサール、フェネチルアルコール、メチルパラベ
ン、プロピルパラベン、クロルヘキシジン、ソルビン酸、または過酸化水素）、
溶媒（例えば、グリセリン、プロピレングリコール、またはポリエチレングリコ
ール）、糖アルコール（例えば、マンニトールまたはソルビトール）、懸濁剤、
界面活性剤または湿潤剤（例えば、プルオニック（ｐｌｕｒｏｎｉｃ）；ＰＥＧ
；ソルビタンエステル；ポリソルビテート（例えば、ｐｏｌｙｓｏｒｂａｔｅ  
２０またはｐｏｌｙｓｏｒｂａｔｅ  ８０）；トリトン；トロメタミン；レシチ
ン；コレステロールまたはチロキサポール（ｔｙｌｏｘａｐａｌ））、安定性増
強剤（例えば、スクロースまたはソルビトール）、張度増強剤（例えば、ハロゲ
ン化アルカリ金属（好ましくは塩化ナトリウムまたは塩化カリウム）、またはマ
ンニトール、ソルビトール）、送達ビヒクル、希釈剤、賦形剤および／または薬
学的なアジュバント。Ｒｅｍｉｎｇｔｏｎ’ｓ  Ｐｈａｒｍａｃｅｕｔｉｃａｌ
Ｓｃｉｅｎｃｅｓ（第１８版，Ａ．Ｒ．Ｇｅｎｎａｒｏ，編，Ｍａｃｋ  Ｐｕ
ｂｌｉｓｈｉｎｇ  Ｃｏｍｐａｎｙ  １９９０を参照のこと。
【０１９９】
最適な薬学的組成物は、当業者によって、例えば、意図される投与経路、送達
形式、および所望の投薬量に依存して決定される。例えば、Ｒｅｍｉｎｇｔｏｎ
’ｓ  Ｐｈａｒｍａｃｅｕｔｉｃａｌ  Ｓｃｉｅｎｃｅｓ，前出を参照のこと。
このような組成物は、Ｓｅｃｓ−１分子の、物理的な状態、安定性、インビボ放
出の速度、およびインビボクリアランスの速度に影響し得る。
【０２００】
薬学的組成物における主要なビヒクルまたはキャリアは、事実上、水性または
非水性のいずれかであり得る。例えば、注射のための適切なビヒクルまたはキャ
リアは、水、生理学的な生理食塩水溶液、または人工脳脊髄液であり得、おそら
く非経口投与のための組成物において一般的な他の材料で補充されている。中性
の緩衝化生理食塩水または血清アルブミンと混合された生理食塩水は、さらなる
例示的なビヒクルである。他の例示的な薬学的組成物は、約ｐＨ７．０〜８．５
のＴｒｉｓ緩衝液または約ｐＨ４．０〜５．５の酢酸塩緩衝液を含み、これはさ
らに、ソルビトールまたは適切な置換物を含み得る。本発明の１つの実施形態に
おいて、Ｓｅｃｓ−１ポリペプチド組成物は、所望の程度の純度を有する選択さ
れた組成物を、任意の処方薬剤（Ｒｅｍｉｎｇｔｏｎ’ｓ  Ｐｈａｒｍａｃｅｕ
ｔｉｃａｌ  Ｓｃｉｅｎｃｅｓ，前出）と混合することによって、凍結乾燥ケー
クまたは水溶液の形態で、保存のために調製され得る。さらに、Ｓｅｃｓ−１ポ
リペプチド産物は、スクロースのような適切な賦形剤を使用して凍結乾燥物とし
て処方され得る。
【０２０１】
このＳｅｃｓ−１ポリペプチドの薬学的組成物は、非経口送達のために選択さ
れ得る。あるいは、これらの組成物は、吸入または消化管を介する送達（例えば
、経口的に）のために、選択され得る。このような薬学的に受容可能な組成物の
調製は、当該分野の技術範囲内にある。
【０２０２】
処方成分が、投与の部位に受容可能な濃度で存在する。例えば、緩衝液は、生
理学的ｐＨまたは僅かに低いｐＨ（典型的に、約５〜約８のｐＨ範囲内）にこの
組成物を維持するために使用される。
【０２０３】
非経口投与が意図される場合、本発明における使用のための治療組成物は、薬
学的に受容可能なビヒクルに所望のＳｅｃｓ−１分子を含む、発熱物質を含まな
い非経口的に受容可能な水溶液の形態であり得る。非経口注射のために特に適切
なビヒクルは、滅菌蒸留水であり、ここで、Ｓｅｃｓ−１分子が、滅菌の等張溶
液として処方され、適切に保存される。なお別の調製物は、所望の分子と、薬剤
（例えば、注射可能なミクロスフィア、生体腐食性（ｂｉｏ−ｅｒｏｄｉｂｌｅ
）粒子、ポリマー化合物（ポリ乳酸またはポリグリコール酸）、ビーズまたはリ
ポソーム）との処方物を含み得、これは、次いで蓄積注射を介して送達され得る
産物の制御されたまたは持続された放出を提供する。ヒアルロン酸がまた、使用
され得、そしてこれは、循環において、維持された持続時間を促進する効果を有
し得る。所望の分子の導入のための他の適切な手段は、移植可能な薬物送達デバ
イスを含む。
【０２０４】
１つの実施形態において、薬学的組成物は、吸入のために処方され得る。例え
ば、Ｓｅｃｓ−１ポリペプチドは、吸入のための乾燥粉末として処方され得る。
Ｓｅｃｓ−１ポリペプチドまたは核酸分子の吸入溶液はまた、エアロゾル送達の
ための噴霧体と共に処方され得る。なお別の実施形態において、溶液が噴霧され
得る。肺投与が、ＰＣＴ公開番号ＷＯ９４／２００６９にさらに記載され、これ
は化学的に改変されたタンパク質の肺送達を記載する。
【０２０５】
特定の処方物が、経口投与され得ることがまた意図される。本発明の１つの実
施形態において、この様式で投与されるＳｅｃｓ−１ポリペプチドが、固体投薬
形態（例えば、錠剤またはカプセル）の調合において慣用的に使用されるキャリ
アを伴うか、または伴わず処方され得る。例えば、カプセルは、バイオアベイラ
ビリティーが最大化され、そして前全身分解が最小化される場合、胃腸管内の点
で処方物の活性部分を放出するように設計され得る。さらなる薬剤が、Ｓｅｃｓ
−１ポリペプチドの吸収を容易にするために含まれ得る。希釈剤、香味剤、低融
点ワックス、植物油、潤滑剤、懸濁剤、錠剤崩壊剤、および結合剤もまた、使用
され得る。
【０２０６】
別の薬学的組成物は、錠剤の製造に適切な非毒性賦形剤との混合物中に、有効
量のＳｅｃｓ−１ポリペプチドを含み得る。錠剤を滅菌水または別の適切なビヒ
クルに溶解することによって、溶液が、単位用量形態で調製され得る。適切な賦
形剤としては以下が挙げられるが、これらに限定されない：不活性な希釈剤（例
えば、炭酸カルシウム、炭酸ナトリウムまたは重炭酸ナトリウム、ラクトース、
あるいはリン酸カルシウム）；または結合剤（例えば、デンプン、ゼラチンまた
はアカシア）；あるいは潤滑剤（例えば、ステアリン酸マグネシウム、ステアリ
ン酸またはタルク）。
【０２０７】
さらなるＳｅｃｓ−１ポリペプチド薬学的組成物は、当業者に明らかであり、
これらとしては、持続または制御送達処方物中にＳｅｃｓ−１ポリペプチドを含
む処方物が挙げられる。種々の他の持続または制御送達手段（例えば、リポソー
ムキャリア、生体腐食性微粒子あるいは多孔性ビーズおよび蓄積注射）を処方す
るための技術もまた、当業者に公知である。例えば、ＰＣＴ／ＵＳ９３／００８
２９（これは、薬学的組成物の送達のための多孔性ポリマー性微粒子の制御放出
を記載する）を参照のこと。
【０２０８】
徐放性調製物のさらなる例としては、成形された物品の形態（例えば、フィル
ム、またはマイクロカプセル）の半透過性ポリマーマトリックスが挙げられる。
徐放性マトリックスとしては、ポリエステル、ヒドロゲル、ポリラクチド（米国
特許第３，７７３，９１９号および欧州特許第０５８４８１号）、Ｌ−グルタミ
ン酸とγエチル−Ｌ−グルタメートとのコポリマー（Ｓｉｄｍａｎら，１９８３
，Ｂｉｏｐｏｌｙｍｅｒｓ  ２２：５４７−５６）、ポリ（２−ヒドロキシエチ
ル−メタクリレート）（Ｌａｎｇｅｒら，１９８１，Ｊ．Ｂｉｏｍｅｄ．Ｍａｔ
ｅｒ．Ｒｅｓ．１５：１６７−２７７およびＬａｎｇｅｒ，１９８２，Ｃｈｅｍ
．Ｔｅｃｈ．１２：９８−１０５）、エチレンビニルアセテート（Ｌａｎｇｅｒ
ら，前出）またはポリ−Ｄ（−）−３−ヒドロキシ酪酸（欧州特許第１３３９８
８号）が挙げられる。徐放性組成物はまた、リポソームを含み得、これは、当該
分野で公知のいくつかの方法のいずれかによって調製され得る。例えば、Ｅｐｐ
ｓｔｅｉｎら，１９８５，Ｐｒｏｃ．Ｎａｔｌ．Ａｃａｄ．Ｓｃｉ．ＵＳＡ  ８
２：３６８８−９２；および欧州特許第０３６６７６号、同第０８８０４６号、
および同第１４３９４９号を参照のこと。
【０２０９】
インビボ投与のために使用されるＳｅｃｓ−１薬学的組成物は、代表的に滅菌
でなければならない。これは、滅菌濾過膜を介する濾過によって達成され得る。
組成物が凍結乾燥される場合、この方法を使用する滅菌は、凍結乾燥および再構
成の前に、またはその後のいずれかで実施され得る。非経口投与のための組成物
は、凍結乾燥された形態または溶液で保存され得る。さらに、非経口組成物は、
一般に、滅菌アクセスポートを有する容器（例えば、静脈内溶液バッグまたは皮
下注射針によって貫通可能なストッパーを有するバイアル）内に配置される。
【０２１０】
一旦、薬学的組成物が処方されると、それは、滅菌バイアル中に溶液、懸濁液
、ゲル、エマルジョン、固体、または脱水粉末または凍結乾燥粉末として保存さ
れ得る。このような処方物は、すぐに使用できる形態または投与の前に再構成を
必要とする形態（凍結乾燥された形態）のいずれかで保存され得る。
【０２１１】
特定の実施形態において、本発明は、単一用量投与単位を生成するためのキッ
トに関する。このキットは、各々、乾燥タンパク質を有する第一の容器および水
性処方物を有する第二の容器の両方を含み得る。また、本発明の範囲内には、単
一および多チャンバーの予め充填されたシリンジ（例えば、液体シリンジおよび
分散シリンジ（ｌｙｏｓｙｒｉｎｇｅ））を含むキットが含まれる。
【０２１２】
治療的に使用されるＳｅｃｓ−１薬学的組成物の有効量は、例えば、治療の内
容および目的に依存する。当業者は、処置のための適切な投薬レベルが、従って
、送達される分子、Ｓｅｃｓ−１分子が使用されるための指標、投与の経路、お
よび患者のサイズ（体重、体表面、または器官の大きさ）および状態（年齢およ
び一般的な健康）に、部分的に依存して変化することを理解する。従って、臨床
医は、最適な治療効果を得るために、投薬量を力価決定し（ｔｉｔｅｒ）、投与
経路を改変し得る。代表的な投薬量は、上記の因子に依存して、約０．１μｇ／
ｋｇ〜約１００ｍｇ／ｋｇ以上までの範囲であり得る。他の実施形態において、
投薬量は、０．１μｇ／ｋｇ〜約１００ｍｇ／ｋｇまで；または１μｇ／ｋｇ〜
約１００ｍｇ／ｋｇまで；または５μｇ／ｋｇ〜約１００ｍｇ／ｋｇまでの範囲
であり得る。
【０２１３】
投薬の頻度は、使用される処方物中でのＳｅｃｓ−１分子の薬物動態学的パラ
メーターに依存する。典型的に、臨床医は、所望の効果を達成する投薬量に達す
るまで組成物を投与する。従って、組成物は、長期的に単一用量として、２以上
の用量（これは、同量の所望の分子を含んでも、含まなくてもよい）として、あ
るいは移植デバイスまたはカテーテルを介する連続的な注入として、投与され得
る。適切な投薬量のさらなる改良は、当業者によって慣用的になされ、そして当
業者によって慣用的に実施される業務の範囲内である。適切な投薬量は、適切な
用量−応答データの使用を介して確認され得る。
【０２１４】
薬学的組成物の投与の経路は、以下の公知の方法と一致する：例えば、経口的
経路；静脈内、腹腔内、脳内（実質内の）、脳室内、筋肉内、眼内、動脈内、門
脈内、または病巣内の経路による注入を介する経路；徐放性システムによる経路
；または移植デバイスによる経路。所望される場合、これらの組成物は、ボーラ
ス注射によって投与され得るか、または注入によって連続的に投与され得るか、
または移植デバイスによって投与され得る。
【０２１５】
あるいはまたはさらに、この組成物は、所望の分子が吸収されるかまたはカプ
セル化された膜、スポンジ、または他の適切な材料の移植を介して局所的に投与
され得る。移植デバイスが使用される場合、このデバイスは、任意の適切な組織
または器官に移植され得、そして所望の分子の送達は、拡散、時限放出ボーラス
または連続的な投与を介し得る。
【０２１６】
いくつかの場合において、エキソビボ様式において、Ｓｅｃｓ−１ポリペプチ
ドの薬学的組成物を使用することが所望され得る。このような例において、患者
から取り出された細胞、組織、または器官が、Ｓｅｃｓ−１ポリペプチド薬学的
組成物に曝露され、その後にそれらの細胞、組織または器官は患者に移植によっ
て戻される。
【０２１７】
他の場合において、Ｓｅｃｓ−１ポリペプチドは、本明細書中に記載される方
法を使用して、Ｓｅｃｓ−１ポリペプチドを発現し、そして分泌するように遺伝
的に操作された特定の細胞を移植することによって送達され得る。このような細
胞は、動物またはヒト細胞であり得、そして自己、異種、または外因性の細胞で
あり得る。必要に応じて、細胞は、不死化され得る。免疫学的応答の機会を減少
するために、細胞はカプセル化され、周囲の組織の浸潤を回避し得る。カプセル
化材料は、典型的に、生体適合性の半浸透性ポリマー性包囲物または膜であり、
これらは、タンパク質産物の放出を可能にするが、患者の免疫系または周囲の組
織からの他の有害な因子による細胞の破壊を防止する。
【０２１８】
本明細書中において議論されるように、単離された細胞集団（例えば、幹細胞
、リンパ球、赤血球、軟骨細胞、ニューロンなど）を１つ以上のＳｅｃｓ−１ポ
リペプチドで処理することが、望ましくあり得る。このことは、細胞膜に対して
透過性の形態である場合には、単離された細胞をこのポリペプチドに直接曝露す
ることによって達成され得る。
【０２１９】
本発明のさらなる実施形態は、治療ポリペプチドのインビトロ産生と、遺伝子
治療または細胞治療による治療ポリペプチドの産生および送達との両方のための
、細胞および方法（例えば、相同組換えおよび／または他の組換え産生方法）に
関する。相同組換えおよび他の組換えの方法を使用して、通常は転写に対してサ
イレントなＳｅｃｓ−１遺伝子（すなわち、過少発現される遺伝子）を含む細胞
を改変し得、これによって、治療有効量のＳｅｃｓ−１ポリペプチドを発現する
細胞を産生し得る。
【０２２０】
相同組換えは、もともとは、遺伝子を標的化して転写活性な遺伝子における変
異を誘導するか、または修正するために開発された技術である。Ｋｕｃｈｅｒｌ
ａｐａｔｉ，１９８９，Ｐｒｏｇ．ｉｎ  Ｎｕｃｌ．Ａｃｉｄ  Ｒｅｓ．＆  Ｍ
ｏｌ．Ｂｉｏｌ．３６：３０１。基本的な技術が、特定の変異を哺乳動物ゲノム
の特定の領域に導入するため（Ｔｈｏｍａｓら、１９８６，Ｃｅｌｌ  ４４：４
１９−２８；ＴｈｏｍａｓおよびＣａｐｅｃｃｈｉ，１９８７，Ｃｅｌｌ  ５１
：５０３−１２；Ｄｏｅｔｓｃｈｍａｎら、１９８８，Ｐｒｏｃ．Ｎａｔｌ．Ａ
ｃａｄ．Ｓｃｉ．Ｕ．Ｓ．Ａ．８５：８５８３−８７）、または欠損遺伝子にお
ける特定の変異を修正するため（Ｄｏｅｔｓｃｈｍａｎら、１９８７，Ｎａｔｕ
ｒｅ  ３３０：５７６−７８）の方法として、開発された。例示的な相同組換え
技術は、米国特許第５，２７２，０７１号；欧州特許第９１９３０５１号および
同第５０５５００号；ＰＣＴ／ＵＳ９０／０７６４２、ならびにＰＣＴ公開番号
ＷＯ  ９１／０９９５５）に記載されている。
【０２２１】
相同組換えによって、ゲノムに挿入されるべきＤＮＡ配列は、それを標的ＤＮ
Ａに付着させることによって、目的の遺伝子の特定の領域に指向され得る。この
標的ＤＮＡは、ゲノムＤＮＡの領域に相補的（相同）であるヌクレオチド配列で
ある。ゲノムの特定の領域に対して相補的な標的ＤＮＡの小さな断片は、ＤＮＡ
複製プロセスの間に、親鎖と接触される。これは、細胞に挿入されてハイブリダ
イズしたＤＮＡの一般的な特性であり、そして従って、共有される相同領域を介
して、内因性ＤＮＡの他の断片と組み換わる。この相補鎖が、変異または異なる
配列またはさらなるヌクレオチドを含むオリゴヌクレオチドに付着される場合に
は、これはまた、この組換えの結果として新たに合成された鎖に組み込まれる。
プルーフリーディング機能の結果として、ＤＮＡの新たな配列がテンプレートと
して働くことが可能である。従って、移入されたＤＮＡは、ゲノムに組み込まれ
る。
【０２２２】
Ｓｅｃｓ−１ポリペプチドと相互作用し得るかまたはその発現を制御し得るＤ
ＮＡの領域（例えば、隣接配列）が、標的ＤＮＡのこれらの断片に付着する。例
えば、プロモーター／エンハンサーエレメント、サプレッサ、または外因性転写
調節エレメントが、意図される宿主細胞のゲノムにおいて、所望のＳｅｃｓ−１
ポリペプチドをコードするＤＮＡの転写に影響を与えるのに十分に近位であり、
かつそのような配向で挿入される。制御エレメントは、この宿主細胞ゲノムに存
在するＤＮＡの部分を制御する。従って、所望のＳｅｃｓ−１ポリペプチドの発
現は、Ｓｅｃｓ−１遺伝子自体をコードするＤＮＡのトランスフェクションによ
ってではなく、むしろ、Ｓｅｃｓ−１遺伝子の転写のための認識可能なシグナル
を有する内因性遺伝子配列を提供するＤＮＡ調節セグメントと結合した標的ＤＮ
Ａ（目的の内因性遺伝子と相同の領域を含む）の使用によって、達成され得る。
【０２２３】
例示的な方法において、細胞における所望の標的遺伝子（すなわち、所望の内
因性細胞遺伝子）の発現は、予め選択された部位における細胞ゲノムへの相同組
換えを介して、少なくとも調節配列、エキソン、およびスプライスドナー部位を
含むＤＮＡの導入によって、変化される。これらの構成成分は、新たな転写ユニ
ットの産生を実際に生じるような様式で、染色体（ゲノム）ＤＮＡに導入される
（ここで、ＤＮＡ構築物に存在する調節配列、エキソン、およびスプライスドナ
ー部位は、内因性遺伝子に作動可能に連結する）。染色体ＤＮＡへのこれらの構
成成分の導入の結果として、所望の内因性遺伝子の発現が変化される。
【０２２４】
変化された遺伝子発現は、本明細書中で記載されるように、通常は得られたま
まの細胞においてサイレントな（発現されていない）遺伝子の活性化（または発
現させる）、ならびに得られたままの細胞において生理学的に有意なレベルでは
発現されない遺伝子の発現の増加を包含する。この実施形態はさらに、調節また
は誘導のパターンを変化させる工程を包含し、その結果、これは、得られたまま
の細胞において生じる調節または誘導のパターンとは異なり、そして得られたま
まの細胞において発現される遺伝子の発現を減少（排除を含む）させる。
【０２２５】
細胞の内在性Ｓｅｃｓ−１遺伝子からのＳｅｃｓ−１ポリペプチドの産生を増
加するかまたはこれを引き起こすために相同定組換えが使用され得る１つの方法
は、最初に、相同性組換えを使用して、部位特異的組換え系由来の組換え配列（
例えば、Ｃｒｅ／ｌｏｘＰ、ＦＬＰ／ＦＲＴ）（Ｓａｕｅｒ，１９９４，Ｃｕｒ
ｒ．Ｏｐｉｎ．Ｂｉｏｔｅｃｈｎｏｌ．，５：５２１−２７；Ｓａｕｅｒ，１９
９３，Ｍｅｔｈｏｄｓ  Ｅｎｚｙｍｏｌ．，２２５：８９０−９００）を、細胞
の内在性ゲノムＳｅｃｓ−１ポリペプチドコード領域の上流（すなわち、５’）
に配置する工程を包含する。ゲノムＳｅｃｓ−１ポリペプチドコード領域のすぐ
上流に配置された部位に対して相同性の組換え部位を含むプラスミドは、適切な
リコンビナーゼ酵素と共に、改変された細胞株に導入される。このリコンビナー
ゼによって、プラスミドは、このプラスミドの組換え部位を介して、この細胞株
のゲノム内のＳｅｃｓ−１ポリペプチドコード領域のすぐ上流に位置する組換え
部位に組込まれ得る（ＢａｕｂｏｎｉｓおよびＳａｕｅｒ、１９９３，Ｎｕｃｌ
ｅｉｃ  Ａｃｉｄｓ  Ｒｅｓ．２１：２０２５−２９；Ｏ’Ｇａｒｍａｎら、１
９９１，Ｓｃｉｅｎｃｅ  ２５１：１３５１−５５）。転写を増加させることが
知られている任意の隣接配列（例えば、エンハンサー／プロモーター、イントロ
ン、翻訳エンハンサー）は、このプラスミド中に適切に配置される場合、細胞の
内在性Ｓｅｃｓ−１遺伝子からの新たな（ｄｅ  ｎｏｖｏ）または増加したＳｅ
ｃｓ−１ポリペプチド産生する新たなまたは改変された転写単位を作製するよう
な様式で一体化する。
【０２２６】
部位特異的組換え配列が細胞の内在性ゲノムＳｅｃｓ−１ポリペプチドコード
領域のすぐ上流に配置された細胞株を使用するさらなる方法は、細胞株のゲノム
の他の位置に第２の組換え部位を導入するために相同性組換えを使用することで
ある。適切な組換え酵素は、次いで、二組換え部位細胞株に導入され、組換え現
象（欠失、転化、および転座）を生じ（Ｓａｕｅｒ，１９９４，Ｃｕｒｒ．Ｏｐ
ｉｎ．Ｂｉｏｔｅｃｈｎｏｌ．，５：５２１−２７；Ｓａｕｅｒ，１９９３，Ｍ
ｅｔｈｏｄｓ  Ｅｎｘｙｍｏｌ．，２２５：８９０−９００）、これは、細胞の
内在性Ｓｅｃｓ−１遺伝子からの新規なまたは増加したＳｅｃｓ−１ポリペプチ
ド産生を生じる新しいかまたは改変された転写ユニットを作製する。
【０２２７】
細胞の内在性Ｓｅｃｓ−１遺伝子からのＳｅｃｓ−１ポリペプチドの発現を増
加するため、または引き起こすためのさらなるアプローチは、細胞の内在性Ｓｅ
ｃｓ−１遺伝子からの新たなまたは増加したＳｅｃｓ−１ポリペプチドの産生を
生じる様式で、遺伝子（例えば、転写因子）の発現を増加するかまたは引き起こ
し、そして／または遺伝子（例えば、転写リプレッサ）の発現を減少する工程を
包含する。この方法は、天然に存在しないポリペプチド（例えば、転写因子ドメ
インに融合した部位特異的ＤＮＡ結合ドメインを含むポリペプチド）を、細胞の
内在性Ｓｅｃｓ−１遺伝子からの新たなまたは増加したＳｅｃｓ−１ポリペプチ
ドの産生が起こるように、細胞に導入する工程を包含する。
【０２２８】
本発明はさらに、標的遺伝子の発現を変化させる方法において有用なＤＮＡ構
築物に関する。特定の実施形態において、例示的なＤＮＡ構築物は、以下を含む
：（ａ）１つ以上の標的配列、（ｂ）制御配列、（ｃ）エキソン、および（ｄ）
不対スプライスドナー部位。ＤＮＡ構築物中の標的配列は、エレメント（ａ）〜
（ｄ）の細胞中の標的遺伝子への組込みを指向し、その結果、これらのエレメン
ト（ｂ）〜（ｄ）は、内在性標的遺伝子の配列に作動可能に連結される。別の実
施形態において、ＤＮＡ構築物は、以下を含む：（ａ）１つ以上の標的配列、（
ｂ）制御配列、（ｃ）エキソン、（ｄ）スプライスドナー部位、（ｅ）イントロ
ン、および（ｆ）スプライスアクセプター部位。ここで、標的配列は、エレメン
ト（ａ）〜（ｆ）の組込みを指向し、その結果、これらのエレメント（ｂ）〜（
ｆ）は、内在性遺伝子に作動可能に連結される。標的配列は、相同性組換えが生
じる細胞染色体ＤＮＡの予め選択された部位に対して相同性である。この構築物
において、エキソンは、一般的に、制御配列の３’であり、そしてスプライスド
ナー部位は、このエキソンの３’である。
【０２２９】
特定の遺伝子の配列（例えば、本明細書中で記載されるＳｅｃｓ−１ポリペプ
チドの核酸配列）が公知である場合、遺伝子の選択された領域に対して相補的な
ＤＮＡの部分は、合成されるか、またはそうでなければ、例えば、目的の領域に
結合している特定の認識部位におけるネイティブのＤＮＡの適切な制限によって
得られ得る。この部分は、細胞に挿入された際に、標的配列として働き、そして
そのゲノム内の相同性領域にハイブリダイズする。このハイブリダイゼーション
が、ＤＮＡ複製の間に生じる場合、このＤＮＡの部分、およびそれに結合した任
意のさらなる配列は、Ｏｋａｚａｋｉフラグメントとして作用し、そしてＤＮＡ
の新たに合成された娘鎖に組み込まれる。従って、本発明は、Ｓｅｃｓ−１ポリ
ペプチドをコードするヌクレオチドを含み、このヌクレオチドは、標的配列とし
て使用され得る。
【０２３０】
Ｓｅｃｓ−１ポリペプチド細胞治療（例えば、Ｓｅｃｓ−１ポリペプチドを産
生する細胞の移植）もまた企図される。この実施形態は、生物学的に活性な形態
のＳｅｃｓ−１ポリペプチドを合成および分泌し得る細胞を移植する工程を包含
する。このようなＳｅｃｓ−１ポリペプチド産生細胞は、Ｓｅｃｓ−１ポリペプ
チドの天然産物である細胞であり得るか、または組換え細胞であって、そのＳｅ
ｃｓ−１ポリペプチドを産生する能力が、所望のポリペプチドをコードする遺伝
子またはＳｅｃｓ−１ポリペプチドの発現を増大する遺伝子で形質転換すること
によって増大された、組換え細胞であり得る。このような改変は、遺伝子を送達
し、その発現および分泌を促進するために適切なベクターによって達成され得る
。Ｓｅｃｓ−１ポリペプチドを投与されている患者における強力な免疫学的反応
を最小化するために、異種のポリペプチドの投与と共に生じる場合、Ｓｅｃｓ−
１ポリペプチドを産生する天然の細胞が、ヒト起源であり、そしてヒトＳｅｃｓ
−１ポリペプチドを産生することが好ましい。同様に、Ｓｅｃｓ−１ポリペプチ
ドを産生する組換え細胞が、ヒトＳｅｃｓ−１ポリペプチドをコードする遺伝子
を含む発現ベクターで形質転換されることが好ましい。
【０２３１】
移植細胞は、周辺組織の浸透を回避するようにカプセル化され得る。ヒトまた
は非ヒト動物細胞は、生体適合性の半透性ポリマー封入物または膜（これは、Ｓ
ｅｃｓ−１ポリペプチドの放出を可能にするが、患者の免疫系または周辺組織か
らの他の有害な因子による細胞の崩壊を防止する）の形態で患者に移植され得る
。あるいは、Ｓｅｃｓ−１ポリペプチドをエキソビボで産生するように形質転換
された患者自身の細胞が、このようなカプセル化なしで、患者に直接移植され得
る。
【０２３２】
生きた細胞をカプセル化するための技術は当該分野で公知であり、そしてカプ
セル化された細胞の調製およびそれらの患者への移植は、慣用的に達成され得る
。例えば、Ｂａｅｔｇｅら（ＰＣＴ公開ＷＯ９５／０５４５２およびＰＣＴ／Ｕ
Ｓ９４／０９２９９）は、生物学的に活性な分子の効果的な送達のために遺伝子
操作された細胞を含む膜カプセルを記載する。このカプセルは、生体適合性であ
り、そして容易に取り出し可能である。このカプセルは、哺乳動物宿主に移植さ
れた際に、インビボでダウンレギュレーションに供されないプロモーターに作動
可能に連結された生物学的に活性な分子をコードするＤＮＡ配列を含む組換えＤ
ＮＡ分子でトランスフェクトされた細胞をカプセル化する。このデバイスは、生
きた細胞由来の分子のレシピエント内の特定の部位への送達を提供する。さらに
、米国特許第４，８９２，５３８号；同第５，０１１，４７２号；および同第５
，１０６，６２７号を参照のこと。生きた細胞をカプセル化するためのシステム
は、ＰＣＴ公開ＷＯ９１／１０４２５（Ａｅｂｉｓｃｈｅｒら）に記載される。
ＰＣＴ公開ＷＯ９１／／１０４７０（Ａｅｂｉｓｃｈｅｒら）；Ｗｉｎｎら、１
９９１，Ｅｘｐｅｒ．Ｎｅｕｒｏｌ．１１３：３２２−２９；Ａｅｂｉｓｃｈｅ
ｒら、１９９１，Ｅｘｐｅｒ．Ｎｅｕｒｏｌ．１１１：２６９−７５；およびＴ
ｒｅｓｃｏら、１９９２，ＡＳＡＩＯ  ３８：１７−２３もまた参照のこと。
【０２３３】
Ｓｅｃｓ−１ポリペプチドのインビボおよびインビトロの遺伝子治療送達もま
た想定される。遺伝子治療技術の一例は、構成的または誘発性プロモーターに作
動可能に連結され得るＳｅｃｓ−１ポリペプチドをコードするＳｅｃｓ−１遺伝
子（ゲノムＤＮＡ、ｃＤＮＡおよび／または合成ＤＮＡのいずれか）を使用して
、「遺伝子治療ＤＮＡ構築物」を形成することである。このプロモーターは、内
在性Ｓｅｃｓ−１遺伝子に対してホモ接合性またはヘテロ接合性であるが、ただ
し、これは、構築物が挿入される細胞または組織型において活性である。遺伝子
治療ＤＮＡ構築物の他の成分は、必要に応じて、部位特異的組込みのために設計
されるＤＮＡ分子（例えば、相同性組換えのために有用な内在性配列）、組織特
異的プロモーター、エンハンサーまたはサイレンサー、親細胞を越える選択的優
性を提供し得るＤＮＡ分子、形質転換された細胞を同定するための標識として有
用なＤＮＡ分子、ネガティブ選択系、細胞特異的結合因子（例えば、細胞標的化
について）。細胞特異的内部移行因子、ベクターからの発現を増大する転写因子
、およびベクターの産生を可能にする因子を含む。
【０２３４】
遺伝子治療ＤＮＡ構築物は、次いで、ウイルスベクターまたは非ウイルスベク
ターを使用して細胞に導入され得る（エキソビボまたはインビボノいずれか）。
遺伝子治療ＤＮＡ構築物を導入するための１つの方法は、本明細書中に記載され
るようなウイルスベクターの使用による。特定のベクター（例えば、レトロウイ
ルスベクター）は、ＤＮＡ構築物を細胞の染色体ＤＮＡに送達し、そしてこの遺
伝子は、染色体ＤＮＡに組み込まれ得る。他のベクターは、エピソームとして機
能し、そして遺伝子治療ＤＮＡ構築物は、細胞質に残る。
【０２３５】
さらに他の実施形態において、制御エレメントが、標的細胞におけるＳｅｃｓ
−１遺伝子の制御された発現のために含められ得る。このようなエレメントは、
適切なエフェクターに応答して刺激される。このようにして、治療的ポリペプチ
ドは、所望の場合に発現され得る。１つの従来の制御手段は、低分子結合ドメイ
ンおよび生物学的プロセスを開始し得るドメインを含むキメラタンパク質（例え
ば、ＤＮＡ結合タンパク質または転写活性タンパク質）を二量化する低分子二量
化剤またはラパログ（ｒａｐａｌｏｇ）の使用を包含する（ＰＣＴ公開ＷＯ９６
／４１８６５、ＷＯ９７／３１８９８およびＷＯ９７／３１８９９を参照のこと
）。タンパク質の二量化は、導入遺伝子の転写を開始するために使用され得る。
【０２３６】
代替の調節技術は、目的の遺伝子から発現されたタンパク質を、凝集体または
クラスターとして細胞の内側に貯蔵する方法を使用する。目的の遺伝子は、内在
性小網における凝集タンパク質の保持を生じる、条件的凝集ドメインを含む融合
タンパク質として発現される。貯蔵されたタンパク質は安定であり、そして細胞
の内側で不活性である。しかし、このタンパク質は、条件的凝集ドメインを除去
する薬物（例えば、低分子リガンド）を投与することによって放出され得、それ
により、凝集体またはクラスターを破壊し、その結果、このタンパク質が細胞か
ら分泌され得る。Ａｒｉｄｏｒら、２０００，Ｓｃｉｅｎｃｅ  ２８７：８１６
−１７およびＲｉｖｅｒａら、２０００，Ｓｃｉｅｎｃｅ  ２８７：８２６−３
０を参照のこと。
【０２３７】
他の適切な制御手段または遺伝子スイッチとしては、本明細書中に記載される
系が挙げられるが、これらに限定されない。ミフェプリストン（ＲＵ４８６）が
、プロゲステロンアンタゴニストとして使用される。プロゲステロンアンタゴニ
ストに対する、改変されたプロゲステロンレセプターリガンド結合ドメインの結
合は、２つの転写因子の二量体の形成し、次いで、これらの転写因子が、核に入
ってＤＮＡに結合することによって、転写を活性化する。このリガンド結合ドメ
インは、そのレセプターがその天然のリガンドに結合する能力を排除するよう改
変される。改変されたステロイドホルモンレセプター系は、米国特許第５，３６
４，７９１号ならびにＰＣＴ公開番号ＷＯ９６／４０９１１およびＷＯ９７／１
０３３７に、さらに記載されている。
【０２３８】
なお別の制御系は、エクジソン（ショウジョウバエのステロイドホルモン）を
使用し、これは、エクジソンレセプター（細胞質レセプター）に結合し、そして
このレセプターを活性化する。次いで、このレセプターは、核に転移して、特定
のＤＮＡ応答エレメント（エクジソン応答性遺伝子由来のプロモーター）を結合
する。エクジソンレセプターは、転写を開始するための、トランス活性化ドメイ
ン、ＤＮＡ結合ドメインおよびリガンド結合ドメインを含む。エクジソン系は、
米国特許第５，５１４，５７８号ならびにＰＣＴ公開番号ＷＯ９７／３８１１７
、ＷＯ９６／３７６０９、およびＷＯ９３／０３１６２にさらに記載されている
。
【０２３９】
別の制御手段は、ポジティブなテトラサイクリン制御可能トランスアクチベー
ターを使用する。この系は、転写を活性化させるポリペプチドに連結された、変
異ｔｅｔリプレッサータンパク質ＤＮＡ結合ドメイン（逆テトラサイクリン調節
トランスアクチベータータンパク質（すなわち、これは、テトラサイクリンの存
在下で、ｔｅｔオペレーターに結合する）を生じる変異ｔｅｔ  Ｒ−４アミノ酸
変化）を含む。このような系は、米国特許第５，４６４，７５８号、同第５，６
５０，２９８号、および同第５，６５４，１６８号に記載されている。
【０２４０】
さらなる発現制御系および核酸構築物は、Ｉｎｎｏｖｉｒ  Ｌａｂｏｒａｔｏ
ｒｉｅｓ  Ｉｎｃ．に対する米国特許第５，７４１，６７９号および同第５，８
３４，１８６号に記載されている。
【０２４１】
インビボ遺伝子治療は、Ｓｅｃｓ−１ポリペプチドをコードする遺伝子を、Ｓ
ｅｃｓ−１核酸分子の局所的注射を介してかまたは他の適切なウイルス送達ベク
ターもしくは非ウイルス送達ベクターによって、細胞に導入することにより達成
され得る。Ｈｅｆｔｉ，１９９４，Ｎｅｕｒｏｂｉｏｌｏｇｙ，２５：１４１８
−３５。例えば、Ｓｅｃｓ−１ポリペプチドをコードする核酸分子は、標的化さ
れた細胞への送達のために、アデノ随伴ウイルス（ＡＡＶ）ベクターに含まれ得
る（例えば、Ｊｏｈｎｓｏｎ，ＰＣＴ公開番号ＷＯ９５／３４６７０；およびＰ
ＣＴ出願番号ＰＣＴ／ＵＳ９５／０７１７８を参照のこと）。組換えＡＡＶゲノ
ムは、代表的に、機能的プロモーターおよびポリアデニル化配列に作動可能に連
結されたＳｅｃｓ−１ポリペプチドをコードするＤＮＡ配列に隣接する、ＡＡＶ
逆方向末端反復を含む。
【０２４２】
代替の適切なウイルスベクターとしては、レトロウイルスベクター、アデノウ
イルスベクター、単純ヘルペスウイルスベクター、レンチウイルスベクター、肝
炎ウイルスベクター、パルボウイルスベクター、パポバウイルスベクター、ポッ
クスウイルスベクター、アルファウイルスベクター、コロナウイルスベクター、
ラブドウイルスベクター、パラミクソウイルスベクター、およびパピローマウイ
ルスベクターが挙げられるが、これらに限定されない。米国特許第５，６７２，
３４４号は、組換え神経栄養性ＨＳＶ−１ベクターを含む、インビボウイルス媒
介遺伝子移入系を記載する。米国特許第５，３９９，３４６号は、治療タンパク
質をコードするＤＮＡセグメントを挿入するようインビトロで処理されたヒト細
胞の送達による、患者に治療タンパク質を提供するためのプロセスの例を、提供
する。遺伝子治療技術の実施のさらなる方法および材料は、米国特許第５，６３
１，２３６号（アデノウイルスベクターを含む）；米国特許第５，６７２，５１
０号（レトロウイルスベクターを含む）；および米国特許第５，６３５，３９９
号（サイトカインを発現するレトロウイルスベクターを含む）に記載されている
。
【０２４３】
非ウイルス送達方法としては、リポソーム媒介移入、裸のＤＮＡ送達（直接注
入）、レセプター媒介移入（リガンド−ＤＮＡ複合体）、エレクトロポレーショ
ン、リン酸カルシウム沈降、および微粒子ボンバードメント（例えば、遺伝子銃
）が挙げられるが、これらに限定されない。遺伝子治療の材料および方法として
はまた、誘導性プロモーター、組織特異的エンハンサー−プロモーター、部位特
異的組み込みのために設計されたＤＮＡ配列、親細胞より優れた選択的利点を提
供し得るＤＮＡ配列、形質転換された細胞を同定するための標識、ネガティブ選
択系および発現制御系（安全性の尺度）、細胞特異的結合因子（細胞標的化のた
め）、細胞特異的インターナリゼーション因子、およびベクターによる発現を増
強するための転写因子、ならびにベクター作製の方法が挙げられ得る。遺伝子治
療技術の実施のための、このようなさらなる方法および材料は、米国特許第４，
９７０，１５４号（エレクトロポレーション技術を含む）、米国特許第５，６７
９，５５９号（遺伝子送達のためのリポタンパク質含有系を記載する）、米国特
許第５，６７６，９５４号（リポソームキャリアを含む）、米国特許第５，５９
３，８７５号（リン酸カルシウムトランスフェクションのための方法を記載する
）、米国特許第４，９４５，０５０号（生物学的に活性な粒子が、細胞において
、この粒子がこの細胞の表面を貫通しそしてこの細胞の内側に取り込まれる速度
で推進されるプロセス、を記載する）、およびＰＣＴ公開番号ＷＯ９６／４０９
５８（核リガンドを含む）に記載されている。
【０２４４】
Ｓｅｃｓ−１遺伝子治療または細胞治療が、同じまたは異なる細胞における１
つ以上のさらなるポリペプチドの送達をさらに含み得ることがまた意図される。
このような細胞は、患者に別々に導入され得るか、またはこれらの細胞は、単一
の移植可能なデバイス（例えば、上記のカプセル化膜）内に含まれ得るか、また
は細胞は、ウイルスベクターによって別々に改変され得る。
【０２４５】
遺伝子治療を介して細胞における内因性Ｓｅｃｓ−１ポリペプチド発現を増加
させるための手段は、１つ以上のエンハンサーエレメントをＳｅｃｓ−１ポリペ
プチドプロモーターに挿入することであり、ここで、このエンハンサーエレメン
トは、Ｓｅｃｓ−１遺伝子の転写活性を増加させるよう作用し得る。使用される
エンハンサーエレメントは、遺伝子を活性化することが所望される組織に基づい
て選択される；この組織においてプロモーター活性化を与えることが公知である
エンハンサーエレメントが、選択される。例えば、Ｓｅｃｓ−１ポリペプチドを
コードする遺伝子がＴ細胞において「オンにされる」場合には、ｌｃｋプロモー
ターエンハンサーエレメントが使用され得る。ここで、付加される転写エレメン
トの機能性部分は、標準的なクローニング技術を使用して、Ｓｅｃｓ−１ポリペ
プチドプロモーターを含むＤＮＡのフラグメントに挿入され得る（そして必要に
応じて、ベクターおよび／または５’および／または３’隣接配列に挿入され得
る）。次いで、この構築物（「相同組換え構築物」として公知）が、エキソビボ
でかまたはインビボでのいずれかで、所望の細胞に導入され得る。
【０２４６】
遺伝子治療はまた、内因性プロモーターのヌクレオチド配列を改変することに
よって、Ｓｅｃｓ−１ポリペプチド発現を減少させるために、使用され得る。こ
のような改変は、代表的に、相同組換え法を介して達成される。例えば、不活化
について選択されたＳｅｃｓ−１遺伝子のプロモーターの全てまたは一部を含む
ＤＮＡ分子は、転写を調節するプロモーター片を除去および／または置換するよ
うに、操作され得る。例えば、プロモーターの転写アクチベーターのＴＡＴＡボ
ックスおよび／または結合部位が、標準的な分子生物学の技術を使用して、欠失
され得る；このような欠失は、プロモーター活性を阻害し得、これによって、対
応するＳｅｃｓ−１遺伝子の転写を抑制する。プロモーターにおけるＴＡＴＡボ
ックスまたは転写アクチベーター結合部位の欠失は、（調節されるＳｅｃｓ−１
遺伝子と同じ種かまたは関連する種由来の）Ｓｅｃｓ−１ポリペプチドプロモー
ターの全てまたは関連する部分を含むＤＮＡ構築物を生成することによって達成
され得、ここで、１つ以上のＴＡＴＡボックスおよび／または転写アクチベータ
ー結合部位のヌクレオチドが、１つ以上のヌクレオチドの置換、欠失および／ま
たは挿入を介して変異される。その結果、ＴＡＴＡボックスおよび／またはアク
チベーター結合部位は、活性が減少されているか、または完全に不活性にされて
いる。この構築物はまた、代表的に、その改変されたプロモーターセグメントに
隣接するネイティブな（内因性の）５’および３’ＤＮＡ配列に対応する、少な
くとも約５００塩基のＤＮＡを含む。この構築物は、直接的にかまたは本明細書
中に記載されるようなウイルスベクターを介して、適切な細胞に（エキソビボで
かまたはインビボでかのいずれかで）導入され得る。代表的に、細胞のゲノムＤ
ＮＡへのこの構築物の組み込みは、相同組換えを介し、ここで、このプロモータ
ー構築物における５’および３’ＤＮＡ配列は、ハイブリダイゼーションを介す
るその内因性染色体ＤＮＡへの改変されたプロモーター領域の組み込みを補助す
るよう作用し得る。
【０２４７】
（治療的使用）
Ｓｅｃｓ−１核酸分子、ポリペプチド、ならびにそれらのアゴニストおよびア
ンタゴニストは、本明細書中に引用される疾患、障害または状態を含む、多くの
疾患、障害または状態を処置、診断、改善または予防するために使用され得る。
【０２４８】
Ｓｅｃｓ−１ポリペプチドアゴニストおよびアンタゴニストとしては、Ｓｅｃ
ｓ−１ポリペプチド活性を調節し、そしてＳｅｃｓ−１ポリペプチドの成熟形態
の少なくとも１つの活性を増加または減少する、アゴニスト分子およびアンタゴ
ニスト分子が挙げられる。アゴニストまたはアンタゴニストは、Ｓｅｃｓ−１ポ
リペプチドと相互作用し、それによってそのＳｅｃｓ−１の活性を調節する、補
因子（例えば、タンパク質、ペプチド、糖質、脂質または低分子量分子）であり
得る。潜在的なポリペプチドアゴニストまたはアンタゴニストとしては、Ｓｅｃ
ｓ−１ポリペプチドの可溶性形態または膜結合形態のいずれかと反応する抗体が
挙げられ、これらの形態は、Ｓｅｃｓ−１タンパク質の細胞外ドメインの全てま
たは一部を含む。Ｓｅｃｓ−１ポリペプチド発現を調節する分子としては、代表
的に、発現のアンチセンス調節因子として作用し得る、Ｓｅｃｓ−１ポリペプチ
ドをコードする核酸が挙げられる。
【０２４９】
Ｓｅｃｓ−１遺伝子は、インサイチュハイブリダイゼーションによって決定さ
れるように、胃腸管において主に発現される。この発現パターンに基づいて、Ｓ
ｅｃｓ−１ポリペプチドは、胃腸の発達および機能において役割を果たし得る。
従って、Ｓｅｃｓ−１核酸分子、ポリペプチド、ならびにそれらのアゴニストお
よびアンタゴニスト（抗Ｓｅｃｓ−１選択的結合因子を含むが、これに限定され
ない）は、胃腸管を含む疾患の診断および／または処置において有用であり得る
。このような疾患の例としては、胃腸の潰瘍、逆流性食道炎、小児脂肪便症、糖
尿病、虚血再灌流障害、クローン病、炎症性腸疾患、ならびに細菌およびウイル
ス誘導性の感染および大腸炎が挙げられるが、これらに限定されない。さらに、
Ｓｅｃｓ−１核酸分子、ポリペプチド、ならびにそれらのアゴニストおよびアン
タゴニストは、化学療法または放射線誘導性の胃腸の損傷の処置において有用で
あり得る。胃腸の発達および機能に関連する他の疾患は、本発明の範囲によって
含まれる。
【０２５０】
胃腸管におけるＳｅｃｓ−１遺伝子の発現に基づいて、Ｓｅｃｓ−１核酸分子
、ポリペプチド、それらのアゴニストおよびアンタゴニスト（抗Ｓｅｃｓ−１選
択的結合因子を含むが、これに限定されない）はまた、消化または代謝に関与す
る疾患の診断および／または処置のために有用であり得る。このような疾患の例
としては、肥満、胃腸の逆流、憩室炎、憩室症、腸炎、およびえん下困難が挙げ
られるが、これらに限定されない。他のこのような代謝障害は、本発明の範囲に
よって含まれる。
【０２５１】
Ｓｅｃｓ−１ポリペプチド発現は、舌および口腔粘膜において検出されている
ので、Ｓｅｃｓ−１核酸分子、ポリペプチド、それらのアゴニストおよびアンタ
ゴニスト（抗Ｓｅｃｓ−１選択的結合因子を含むが、これに限定されない）はま
た、口腔に関連する疾患の診断および／または処置のために有用であり得る。こ
のような疾患の例としては、歯周病、口腔癌、および化学療法または放射線誘導
性の粘膜炎（ｍｕｃｏｓｉｔｉｓ）が挙げられるが、これらに限定されない。口
腔に関連する他の疾患が、本発明の範囲によって含まれる。
【０２５２】
腫瘍細胞および正常細胞におけるＳｅｃｓ−１ポリペプチドの差示的な発現は
、Ｓｅｃｓ−１ポリペプチドが転移性疾患において役割を果たし得ることを示唆
する。従って、Ｓｅｃｓ−１核酸分子、ポリペプチド、それらのアゴニストおよ
びアンタゴニスト（抗Ｓｅｃｓ−１選択的結合因子を含むが、これに限定されな
い）は、癌の診断および／または処置において役割を果たし得る。このような疾
患の例としては、結腸、胃、咽喉、食道、乳房、前立腺、子宮、精巣、または肺
の癌が挙げられるが、これらに限定されない。他の癌および転移性疾患は、本発
明の範囲によって含まれる。
【０２５３】
有意なレベルのＳｅｃｓ−１ポリペプチド発現はまた、精巣および子宮におい
て検出された。従って、Ｓｅｃｓ−１核酸分子、ポリペプチド、それらのアゴニ
ストおよびアンタゴニスト（抗Ｓｅｃｓ−１選択的結合因子を含むが、これに限
定されない）は、妊孕性障害の診断および／または処置において役割を果たし得
る。このような疾患の例としては、男性不妊、妊孕性強化、子宮内膜症、類線維
腫（ｆｉｂｒｏｉｄ）、または月経が挙げられるが、これらに限定されない。妊
孕性に関連する他の障害は、本発明の範囲によって含まれる。
【０２５４】
増加したレベルのＳｅｃｓ−１ポリペプチド発現はまた、乾癬および創傷治癒
モデルにおいて検出された。従って、Ｓｅｃｓ−１核酸分子、ポリペプチド、そ
れらのアゴニストおよびアンタゴニスト（抗Ｓｅｃｓ−１選択的結合因子を含む
が、これに限定されない）は、乾癬および創傷治癒の診断および／または処置に
おいて役割を果たし得る。皮膚に関連する他の障害は、本発明の範囲によって含
まれる。
【０２５５】
Ｓｅｃｓ−１ポリペプチド機能のアゴニストまたはアンタゴニストは、処置さ
れる状態に適切であるように、１以上のサイトカイン、増殖因子、抗生物質、抗
炎症剤、および／または化学療法剤と組み合わせて（同時にまたは連続的に）使
用され得る。
【０２５６】
Ｓｅｃｓ−１ポリペプチドの所望でないレベルによって生じるかまたは媒介さ
れる他の疾患は、本発明の範囲内に包含される。所望でないレベルには、Ｓｅｃ
ｓ−１ポリペプチドの過剰なレベルおよびＳｅｃｓ−１ポリペプチドの正常下の
レベルが含まれる。
【０２５７】
（Ｓｅｃｓ−１核酸およびＳｅｃｓ−１ポリペプチドの使用）
本発明の核酸分子（それ自体は生物学的に活性なポリペプチドをコードしない
核酸分子を含む）を使用して、Ｓｅｃｓ−１遺伝子および関連する遺伝子の染色
体上の位置をマッピングし得る。マッピングは、当該分野で公知の技術（例えば
、ＰＣＲ増幅およびインサイチュハイブリダイゼーション）により行われ得る。
【０２５８】
Ｓｅｃｓ−１核酸分子（それ自体は生物学的に活性なポリペプチドをコードし
ない核酸分子を含む）は、哺乳動物組織または体液サンプル中のＳｅｃｓ−１核
酸分子の存在について、定性的または定量的のいずれかで試験するための、診断
アッセイにおけるハイブリダイゼーションプローブとして有用であり得る。
【０２５９】
他の方法はまた、１つ以上のＳｅｃｓ−１ポリペプチドの活性を阻害すること
が所望される場合に使用され得る。このような阻害は、発現制御配列（三重らせ
ん形成）またはＳｅｃｓ−１  ｍＲＮＡに相補的でありかつこれらにハイブリダ
イズする核酸分子によりもたらされ得る。例えば、アンチセンスＤＮＡ分子また
はＲＮＡ分子（これらは、Ｓｅｃｓ−１遺伝子の少なくとも一部に相補的である
配列を有する）が、細胞中に導入され得る。アンチセンスプローブは、本明細書
中に開示されるＳｅｃｓ−１遺伝子の配列を使用して、利用可能な技術により設
計され得る。代表的には、このようなアンチセンス分子の各々は、選択された各
Ｓｅｃｓ−１遺伝子の開始部位（５’末端）に相補的である。このアンチセンス
分子が、次いで、対応するＳｅｃｓ−１  ｍＲＮＡにハイブリダイズする場合、
このｍＲＮＡの翻訳は、妨げられるかまたは減少される。アンチセンスインヒビ
ターは、細胞または生物におけるＳｅｃｓ−１ポリペプチドの減少または非存在
に関連する情報を提供する。
【０２６０】
あるいは、遺伝子治療を使用して、１つ以上のＳｅｃｓ−１ポリペプチドのド
ミナントネガティブインヒビターを作製し得る。この状況において、各選択され
たＳｅｃｓ−１ポリペプチドの変異体ポリペプチドをコードするＤＮＡが調製さ
れ得、そして本明細書中に記載されるウイルス方法または非ウイルス方法のいず
れかを使用して患者の細胞中に導入され得る。このような変異体の各々は、代表
的に、その生物学的役割において内因性ポリペプチドと競合するように設計され
る。
【０２６１】
さらに、Ｓｅｃｓ−１ポリペプチドは、生物学的に活性であっても活性でなく
ても、免疫原として使用され得、すなわち、これらのポリペプチドは、抗体が惹
起され得る、少なくとも１つのエピトープを含有する。Ｓｅｃｓ−１ポリペプチ
ドに結合する選択的結合因子（本明細書中に記載されるような）は、インビボお
よびインビトロでの診断目的のために使用され得、これらの目的としては、体液
サンプルまたは細胞サンプル中のＳｅｃｓ−１ポリペプチドの存在を検出するた
めの標識された形態での使用を含むが、これに限定されない。これらの抗体もま
た、本明細書中に列挙される疾患および障害を含む、多数の疾患および障害を、
予防、処置または診断するために使用され得る。これらの抗体は、Ｓｅｃｓ−１
ポリペプチドの少なくとも１つの活性特徴を減少またはブロックするようにＳｅ
ｃｓ−１ポリペプチドに結合し得るか、またはポリペプチドに結合してＳｅｃｓ
−１ポリペプチドの少なくとも１つの活性特徴を増加し得る（Ｓｅｃｓ−１ポリ
ペプチドの薬物動態を増加させることによるものを含む）。
【０２６２】
本発明のＳｅｃｓ−１ポリペプチドは、発現クローニングストラテジーを使用
して、Ｓｅｃｓ−１ポリペプチドレセプターをクローニングするために使用され
得る。放射性標識（１２５ヨウ素）したＳｅｃｓ−１ポリペプチドまたはアフィ
ニティ／活性−タグ化Ｓｅｃｓ−１ポリペプチド（例えば、Ｆｃ融合体またはア
ルカリホスファターゼ融合体）を結合アッセイにおいて使用して、Ｓｅｃｓ−１
ポリペプチドレセプターを発現する細胞型、細胞株または組織を同定し得る。こ
のような細胞または組織から単離されたＲＮＡを、ｃＤＮＡに変換し、哺乳動物
発現ベクターにクローニングし、そして哺乳動物細胞（例えば、ＣＯＳまたは２
９３細胞）にトランスフェクトして発現ライブラリーを作製し得る。次いで、放
射性標識化またはタグ化Ｓｅｃｓ−１ポリペプチドを、アフィニティリガンドと
して使用して、Ｓｅｃｓ−１ポリペプチドレセプターを表面に発現する、このラ
イブラリー中の細胞のサブセットを同定および単離し得る。次いで、ＤＮＡを、
これらの細胞から単離しそして哺乳動物細胞にトランスフェクトして、二次発現
ライブラリー（ここで、Ｓｅｃｓ−１ポリペプチドレセプターを発現する細胞の
画分は、元のライブラリーよりも何倍も高い）を作製し得る。この富化プロセス
は、Ｓｅｃｓ−１ポリペプチドレセプターを含む単一の組換えクローンが単離さ
れるまで、繰り返し反復され得る。Ｓｅｃｓ−１ポリペプチドレセプターの単離
は、Ｓｅｃｓ−１ポリペプチドシグナル伝達経路の新規なアゴニストおよびアン
タゴニストを同定または開発するために有用である。このようなアゴニストおよ
びアンタゴニストとしては、可溶性のＳｅｃｓ−１ポリペプチドレセプター、抗
Ｓｅｃｓ−１ポリペプチドレセプター抗体、低分子またはアンチセンスオリゴヌ
クレオチドが挙げられ、これらは、本明細書中に記載される１つ以上の疾患また
は障害を、処置、予防、または診断するために使用され得る。
【０２６３】
マウスＳｅｃｓ−１ポリペプチドおよびヒトＳｅｃｓ−１をコードし、ｐＳＰ
ＯＲＴ１（Ｇｉｂｃｏ−ＢＲＬ）およびｐ７Ｔ７３Ｄ（Ｐｈａｒｍａｃｉａ）に
サブクローニングされ、そして登録番号ＰＴＡ−１７５３およびＰＴＡ−１７５
５を有する、ｃＤＮＡの寄託を、アメリカン  タイプ  カルチャー  コレクショ
ン（バージニア  ２０１１０−２２０９、マナサス、ユニバーシティ  ブールバ
ード  １０８０１）にて２０００年４月２５日に行った。
【０２６４】
以下の実施例は、例示目的のみのために意図され、本発明の範囲をいかなる様
式でも限定するとは解釈されるべきではない。
【０２６５】
（実施例１：ヒトＳｅｃｓ−１ポリペプチド遺伝子およびマウスＳｅｃｓ−１
ポリペプチド遺伝子のクローニング）
概して、Ｓａｍｂｒｏｏｋら（前出）に記載されるような材料および方法を使
用して、ヒトＳｅｃｓ−１ポリペプチドおよびマウスＳｅｃｓ−１ポリペプチド
をコードする遺伝子をクローン化および分析した。
【０２６６】
プロテオームに基づくアプローチを使用して、扁平上皮細胞および直腸結腸癌
腫細胞株から得た馴化培地由来の新規ペプチドを同定した。このペプチドを同定
する際に利用したアプローチは、このペプチドが天然に分泌する産物であること
を示唆する。同定されたペプチドのアミノ酸配列を決定し、そしてＧｅｎＢａｎ
ｋデータベースと占有（ｐｒｏｐｒｉｅｔａｒｙ）データベース（Ａｍｇｅｎ  
ｄｂＥＳＴ）との両方に存在するＥＳＴ配列と配列同一性を共有することを見出
した。具体的には、この新規分泌ペプチドのアミノ酸配列は、ＧｅｎＢａｎｋデ
ータベース（ＧｅｎＢａｎｋ登録番号ＡＡ２８３７５１）に存在するヒトＥＳＴ
配列に対応するアミノ酸配列と相同性を共有することが見出された。このＥＳＴ
配列に対応するｃＤＮＡクローンを、Ｉｎｔｅｇｒａｔｅｄ  Ｍｏｌｅｃｕｌａ
ｒ  Ａｎａｌｙｓｉｓ  ｏｆ  Ｇｅｎｏｍｅｓ  ａｎｄ  ｔｈｅｉｒ  Ｅｘｐｒ
ｅｓｓｉｏｎ（Ｉ．Ｍ．Ａ．Ｇ．Ｅ．）Ｃｏｎｓｏｒｔｉｕｍから得た（Ｉ．Ｍ
．Ａ．Ｇ．Ｅ．Ｃｏｎｓｏｒｔｉｕｍクローン番号７１３６２４）。このｃＤＮ
Ａクローンのヌクレオチド配列を決定し、そしてヒトＳｅｃｓ−１遺伝子に対す
る完全コード配列を含むことを見出した。
【０２６７】
ヒトＳｅｃｓ−１ポリペプチドに対する全長ｃＤＮＡの配列分析は、この遺伝
子が、８１アミノ酸のタンパク質をコードし、そしてそのアミノ末端で２４アミ
ノ酸長の潜在的なシグナルペプチドを有する２４３ｂｐのオープンリーディング
フレームを含むことを示した（図２；推定シグナルペプチドを下線により示す）
。図２は、ヒトＳｅｃｓ−１核酸配列のヌクレオチド配列およびヒトＳｅｃｓ−
１ポリペプチドの推定アミノ酸配列を示す。ヒトＳｅｃｓ−１ポリペプチドは、
５１位（Ａｓｐ）においてグリコシル化されることが見出された。
【０２６８】
マウスＳｅｃｓ−１遺伝子に対応する配列を、ＡＣ−６間質および結腸陰窩ｃ
ＤＮＡライブラリーからの占有データベースにおいて同定した。マウスＳｅｃｓ
−１ポリペプチドｃＤＮＡ配列を、以下のように単離した。総ＲＮＡを、ＡＣ−
６間質細胞株または結腸陰窩組織のいずれかから、ＴＲＩｚｏｌ（登録商標）法
（Ｇｉｂｃｏ−ＢＲＬ，Ｒｏｃｋｖｉｌｌｅ，ＭＤ）を使用して調製し、Ｄｙｎ
ａｂｅａｄｓ  ｍＲＮＡキット（Ｄｙｎａｌ，Ｌａｋｅ  Ｓｕｃｃｅｓｓ，ＮＹ
）を使用して、総ＲＮＡからｍＲＮＡを単離し、そしてＳｕｐｅｒＳｃｒｉｐｔ
ＴＭシステム（Ｇｉｂｃｏ−ＢＲＬ）およびＮｏｔＩオリゴｄ（Ｔ）プライマー
（Ｇｉｂｃｏ−ＢＲＬ）を使用して、単離されたｍＲＮＡから、ｃＤＮＡを合成
した。ｃＤＮＡ合成に続いて、ＳａｌＩアダプター（Ｇｉｂｃｏ−ＢＲＬ）をこ
のｃＤＮＡに連結し、このｃＤＮＡをＮｏｔＩで消化し、次いで消化したｃＤＮ
Ａをアガロースゲルでサイズ選択した。約１．０ｋｂ以上のサイズのインサート
を単離し、そしてｐＳＰＯＲＴ（Ｇｉｂｃｏ−ＢＲＬ）ベクターに連結した。連
結産物を、ＤＨ１０Ｂコンピテント細胞に形質転換し、次いで、選択されたクロ
ーンのヌクレオチド配列を分析した。
【０２６９】
マウスＳｅｃｓ−１ポリペプチドについての全長ｃＤＮＡの配列分析は、この
遺伝子が、７８アミノ酸のタンパク質をコードし、そしてそのアミノ末端で２４
アミノ酸長の潜在的なシグナルペプチドを有する２３４ｂｐのオープンリーディ
ングフレームを含むことを示した（図１；推定シグナルペプチドを下線により示
す）。図１は、マウスＳｅｃｓ−１核酸配列のヌクレオチド配列およびマウスＳ
ｅｃｓ−１ポリペプチドの推定アミノ酸配列を示す。
【０２７０】
ＧｅｎＢａｎｋデータベースおよび占有データベースにおいて多数の相同配列
を同定することに加えて、ヒトＳｅｃｓ−１核酸配列およびマウスＳｅｃｓ−１
核酸配列は、以前に報告されたラットＥＳＴ配列（Ｈｅｎｎｉｇａｎら、１９９
４、Ｏｎｃｏｇｅｎｅ  ９：３５９１−６００）と配列相同性を共有することが
見出された。しかし、Ｈｅｎｎｉｇａｎらは、ラットＳｅｃｓ−１核酸配列の一
部のみを開示し、そしてラットＳｅｃｓ−１オルソログについてのオープンリー
ディングフレームを開示しなかった。図３は、全長ラットＳｅｃｓ−１ポリペプ
チド、マウスＳｅｃｓ−１ポリペプチド、およびヒトＳｅｃｓ−１ポリペプチド
のアミノ酸配列アライメントを示す。ヒトとマウスとの両方のＳｅｃｓ−１ポリ
ペプチドに関する推定アミノ酸配列を使用するＳｗｉｓｓＰｒｏｔデータベース
のＦＡＳＴＡ検索は、有意な相同性を共有する他の配列を何も同定しなかった。
【０２７１】
図４Ａ〜４Ｆは、ヒトＳｅｃｓ−１ポリペプチドに対するゲノムヌクレオチド
配列を示す。ヒトＳｅｃｓ−１ポリペプチドに対するゲノム配列を、公共に利用
可能なＢＡＣクローン（ＧｅｎＢａｎｋ登録番号ＡＣ０２２３８９）の分析によ
って決定した。このエキソンの位置およびこのエキソンからの推定アミノ酸配列
を示す（図４Ａ、４Ｄ、および４Ｆ）。
【０２７２】
（実施例２：Ｓｅｃｓ−１  ｍＲＮＡ発現）
多数のヒト組織のノーザンブロット（占有か、またはＢｉｏＳｏｕｒｃｅ，Ｈ
ａｙｗａｒｄ，ＣＡもしくはＣｌｏｎｔｅｃ，Ｐａｌｏ  Ａｌｔｏ，ＣＡから入
手したかのいずれか）を、３２Ｐ−ｄＣＴＰ標識した５４２ｂｐのヒトＳｅｃｓ
−１  ＰＣＲフラグメントでプローブした。ヒトＳｅｃｓ−１  ＰＣＲプローブ
を、２５ｎｇのＪｕｒｋａｔ細胞ｃＤＮＡ、ヒトＳｅｃｓ−１遺伝子に対応する
アンプリマー（５’−Ｃ−Ｃ−Ｃ−Ａ−Ａ−Ｃ−Ｔ−Ｃ−Ａ−Ａ−Ｃ−Ａ−Ａ−
Ａ−Ｃ−Ｃ−Ｔ−Ｇ−Ａ−Ａ−Ａ−３’；配列番号１４および５’−Ｇ−Ｇ−Ｇ
−Ａ−Ｃ−Ｃ−Ａ−Ｃ−Ｔ−Ｇ−Ｇ−Ａ−Ｔ−Ｇ−Ｃ−Ｔ−Ｇ−３’；配列番号
１５）（各々最終濃度０．２μＭで）、２．５単位のＴａｑポリメラーゼ、２０
０μＭ  ｄＮＴＰ、５０μＣｉ  ３２Ｐ−ｄＣＴＰ、および１×Ｔａｐポリメラ
ーゼ緩衝液を使用して、２５μｌの総反応容量で調製した。反応を、９４℃２分
間で１サイクル；９４℃２０秒間、５７．８℃３０秒間、および７２℃１分間で
４０サイクル；ならびに７２℃５分間で１サイクルで実施した。
【０２７３】
ノーザンブロットを、ＵＬＴＲＡｈｙｂＴＭ（Ａｍｂｉｏｎ，Ａｕｓｔｉｎ，
ＴＸ）中４２℃で１時間、予備ハイブリダイズし、次いで、約８×１０４ｃｐｍ
／μｌの標識プローブを含む新鮮なハイブリダイゼーション緩衝液中４２℃で一
晩ハイブリダイズした。ハイブリダイゼーションに続いて、このフィルタを、２
×ＳＳＰＥおよび０．５％ＳＤＳ中５０℃で３０分間２回洗浄し、次いで、０．
１×ＳＳＰＥおよび０．５％ＳＤＳ中室温で１５分間２回洗浄した。次いで、ブ
ロットを、燐光画像機（ｐｈｏｓｐｈｏｉｍａｇｅｒ）を使用して分析した。
【０２７４】
このノーザンブロットの分析は、１ｋｂの分子量を有する単一の転写物が、結
腸および前立腺組織において発現されたことを示した。正常結腸におけるＳｅｃ
ｓ−１  ｍＲＮＡの発現は、結腸腫瘍における発現より４倍高いことが見出され
、そして正常前立腺組織におけるＳｅｃｓ−１  ｍＲＮＡの発現は、前立腺腫瘍
における発現より高いことが見出された。
【０２７５】
Ｓｅｃｓ−１  ｍＲＮＡの発現を、インサイチュハイブリダイゼーションによ
って位置決定した。正常胚組織および成体マウス組織のパネルを、４％パラホル
ムアルデヒドに固定し、パラフィン中に埋包し、そして５μｍに切断した。切断
した組織を、０．２Ｍ  ＨＣｌ中で透過性にし、Ｐｒｏｔｅｉｎａｓｅ  Ｋで消
化し、そしてトリエタノールアミンおよび無水酢酸を用いてアセチル化した。切
片を、３００ｍＭ  ＮａＣｌ、２０ｍＭ  Ｔｒｉｓ−ＨＣｌ（ｐＨ８．０）、５
ｍＭ  ＥＤＴＡ、１×デンハルト溶液、０．２％  ＳＤＳ、１０ｍＭ  ＤＴＴ、
０．２５ｍｇ／ｍｌ  ｔＲＮＡ、２５μｇ／ｍｌポリＡ、２５μｇ／ｍｌポリＣ
および５０％ホルムアミド中６０℃で１時間予備ハイブリダイズし、次いで１０
％デキストラン、およびマウスＳｅｃｓ−１遺伝子に相補的な２×１０４ｃｐｍ
／μｌの３３Ｐ標識した２９１ｂｐアンチセンスリボプローブを含む同じ緩衝液
中６０℃で一晩ハイブリダイズした。
【０２７６】
このリボプローブを、マウスＳｅｃｓ−１  ｃＤＮＡ配列を含むクローンのイ
ンビトロ転写によって得た。マウスＳｅｃｓ−１  ｃＤＮＡ配列を、ＲＴ−ＰＣ
Ｒによって、ＭＳＣ２．２．２細胞由来の１００μｇの総ＲＮＡ、マウスＳｅｃ
ｓ−１遺伝子に対応するアンプリマー（５’−Ａ−Ｃ−Ｔ−Ｃ−Ｃ−Ｇ−Ｇ−Ｃ
−Ｔ−Ｃ−Ｃ−Ｔ−Ｔ−Ｃ−Ａ−Ｃ−Ｔ−Ａ−Ｔ−Ｇ−Ａ−３’；配列番号１６
および５’−Ａ−Ｔ−Ｇ−Ｔ−Ｇ−Ｇ−Ｇ−Ｃ−Ａ−Ｔ−Ｃ−Ａ−Ｔ−Ｃ−Ａ−
Ａ−Ｃ−Ｇ−Ｃ−Ｔ−Ｔ−Ｔ−Ａ−３’；配列番号１７）（各々０．２μＭの最
終濃度で）、５単位のＴａｑポリメラーゼ、２００μＭ  ｄＮＴＰ、および１×
Ｔａｑポリメラーゼ緩衝液を、５０μｌの総反応容量で使用して、生成した。反
応を、９４℃２分間で１サイクル；９４℃２０秒間および５７℃３０秒間で４０
サイクル；ならびに７２℃５分間で１サイクルで実施した。増幅に続いて、ＰＣ
Ｒ産物をアガロースゲルで分離し、このゲルから切り出し、ＱＩＡＱｕｉｃｋ  
Ｇｅｌ  Ｅｘｔｒａｃｔｉｏｎキット（Ｑｉａｇｅｎ，Ｖａｌｅｎｃｉａ，ＣＡ
）を使用して精製し、そしてｐＧＥＭ−Ｔ（Ｐｒｏｍｅｇａ，Ｍａｄｉｓｏｎ，
ＷＩ）ベクターに連結した。連結産物をＤＨ５−αコンピテント細胞に形質導入
し、そして６つのクローンを、制限酵素消化による分析および配列決定のために
選択した。
【０２７７】
ハイブリダイゼーションに続いて、切片を緩衝液中でリンスし、ＲＮａｓｅＡ
で処理してハイブリダイズしていないプローブを消化し、次いで０．１×ＳＳＣ
中５５℃で３０分間洗浄した。次いで、切片をＮＴＢ−２エマルジョン（Ｋｏｄ
ａｋ，Ｒｏｃｈｅｓｔｅｒ，ＮＹ）に浸漬し、４℃で３週間露光し、現像し、そ
してヘマトキシリンおよびエオシンで対比染色した。組織形態およびハイブリダ
イゼーションシグナルを、暗視野および標準の照射によって、脳（１つの矢状部
分および２つの冠状部分）、胃腸管（食道、胃、十二指腸、空腸、回腸、近位結
腸、および遠位結腸）、下垂体、肝臓、肺、心臓、脾臓、胸腺、リンパ節、腎臓
、副腎、膀胱、膵臓、唾液腺、雄性および雌性の生殖器官（雌性における卵巣、
卵管、および子宮；ならびに雄性における精巣、精巣上体、前立腺、精嚢、およ
び精管）、ＢＡＴおよびＷＡＴ（皮下、腎周）、骨（大腿）、皮膚、乳房、なら
びに骨格筋に対して同時に分析した。
【０２７８】
Ｓｅｃｓ−１プローブは、バックグラウンドが低い明白なシグナルを発生させ
た。胚組織と成体組織との両方において、最も強いシグナルは、胃腸系の上皮細
胞において検出された。成体組織において、強い標識は、頬、腹側の舌、食道、
および大腸の上皮細胞において特に見出された。中程度のシグナルは、遠位回腸
において観察され、そして胃または小腸の近位部分においては発現が検出されな
かった。中程度のレベルの発現は、胚の腸の上皮細胞において検出されたが、強
いシグナルは、発生中の唾液腺において観察された。
【０２７９】
胃腸経以外に由来する組織において、中程度から強いシグナルは、精巣の精細
管の発生中の精子細胞、子宮のいくらかの部分、および乳頭の上皮細胞において
検出された。中程度のレベルの発現は、皮膚および鼻腔の上皮細胞において検出
された。低レベルの発現もまた、リンパ節、脾臓、胸腺、ならびに前肢の上腕骨
および尺骨において見出された。
【０２８０】
ヒトＳｅｃｓ−１  ｍＲＮＡおよびマウスＳｅｃｓ−１  ｍＲＮＡの、いくつ
かのヒト腫瘍モデルまたは宿主または異種移植片における発現を、インサイチュ
ハイブリダイゼーションによって分析した。マウス創傷治癒モデルおよび乾癬（
薄片状の皮膚）モデルにおける、ヒトＳｅｃｓ−１  ｍＲＮＡおよびマウスＳｅ
ｃｓ−１  ｍＲＮＡの、いくつかの時点における発現もまた、インサイチュハイ
ブリダイゼーションによって分析した。Ｓｅｃｓ−１ポリペプチドを、最初にヒ
ト間質細胞および結腸直腸癌腫細胞株由来の馴化培地のプロテオーム解析によっ
て、同定した。先のインサイチュハイブリダイゼーション実験において、口腔粘
膜および胃腸管の上皮層における不連続な標識が観察された。予備研究はまた、
Ｓｅｃｓ−１遺伝子が結腸腫瘍および前立腺腫瘍においてダウンレギュレートさ
れることを示した。
【０２８１】
２９２ｂｐのマウスＳｅｃｓ−１プローブ配列および５０４ｂｐのヒトＳｅｃ
ｓ−１プローブ配列を含む構築物を、ＮｃｏＩを用いて直鎖化し、そしてアンチ
センス３３Ｐ標識ＲＮＡプローブを、Ｓｐ６  ＲＮＡポリメラーゼを使用して、
各構築物から合成した。インサイチュハイブリダイゼーションを、標準的なプロ
トコルを使用して、組織サンプルの５μｍの切片（これは浸漬により固定され、
そしてパラフィンに埋没している）を含むスライド上で実施した。組織サンプル
を、５５℃で一晩ハイブリダイズし、次いでＳＳＣ中で数回洗浄した（０．１×
ＳＳＣ中５５℃で３０分間の高ストリンジェンシーの洗浄）。洗浄に続いて、ス
ライドをエマルジョンに３週間曝露し、次いで現像し、そしてヘマトキシリンお
よびエオシンで対比染色した。
【０２８２】
図５および６は、インサイチュハイブリダイゼーションによって検出した場合
の、ヒト類表皮癌腫（Ａ４３１）異種移植片（図５）、またはヒト前立腺癌腫（
ＰＣ−３）およびヒト結腸癌腫（ＨＴ−２９）の細胞株（図６）における、ヒト
Ｓｅｃｓ−１  ｍＲＮＡおよびマウスＳｅｃｓ−１  ｍＲＮＡの発現を示す。イ
ンサイチュハイブリダイゼーションをまた、ヒト結腸癌腫（ＨＣＴ−１１６）細
胞株を使用して実施した。わずかなＳｅｃｓ−１シグナルが、ＰＣ−３前立腺腫
瘍（図６、最上列、中央パネルを参照のこと）またはＨＣＴ−１１６結腸腫瘍細
胞株において検出された。中程度のＳｅｃｓ−１  ｍＲＮＡ発現が、ＨＴ−２９
結腸腫瘍細胞株の小さな集団において観察された（図６、第３列、中央パネルを
参照のこと）。しかし、最も強いＳｅｃｓ−１  ｍＲＮＡ発現は、Ａ４３１ヒト
類表皮腫瘍異種移植片において検出された（図５、最上列、右側パネルを参照の
こと）。この強いシグナルは、腫瘍塊全体で散乱して見られたが、腫瘍塊の表面
ではなく深部において、より集中しているようであった。わずかなＳｅｃｓ−１
発現が、壊死の領域において見出された。
【０２８３】
試験した異種移植片の型にかかわらず、マウス宿主の全てが、上にある皮膚上
皮細胞において、強いＳｅｃｓ−１  ｍＲＮＡ発現のパッチを示し（図５、下列
、右側パネル；図６、第２列、中央パネル；図６、最下列、中央パネルを参照の
こと）、増殖中の細胞を示唆する。しかし、選択された異種移植片における増殖
中の細胞に対するＢｒＤｕ染色は、上皮におけるＳｅｃｓ−１  ｍＲＮＡ発現と
の対応を示さなかった（図６、右側パネル）。同様に、ＨＴ−２９異種移植片に
おけるＢｒＤｕ染色は、Ｓｅｃｓ−１  ｍＲＮＡを発現する腫瘍性細胞のパッチ
との対応を示さなかった。
【０２８４】
腫瘍異種移植片の上にある上皮におけるこのような強いＳｅｃｓ−１  ｍＲＮ
Ａ発現事象を考慮して、さらなるインサイチュハイブリダイゼーションを実施し
て、非腫瘍マウス創傷治癒モデルにおける上皮細胞Ｓｅｃｓ−１  ｍＲＮＡ発現
の一時的な変化を、皮膚穿刺生検に続く３つの時点で、試験した。図７は、この
分析の結果を示す。損傷後３日目および４日目に、強いＳｅｃｓ−１  ｍＲＮＡ
発現が、皮膚潰瘍の縁の増殖中の皮膚表皮において検出され（図７、第１列およ
び第２列）、そしてサンプリングした表皮の大部分を含むように、この損傷から
拡張した。最初の穿刺生検が表皮を除去したので、表皮細胞および従ってシグナ
ルは、これらの初期の時点においては、潰瘍の下において観察されなかった。し
かし、８日目までに、創傷の下の表皮が再生され、そして強いＳｍａｃｓ２  ｍ
ＲＮＡ発現が検出され、このときシグナルは、損傷の縁へと、そしてそこを超え
て拡張した。
【０２８５】
Ｓｅｃｓ−１  ｍＲＮＡ発現をまた、乾癬の変異体マウスモデル（薄片状の皮
膚のマウス）において試験した。創傷治癒モデルの試験において得られた結果と
は異なり、乾癬モデルは、慢性の、いくらかより組織崩壊する、過剰増殖性の表
皮の存在を示すことがわかった。このモデルにおけるインサイチュハイブリダイ
ゼーションは、正常コントロールにおける検出不可能なレベル（図７、第４列）
と比較して、皮膚上皮細胞において、同じ強いＳｅｃｓ−１  ｍＲＮＡ発現を示
した（図７、最下列）。
【０２８６】
（実施例４：Ｓｅｃｓ−１ポリペプチドの産生）
（Ａ．細菌におけるＳｅｃｓ−１ポリペプチドの発現）
ヒトＳｅｃｓ−１細菌発現ベクターを調製するために、ヒトＳｅｃｓ−１  ｃ
ＤＮＡ配列を、最初に、ヒトＳｅｃｓ−１遺伝子に対応する０．４ｐｍ／ｍｌの
アンプリマー（５’−Ａ−Ａ−Ａ−Ｔ−Ａ−Ａ−Ｃ−Ａ−Ｔ−Ａ−Ｔ−Ｇ−Ａ−
Ａ−Ａ−Ｃ−Ｇ−Ｔ−Ｃ−Ｇ−Ｔ−Ｃ−Ｃ−Ａ−Ｇ−Ｃ−Ｔ−Ａ−Ａ−Ａ−Ｇ−
Ｃ−Ｃ−Ｔ−Ｇ−Ｇ−Ｔ−Ｃ−Ａ−Ｇ−Ｇ−Ｃ−３’；配列番号１８および５’
−Ｇ−Ｇ−Ｔ−Ｇ−Ａ−Ｔ−Ｇ−Ｇ−Ｔ−Ｇ−Ａ−Ｔ−Ｇ−Ｇ−Ｔ−Ｇ−Ｃ−Ａ
−Ｃ−Ｃ−Ｔ−Ｇ−Ｔ−Ｇ−Ｇ−Ｇ−Ａ−Ｇ−Ｔ−Ｇ−Ｃ−Ｃ−Ｃ−Ｃ−３’；
配列番号１９）、ならびに２つのＲｅａｄｙ−Ｔｏ−Ｇｏ  ＰＣＲビーズ（Ａｍ
ｅｒｓｈａｍ  Ｐｈａｒｍａｃｉａ  Ｂｉｏｔｅｃｈ，Ｐｉｓｃａｔａｗａｙ，
ＮＪ）を含む反応混合物（５０μｌの総反応容量）中での１μｇのヒトＳｅｃｓ
−１  ｃＤＮＡクローンのＰＣＲ増幅によって調製した。反応を、９４℃２分間
で１サイクル；９４℃４５秒間、５５℃４５秒間、および７２℃４５秒間で３０
サイクルで実施した。この反応において生成したＰＣＲ産物を、２％アガロース
ゲルでゲル精製した。
【０２８７】
この最初の増幅反応において生成したヒトＳｅｃｓ−１  ＰＣＲ産物を、次い
で、ヒトＳｅｃｓ−１遺伝子に対応する０．４ｐｍ／μｌのアンプリマー（５’
−Ａ−Ａ−Ａ−Ｔ−Ａ−Ａ−Ｃ−Ａ−Ｔ−Ａ−Ｔ−Ｇ−Ａ−Ａ−Ａ−Ｃ−Ｇ−Ｔ
−Ｃ−Ｇ−Ｔ−Ｃ−Ｃ−Ａ−Ｇ−Ｃ−Ｔ−Ａ−Ａ−Ａ−Ｇ−Ｃ−Ｃ−Ｔ−Ｇ−Ｇ
−Ｔ−Ｃ−Ａ−Ｇ−Ｇ−Ｃ−３’；配列番号１８および５’−Ｇ−Ｔ−Ｇ−Ｇ−
Ｔ−Ａ−Ｇ−Ｔ−Ｇ−Ｇ−Ｔ−Ａ−Ｇ−Ｔ−Ｇ−Ｇ−Ｔ−Ａ−Ｇ−Ｔ−Ａ−Ａ−
Ｃ−Ｔ−Ａ−Ｔ−Ｃ−Ｃ−Ｔ−Ａ−Ｇ−Ｇ−Ｔ−Ａ−Ｔ−Ｔ−Ｔ−３’；配列番
号２０）ならびに２つのＲｅａｄｙ−Ｔｏ−Ｇｏ  ＰＣＲビーズを含む反応混合
物（５０μｌの総反応容量）中で再増幅した。反応を、９４℃２分間で１サイク
ル；９４℃４５秒間、５５℃４５秒間、および７２℃４５秒間で３０サイクルで
実施した。再増幅反応において使用したアンプリマー（ａｍｐｌｉｅｒ）を、適
切な制限部位をヒトＳｅｃｓ−１  ｃＤＮＡ配列に組み込むように設計した。
【０２８８】
このｐＡＭＧ２１（ＡＴＣＣ番号９８１１３）ベクター（これは、ｌｕｘプロ
モーターおよびカナマイシン耐性遺伝子を含む）、および第２の増幅反応からの
ＰＣＲ産物を、Ｂａｍ  ＨＩおよびＮｄｅ  Ｉを用いて消化した。次いで、この
ＰＣＲ産物を、ゲル精製して、そしてｐＡＭＧ２１中に連結した。この連結産物
を、エレクトロボレーションにより、ＧＭ１２１（ＡＴＣＣ番号２０２１７４）
コンピテント細胞に形質転換し、そしてカナマイシン耐性について形質転換体を
選択した。次いで、選択されたコロニーから単離されたプラスミドＤＮＡを、配
列分析に供した。
【０２８９】
形質転換した宿主細胞を、誘導の前に、４０μｇ／ｍｌのカナマイシンを含む
２ＸＹＴ培地（３０℃）中でインキュベートした。遺伝子の発現を、Ｎ−（３−
オキソヘキサノイル）−ｄｌ−ホモセリンラクトンの最終濃度（１００ｎｇ／ｍ
ｌ）までの添加によって誘導し、続いて、４時間、３０℃でインキュベートした
。この培養物を遠心分離し、そして細菌ペレットを再懸濁および溶解し、次いで
ＳＤＳ−ポリアクリルアミドゲル電気泳動により宿主細胞タンパク質を分析する
ことによって、ヒトＳｅｃｓ−１ポリペプチドの発現を評価した。
【０２９０】
（Ｂ．哺乳動物細胞におけるＳｅｃｓ−１ポリペプチドの発現）
ＰＣＲを用いて、Ｓｅｃｓ−１ポリペプチドをコードするテンプレートＤＮＡ
配列を増幅する。このＰＣＲには、この配列の５’および３’末端に対応するプ
ライマーを用いる。増幅したＤＮＡ産物を改変して、発現ベクター内への挿入を
可能にするために制限酵素部位を含むようにし得る。ＰＣＲ産物をゲル精製し、
そして標準的組み換えＤＮＡ方法論を用いて発現ベクター中に挿入する。エプス
タイン−バーウイルス複製起点を含む代表的な発現ベクターであるｐＣＥＰ４（
Ｉｎｖｉｔｒｏｇｅｎ，Ｃａｒｌｓｂａｄ，ＣＡ）を、２９３−ＥＢＮＡ−１細
胞におけるＳｅｃｓ−１ポリペプチドの発現のために用い得る。増幅およびゲル
精製したＰＣＲ産物を、ｐＣＥＰ４ベクターに連結し、そしてリポフェクション
によって２９３−ＥＢＮＡ細胞中に導入する。トランスフェクトした細胞を、１
００μｇ／ｍＬのハイグロマイシン中で選択し、そして得られた薬物耐性培養物
をコンフルエンスになるまで増殖させる。次いで、この細胞を無血清培地中で７
２時間培養する。馴化培地を取り出し、Ｓｅｃｓ−１ポリペプチド発現をＳＤＳ
−ＰＡＧＥによって分析する。
【０２９１】
Ｓｅｃｓ−１ポリペプチド発現は、銀染色によって検出できる。あるいは、Ｓ
ｅｃｓ−１ポリペプチドを、ペプチドタグに対する抗体を用いてウエスタンブロ
ット分析によって検出可能である、エピトープタグ（例えば、ＩｇＧ定常ドメイ
ンまたはＦＬＡＧエピトープ）を有する融合タンパク質として生成する。
【０２９２】
Ｓｅｃｓ−１ポリペプチドを、ＳＤＳ−ポリアクリルアミドゲルから切り出し
得るか、またはＳｅｃｓ−１融合タンパク質を、エピトープタグに対するアフィ
ニティークロマトグラフィーによって精製し、そして本明細書に記載のようなＮ
末端アミノ酸配列分析に供する。
【０２９３】
（Ｃ．哺乳動物細胞におけるＳｅｃｓ−１ポリペプチドの発現および精製）
リポフェクションまたはリン酸カルシウムプロトコールのいずれかを用いて、
２９３  ＥＢＮＡ細胞またはＣＨＯ細胞中に、Ｓｅｃｓ−１ポリペプチド発現構
築物を導入する。
【０２９４】
生成されるＳｅｃｓ−１ポリペプチドに対する機能的研究を行うため、ハイグ
ロマイシン選択２９３  ＥＢＮＡクローンのプールから大量の馴化培地を生成す
る。この細胞を５００ｃｍ  Ｎｕｎｃ  Ｔｒｉｐｌｅ  Ｆｌａｓｋｓ中で、８０
％コンフルエンスになるまで培養し、その後、培地を回収する１週間前に無血清
培地に切り換える。馴化培地を回収し、そして精製まで−２０℃に凍結する。
【０２９５】
馴化培地を下記のとおり、アフィニティークロマトグラフィーによって精製す
る。この培地を解凍し、次いで０．２μｍフィルターに通す。プロテインＧカラ
ムをＰＢＳでｐＨ７．０に平衡化し、次いで濾過した培地をロードした。このカ
ラムをＡ２８０の吸収がベースラインに達するまでＰＢＳで洗浄する。０．１Ｍ
Ｇｌｙｃｉｎｅ−ＨＣｌを用いてｐＨ２．７で、Ｓｅｃｓ−１ポリペプチドを
カラムから溶出し、直ちに１Ｍ  Ｔｒｉｓ−ＨＣｌを用いてｐＨ８．５で中和す
る。Ｓｅｃｓ−１ポリペプチドを含有する画分をプールし、ＰＢＳ中で透析し、
そして−７０℃で貯蔵した。
【０２９６】
ヒトＳｅｃｓ−１ポリペプチド−Ｆｃ融合ポリペプチドの第Ｘａ因子切断につ
いて、アフィニティークロマトグラフィー精製したタンパク質を、５０ｍＭ  Ｔ
ｒｉｓ−ＨＣｌ、１００ｍＭ  ＮａＣｌ、２ｍＭ  ＣａＣｌ２中でｐＨ８．０で
透析する。制限プロテアーゼ第Ｘａ因子を、透析したタンパク質に１／１００（
ｗ／ｗ）で添加し、そしてこのサンプルを室温で一晩消化する。
【０２９７】
（実施例４：抗Ｓｅｃｓ−１ポリペプチド抗体の産生）
Ｓｅｃｓ−１ポリペプチドに対する抗体を、ＨｕｄｓｏｎおよびＢａｙ、Ｐｒ
ａｃｔｉｃａｌ  Ｉｍｍｕｎｏｌｏｇｙ（第二版、Ｂｌａｃｋｗｅｌｌ  Ｓｃｉ
ｅｎｔｉｆｉｃ  Ｐｕｂｉｌｉｃａｔｉｏｎ）に記載される手順を使用して生成
した。具体的に、ウサギを、化学的に合成したＳｅｃｓ−１ペプチド（Ｃ−Ｗ−
Ｖ−Ｖ−Ｐ−Ｇ−Ａ−Ｌ−Ｐ−Ｑ−Ｉ；配列番号２１）を用いて、免疫した。免
疫前に、このＳｅｃｓ−１ペプチド配列を、製造業者により提示されたプロトコ
ールに従って、Ｍａｌｅｉｍｉｄｅ  Ｃｏｎｊｕｇａｔｉｏｎ  Ｂｕｆｆｅｒ（
Ｐｉｅｒｃｅ  Ｃｈｅｍｉｃａｌ、Ｒｏｃｋｆｏｒｄ、ＩＬ）を使用して、Ｋ−
Ｌ−Ｈに連結した。ウサギに、Ｓｅｃｓ−１ペプチドを注射し、次いで、十分な
血清力価レベル（酵素結合イムノソルベント検定法（ＥＬＩＳＡ）により決定さ
れる）を有するこれらの動物を、ポリクローナル抗体の産生のために選択した。
【０２９８】
（実施例５：トランスジェニックマウスにおけるＳｅｃｓ−１ポリペプチドの
発現）
Ｓｅｃｓ−１ポリペプチドの生物学的活性を評価するため、肝臓特異的Ａｐｏ
Ｅプロモーターの制御下でＳｅｃｓ−１ポリペプチド／Ｆｃ融合タンパク質をコ
ードする構築物を調製する。この構築物の送達により、Ｓｅｃｓ−１ポリペプチ
ドの機能に関する情報を与える病理的変化を生じることが期待される。同様に、
βアクチンプロモーターの制御下で全長Ｓｅｃｓ−１ポリペプチドを含む構築物
を調製する。この構築物の送達により、遍在性発現を生じることが期待される。
【０２９９】
これらの構築物を生成するために、ＰＣＲを用いて、Ｓｅｃｓ−１ポリペプチ
ドをコードするテンプレートＤＮＡ配列を増幅する。このＰＣＲには、所望の配
列の５’および３’末端に対応するプライマーを用いる。そしてこの配列は、発
現ベクター内への増幅産物の挿入を可能にするために制限酵素部位を組み込む。
増幅後、ＰＣＲ産物をゲル精製し、適切な制限酵素で消化し、そして標準的組み
換えＤＮＡ技術を用いて発現ベクター中に連結する。例えば、増幅したＳｅｃｓ
−１ポリペプチド配列を、Ｇｒａｈａｍら、１９９７、Ｎａｔｕｒｅ  Ｇｅｎｅ
ｔｉｃｓ，１７：２７２〜７４およびＲａｙら，１９９１  Ｇｅｎｅｓ  Ｄｅｖ
．５：２２６５〜７３に記載のように、ヒトβアクチンプロモーターの制御下で
発現ベクター中にクローニングし得る。
【０３００】
連結（ライゲーション）後、反応混合物を用いて、Ｅ．ｃｏｌｉ宿主株をエレ
クトロポレーションによって形質転換し、そして形質転換体を、薬物耐性で選択
する。選択したコロニー由来のプラスミドＤＮＡを単離して、ＤＮＡ配列決定に
供し、適切なインサートの存在および変異が存在しないことを確認する。Ｓｅｃ
ｓ−１ポリペプチド発現ベクターを、２回のＣｓＣｌ密度勾配遠心分離を通じて
精製し、適切な制限酵素で切断し、そして、Ｓｅｃｓ−１ポリペプチド導入遺伝
子を含有する直線フラグメントを、ゲル電気泳動によって精製する。精製したフ
ラグメントを、５ｍＭ  Ｔｒｉｓ（ｐＨ７．４）および０．２ｍＭ  ＥＤＴＡ中
で、２ｍｇ／ｍＬの濃度で、再懸濁する。
【０３０１】
ＢＤＦ１×ＢＤＦ１交配マウス由来の単一細胞胚を、記載（ＰＣＴ公開番号Ｗ
Ｏ９７／２３６１４）のように注射する。胚を、ＣＯ２インキュベーター中で一
晩培養し、そして１５〜２０の２細胞胚を偽妊娠ＣＤ１雌性マウスの卵管に移す
。マイクロインジェクションした胚の着床から得た子孫を、以下のように、ゲノ
ムＤＮＡサンプル中に取り込まれた導入遺伝子のＰＣＲ増幅でスクリーニングす
る。耳切片を２０ｍＬの耳緩衝液（２０ｍＭ  Ｔｒｉｓ，ｐＨ８．０，１０ｍＭ
ＥＤＴＡ、０．５％  ＳＤＳ、および５００ｍｇ／ｍＬ  プロテイナーゼＫ）
中で、５５℃で一晩消化する。次いで、このサンプルを２００ｍＬのＴＥで希釈
し、そして２ｍＬの耳サンプルを、適切なプライマーを用いるＰＣＲ反応中で用
いる。
【０３０２】
８週齢で、トランスジェニック創始動物およびコントロール動物を、剖検およ
び病理分析のため、屠殺する。脾臓の一部を取り出し、そしてＴｏｔａｌ  ＲＮ
Ａ  Ｅｘｔｒａｃｔｉｏｎ  Ｋｉｔ（Ｑｉａｇｅｎ）を用いて、脾臓から、総細
胞ＲＮＡを単離し、そして導入遺伝子発現を、ＲＴ−ＰＣＲによって決定する。
脾臓から回収したＲＮＡを、以下のように、ＳｕｐｅｒＳｃｒｉｐｔＴＭＰｒｅ
ａｍｐｌｉｆｉｃａｔｉｏｎ  Ｓｙｓｔｅｍ（Ｇｉｂｃｏ−ＢＲＬ）を用いてｃ
ＤＮＡに変換する。適切なプライマー（発現ベクター中のＳｅｃｓ−１ポリペプ
チド導入遺伝子の３’側に位置する）を用いて、導入遺伝子転写物からｃＤＮＡ
合成をプライムする。トランスジェニック創始動物およびコントロール由来の１
０ｍｇの総脾臓ＲＮＡを、１ｍＭのプライマーとともに、１０分間７０℃でイン
キュベートし、そして氷上に置く。次いで、反応物に、１０ｍＭ  Ｔｒｉｓ−Ｈ
Ｃｌ、ｐＨ８．３、５０ｍＭ  ＫＣｌ、２．５ｍＭ  ＭｇＣｌ２、１０ｍＭの各
ｄＮＴＰ、０．１ｍＭ  ＤＴＴ、および２００ＵのＳｕｐｅｒＳｃｒｉｐｔＩＩ
逆転写酵素を補充する。４２℃で５０分間のインキュベーション後、７２℃で１
５分間加熱することによって反応を停止し、２ＵのＲＮａｓｅ  Ｈを用いて２０
分間３７℃で消化する。次いで、サンプルをＳｅｃｓ−１ポリペプチドに特異的
なプライマーを用いるＰＣＲによって増幅する。
【０３０３】
（実施例６：トランスジェニックマウスにおけるＳｅｃｓ−１ポリペプチドの
生物学的活性）
安楽死の前に、トランスジェニック動物を計量し、イソフルオロラン（ｉｓｏ
ｆｌｕｏｒａｎｅ）によって麻酔し、そして心臓穿刺によって採血する。サンプ
ルを、血液学および血清化学分析に供する。Ｘ線撮影を、最終的な放血後に行う
。肉眼での解剖の際に、主な内臓器官を、重量分析に供する。
【０３０４】
肉眼での解剖後、組織（すなわち、肝臓、脾臓、膵臓、胃、胃腸管全体、腎臓
、生殖器官、皮膚および乳腺、骨、脳、心臓、肺、胸腺、気管、食道、甲状腺、
副腎、膀胱、リンパ節および骨格筋）を取出し、そして１０％緩衝化Ｚｎ−ホル
マリン中で組織学的検査のために固定する。固定後、組織をパラフィンブロック
中で処理し、そして３ｍｍの切片を得る。全ての切片を、ヘマトキシリンおよび
エオシンで染色し、次いで組織学的分析に供する。
【０３０５】
トランスジェニックマウスおよびコントロールマウスの両方の脾臓、リンパ節
およびパイアー斑を、以下の通りにＢ細胞特異的抗体およびＴ細胞特異的抗体を
用いた免疫組織学的分析に供する。ホルマリンで固定したパラフィン包埋切片を
脱パラフィン処理し、そして脱イオン水中で水和する。切片を３％過酸化水素で
クエンチし、Ｐｒｏｔｅｉｎ  Ｂｌｏｃｋ（Ｌｉｐｓｈａｗ，Ｐｉｔｔｓｂｕｒ
ｇｈ，ＰＡ）でブロックし、そしてラットモノクローナル抗マウスＢ２２０およ
びＣＤ３（Ｈａｒｌａｎ，Ｉｎｄｉａｎａｐｏｌｉｓ，ＩＮ）中でインキュベー
トする。抗体結合を、色素原（ｃｈｒｏｍａｇｅｎ）としてＤＡＢ（ＢｉｏＴｅ
ｋ，Ｓａｎｔａ  Ｂａｒｂａｒａ，ＣＡ）を用いて、ビオチン化ウサギ抗ラット
免疫グロブリンおよびペルオキシダーゼ結合体化ストレプトアビジン（ＢｉｏＧ
ｅｎｅｘ，Ｓａｎ  Ｒａｍｏｎ，ＣＡ）によって検出する。切片を、ヘマトキシ
リンで対比染色する。
【０３０６】
剖検後、トランスジェニック動物およびコントロールの同腹仔由来の脾臓およ
び胸腺のＭＬＮおよび切片を取出す。シリンジの平らな末端を用いて１００ｍｍ
ナイロン性細胞ストレーナー（Ｂｅｃｔｏｎ  Ｄｉｃｋｉｎｓｏｎ，Ｆｒａｎｋ
ｌｉｎ  Ｌａｋｅｓ，ＮＪ）の底に対してこの組織を穏やかに粉砕することによ
って単細胞懸濁物を調製する。細胞を２回洗浄し、計数し、次いで各組織由来の
約１×１０６細胞を、２０μＬ容量において０．５μｇ  ＣＤ１６／３２（Ｆｃ
γＩＩＩ／ＩＩ）Ｆｃブロックで１０分間インキュベートする。次いで、サンプ
ルを、ＦＩＴＣまたはＰＥに結合体化した、ＣＤ９０．２に対するモノクローナ
ル抗体（Ｔｈｙ−１．２）、ＣＤ４５Ｒに対するモノクローナル抗体（Ｂ２２０
）、ＣＤ１１ｂに対するモノクローナル抗体（Ｍａｃ−１）、Ｇｒ−１に対する
モノクローナル抗体、ＣＤ４に対するモノクローナル抗体またはＣＤ８に対する
モノクローナル抗体（ＰｈａｒＭｉｎｇｅｎ，Ｓａｎ  Ｄｉｅｇｏ，ＣＡ）の０
．５μｇ抗体を用いて、１００μＬ容量のＰＢＳ（Ｃａ＋およびＭｇ＋を欠く）
、０．１％ウシ血清アルブミンおよび０．０１％アジ化ナトリウム中で２〜８℃
で３０分間染色する。抗体結合後、細胞を洗浄し、次いでＦＡＣＳｃａｎ（Ｂｅ
ｃｔｏｎ  Ｄｉｃｋｉｎｓｏｎ）でのフローサイトメトリーによって分析する。
【０３０７】
（実施例７：マウスＳｅｃｓ−１ポリペプチドの生物学的活性）
実施例６において調製されるＳｅｃｓ−１ポリペプチド／Ｆｃ融合構築物を使
用して、増殖因子のＦＧＦファミリーのメンバーへのＳｅｃｓ−１ポリペプチド
の直接的な結合を分析する。
【０３０８】
骨髄間質細胞株中でのＳｅｃｓ−１ポリペプチドの発現は、間質細胞の造血幹
細胞を維持する能力と相関することを示した。間質細胞の造血幹細胞を維持する
能力が、Ｓｅｃｓ−１ポリペプチドの発現に単に相関しているというのではなく
起因する場合、非支持性間質細胞株中でのＳｅｃｓ−１ポリペプチドの発現が、
この細胞株を支持性細胞株に変換する。同様に、ＳＴ２細胞中でのＳｅｃｓ−１
の発現が、デキサメタゾンおよびビタミンＤ３の非存在下において、これらの細
胞に破骨細胞形成（ｏｓｔｅｏｃｌａｓｔｏｇｅｎｅｓｉｓ）を支持させる場合
、この結果は、デキサメタゾンおよびビタミンＤ３によるＳｅｃｓ−１ポリペプ
チドの発現の強力な誘導が、単に無害のバイスタンダー（ｂｙｓｔａｎｄｅｒ）
効果であるだけでなく、この破骨細胞支持表現型の出現に原因として関与するこ
とを示唆する。
【０３０９】
本発明を好ましい実施形態に関して記載してきたが、改変および修飾が当業者
に思い浮かぶことが理解される。それゆえ、添付の特許請求の範囲が、本願発明
の範囲内に入る全てのこのような均等な改変物を包含することが意図される。
【図面の簡単な説明】
【０３１０】
【図１】図１は、マウスＳｅｃｓ−１遺伝子のヌクレオチド配列（配列番号１）、およびマウスＳｅｃｓ−１ポリペプチドの推定のアミノ酸配列（配列番号２）を例示する。推定シグナルペプチドを示す（下線部）。
【図２】図２は、ヒトＳｅｃｓ−１遺伝子のヌクレオチド配列（配列番号４）、およびヒトＳｅｃｓ−１ポリペプチドの推定のアミノ酸配列（配列番号５）を例示する。推定シグナルペプチドを示す（下線部）。
【図３】図３は、ラットＳｅｃｓ−１ポリペプチド（配列番号７）、マウスＳｅｃｓ−１ポリペプチド（配列番号２）およびヒトＳｅｃｓ−１ポリペプチド（配列番号５）のアミノ酸配列アライメントを例示する。
【図４Ａ】図４Ａ−４Ｆは、ヒトＳｅｃｓ−１ポリペプチド（配列番号８）についてのゲノムヌクレオチド配列を例示する。エキソンの位置および推定アミノ酸配列（配列番号９〜１１）を示す。
【図４Ｂ】（図４Ａの続き）
【図４Ｃ】（図４Ｂの続き）
【図４Ｄ】（図４Ｃの続き）
【図４Ｅ】（図４Ｄの続き）
【図４Ｆ】（図４Ｅの続き）
【図５】図５は、ヒト類表皮癌（Ａ４３１）異種移植片におけるインサイチューハイブリダイゼーションによって検出したときのヒトＳｅｃｓ−１（ｈｕＳｅｃｓ１）ｍＲＮＡおよびマウスＳｅｃｓ−１（ｍｕＳｍａｃ２）ｍＲＮＡの発現を例示する。
【図６】図６は、ヒト前立腺癌腫（ＰＣ−３）細胞株およびヒト結腸癌腫（ＨＴ−２９）細胞株におけるインサイチュハイブリダイゼーションによって検出したときのヒトＳｅｃｓ−１（ｈｕＳｅｃｓ１）ｍＲＮＡおよびマウスＳｅｃｓ−１（ｍｕＳｍａｃ２）ｍＲＮＡの発現を例示する。
【図７】図７は、創傷治癒および乾癬（鱗状）皮膚モデルにおける異なる時点でのインサイチュハイブリダイゼーションによって検出したときのマウスＳｅｃｓ−１（ｍｕＳｍａｃ２）ｍＲＮＡの発現を例示する。
【図１】
2007054072.tif 000004
【図２】
2007054072.tif 000005
【図３】
2007054072.tif 000006
【図４Ａ】
2007054072.tif 000007
【図４Ｂ】
2007054072.tif 000008
【図４Ｃ】
2007054072.tif 000009
【図４Ｄ】
2007054072.tif 000010
【図４Ｅ】
2007054072.tif 000011
【図４Ｆ】
2007054072.tif 000012
【図５】
2007054072.tif 000013
【図６】
2007054072.tif 000014
【図７】
2007054072.tif 000015
【配列表】
2007054072000001.app